(57)【要約】  基地局（１２０）は、端末（１１０）による基地局（１２０）の第１セルへの初期アクセスにおけるランダムアクセスプリアンブルを端末（１１０）から受信した場合に、ランダムアクセスプリアンブルに対する応答信号であって、接続セルを第１セルと異なるセルに変更させる指示を含む応答信号を送信する。端末（１１０）は、基地局（１２０）によって送信された応答信号に含まれる指示に基づいて、第１セルと異なる第２セルへの初期アクセスにおけるランダムアクセスプリアンブルを送信する。
2016163010.tif 000002
【特許請求の範囲】
【請求項１】
第１無線装置および第２無線装置を含む無線通信システムにおいて、
前記第２無線装置による前記第１無線装置の第１セルへの初期アクセスにおけるランダムアクセスプリアンブルを前記第２無線装置から受信した場合に、前記ランダムアクセスプリアンブルに対する応答信号であって、接続セルを前記第１セルと異なるセルに変更させる指示を含む応答信号を送信する前記第１無線装置と、
前記第１無線装置によって送信された前記応答信号に含まれる前記指示に基づいて、前記第１セルと異なる第２セルへの初期アクセスにおけるランダムアクセスプリアンブルを送信する前記第２無線装置と、
を含むことを特徴とする無線通信システム。
【請求項２】
前記第１無線装置は、前記第１セルと異なるセルの識別子を含む前記応答信号を送信し、
前記第２無線装置は、前記応答信号に含まれる前記識別子に基づいて選択した前記第２セルへ前記ランダムアクセスプリアンブルを送信する、
ことを特徴とする請求項１に記載の無線通信システム。
【請求項３】
前記第１無線装置は、接続候補の各セルの中から前記接続候補の各セルの負荷状況に応じて選択した前記第１セルと異なるセルの識別子を含む前記応答信号を送信することを特徴とする請求項２に記載の無線通信システム。
【請求項４】
前記第１無線装置は、接続候補の各セルの中から前記第１セルとの間の周波数の差に応じて選択した前記第１セルと異なるセルの識別子を含む前記応答信号を送信することを特徴とする請求項２または３に記載の無線通信システム。
【請求項５】
前記第２無線装置は、前記応答信号に含まれる前記識別子に基づいて選択した前記第１セルと異なるセルの無線品質を測定し、測定した前記無線品質が所定条件を満たすセルへ前記ランダムアクセスプリアンブルを送信することを特徴とする請求項２〜４のいずれか一つに記載の無線通信システム。
【請求項６】
前記第１無線装置は、前記第１セルと異なり前記第２無線装置が優先的に接続すべきセルの識別子を含む前記応答信号を送信し、
前記第２無線装置は、前記識別子が示すセルの無線品質を測定し、前記識別子が示すセルの少なくともいずれかのセルの前記無線品質が前記所定条件を満たす場合は前記少なくともいずれかのセルへ前記ランダムアクセスプリアンブルを送信し、前記識別子が示すセルのいずれの前記無線品質も前記所定条件を満たさない場合は接続可能なセルのうちの前記識別子が示すセルとは異なるセルへ前記ランダムアクセスプリアンブルを送信する、
ことを特徴とする請求項５に記載の無線通信システム。
【請求項７】
前記第１無線装置は、前記第１セルと異なり前記第２無線装置が優先的に接続を回避すべき前記セルの識別子を含む前記応答信号を送信し、
前記第２無線装置は前記識別子が示すセルと異なるセルの無線品質を測定し、前記異なるセルの少なくともいずれかのセルの前記無線品質が前記所定条件を満たす場合は前記異なるセルへ前記ランダムアクセスプリアンブルを送信し、前記異なるセルのいずれの前記無線品質も前記所定条件を満たさない場合は前記識別子が示すセルの少なくともいずれかのセルへ前記ランダムアクセスプリアンブルを送信する、
ことを特徴とする請求項５に記載の無線通信システム。
【請求項８】
前記第１無線装置は、前記第１セルと異なる複数のセルの識別子を含む前記応答信号を送信することを特徴とする請求項２〜７のいずれか一つに記載の無線通信システム。
【請求項９】
前記第１無線装置は、前記複数のセルにおける接続の優先順位を特定可能な情報を含む前記応答信号を送信することを特徴とする請求項８に記載の無線通信システム。
【請求項１０】
前記識別子が示すセルは、前記第１無線装置とは異なる無線装置が形成するセルを含む各セルの中から選択されたセルであることを特徴とする請求項２〜９のいずれか一つに記載の無線通信システム。
【請求項１１】
前記第１無線装置は、前記ランダムアクセスプリアンブルを前記第２無線装置から受信した際の前記第１セルにおける負荷状況に応じて、前記指示を含む前記応答信号を送信することを特徴とする請求項１〜１０のいずれか一つに記載の無線通信システム。
【請求項１２】
前記応答信号は、前記第２無線装置による前記第１無線装置の第１セルへの初期アクセスにおけるランダムアクセスプリアンブルに対するランダムアクセスレスポンスであり、
前記第１無線装置は、前記ランダムアクセスレスポンスのペイロードにおけるリザーブドビットに前記指示を格納する、
ことを特徴とする請求項１〜１１のいずれか一つに記載の無線通信システム。
【請求項１３】
前記第１無線装置は、前記リザーブドビットに前記指示を格納する場合に、前記ペイロードのうちの前記リザーブドビットとは異なる領域に前記第１セルと異なるセルの識別子を格納し、
前記第２無線装置は、前記識別子に基づいて選択した前記第２セルへ前記ランダムアクセスプリアンブルを送信する、
ことを特徴とする請求項１２に記載の無線通信システム。
【請求項１４】
前記応答信号は、前記第２無線装置による前記第１無線装置の第１セルへの初期アクセスにおけるランダムアクセスプリアンブルに対するランダムアクセスレスポンスであり、
前記第１無線装置は、前記ランダムアクセスレスポンスのＭＡＣ（Ｍｅｄｉａ  Ａｃｃｅｓｓ  Ｃｏｎｔｒｏｌ）  ＰＤＵ（Ｐｒｏｔｏｃｏｌ  Ｄａｔａ  Ｕｎｉｔ）のＭＡＣサブヘッダにおける２ビットのリザーブドビットに前記指示を格納する、
ことを特徴とする請求項１〜１１のいずれか一つに記載の無線通信システム。
【請求項１５】
前記第１無線装置は、前記リザーブドビットに前記指示を格納する場合に、前記ＭＡＣサブヘッダのＢＩ（Ｂａｃｋｏｆｆ  Ｉｎｄｉｃａｔｏｒ）フィールドに、前記接続セルを前記第１セルと異なるセルに変更する確率を示す情報を格納し、
前記第２無線装置は、前記確率を示す情報に基づいて選択した前記第２セルへ前記ランダムアクセスプリアンブルを送信する、
ことを特徴とする請求項１４に記載の無線通信システム。
【請求項１６】
前記第１無線装置は、前記２ビットのリザーブドビットに前記指示を格納する場合に、前記ＭＡＣサブヘッダのＢＩフィールドに前記第１セルと異なるセルの識別子の一部を格納し、
前記第２無線装置は、前記識別子の一部に基づいて選択した前記第２セルへ前記ランダムアクセスプリアンブルを送信する、
ことを特徴とする請求項１４に記載の無線通信システム。
【請求項１７】
前記応答信号は、前記第２無線装置による前記第１無線装置の第１セルへの初期アクセスにおけるランダムアクセスプリアンブルに対するランダムアクセスレスポンスであり、
前記第１無線装置は、前記ランダムアクセスレスポンスのペイロードにおけるＵＬ（Ｕｐ  Ｌｉｎｋ）グラントのＣＳＩ（Ｃｈａｎｎｅｌ  Ｓｔａｔｅ  Ｉｎｆｏｒｍａｔｉｏｎ）リクエストに前記指示を格納する、
ことを特徴とする請求項１〜１１のいずれか一つに記載の無線通信システム。
【請求項１８】
前記応答信号は、前記指示と、前記応答信号を受信した前記第２無線装置が前記第１無線装置へスケジュールドトランスミッションを送信するための情報と、を含み、
前記第２無線装置は、前記応答信号に含まれる前記スケジュールドトランスミッションを送信するための情報に基づいて、前記第２セルへ前記スケジュールドトランスミッションを送信する、
ことを特徴とする請求項１〜１１のいずれか一つに記載の無線通信システム。
【請求項１９】
他の無線装置と通信可能な無線装置であって、
前記他の無線装置による自装置の第１セルへの初期アクセスにおけるランダムアクセスプリアンブルを前記他の無線装置から受信する受信部と、
前記受信部によって前記ランダムアクセスプリアンブルが受信された場合に、前記ランダムアクセスプリアンブルに対する応答信号であって、接続セルを前記第１セルと異なるセルに変更させる指示を含む応答信号を送信する送信部と、
を備えることを特徴とする無線装置。
【請求項２０】
他の無線装置と通信可能な無線装置であって、
自装置による前記他の無線装置の第１セルへの初期アクセスにおけるランダムアクセスプリアンブルを送信する送信部と、
前記送信部によって送信された前記ランダムアクセスプリアンブルに対する応答信号であって、接続セルを前記第１セルと異なるセルに変更させる指示を含む応答信号を前記他の無線装置から受信する受信部と、
を備え、
前記送信部は、前記受信部によって受信された前記応答信号に含まれる前記指示に基づいて、前記第１セルと異なる第２セルへの初期アクセスにおけるランダムアクセスプリアンブルを送信する、
ことを特徴とする無線装置。
【請求項２１】
他の無線装置と通信可能な無線装置における処理方法であって、
前記他の無線装置による自装置の第１セルへの初期アクセスにおけるランダムアクセスプリアンブルを前記他の無線装置から受信し、
前記ランダムアクセスプリアンブルを受信した場合に、前記ランダムアクセスプリアンブルに対する応答信号であって、接続セルを前記第１セルと異なるセルに変更させる指示を含む応答信号を送信する、
ことを特徴とする処理方法。
【請求項２２】
他の無線装置と通信可能な無線装置における処理方法であって、
自装置による前記他の無線装置の第１セルへの初期アクセスにおけるランダムアクセスプリアンブルを送信し、
送信した前記ランダムアクセスプリアンブルに対する応答信号であって、接続セルを前記第１セルと異なるセルに変更させる指示を含む応答信号を前記他の無線装置から受信し、
受信した前記応答信号に含まれる前記指示に基づいて、前記第１セルと異なる第２セルへの初期アクセスにおけるランダムアクセスプリアンブルを送信する、
ことを特徴とする処理方法。
【請求項２３】
第１無線装置および第２無線装置を含む無線通信システムにおいて、
前記第２無線装置による前記第１無線装置の第１セルへの初期アクセスにおけるランダムアクセス手順の信号を前記第２無線装置から受信した場合に、前記信号に対する応答信号であって、接続セルを前記第１セルと異なるセルに変更させる指示と、前記第１セルと異なる複数のセルの識別子と、を含む応答信号を送信する前記第１無線装置と、
前記第１無線装置によって送信された前記応答信号に含まれる前記指示および前記識別子に基づいて、前記第１セルと異なる第２セルへの初期アクセスにおけるランダムアクセスプリアンブルを送信する前記第２無線装置と、
を含むことを特徴とする無線通信システム。
【請求項２４】
前記第１無線装置は、前記応答信号において前記指示を格納するための専用のフィールドに前記指示を格納することを特徴とする請求項２３に記載の無線通信システム。
【請求項２５】
前記ランダムアクセス手順の信号は、スケジュールドトランスミッションであり、
前記応答信号は、スケジュールドトランスミッションに対するコンテンションレゾリューションに含まれるＲＲＣコネクションリジェクトである、
ことを特徴とする請求項２３または２４に記載の無線通信システム。
【請求項２６】
前記ランダムアクセス手順の信号は、スケジュールドトランスミッションであり、
前記応答信号は、スケジュールドトランスミッションに対するコンテンションレゾリューションに含まれるＲＲＣコネクションセットアップである、
ことを特徴とする請求項２３または２４に記載の無線通信システム。
【発明の詳細な説明】
【技術分野】
【０００１】
本発明は、無線通信システム、無線装置および処理方法に関する。
【背景技術】
【０００２】
従来、ＬＴＥ（Ｌｏｎｇ  Ｔｅｒｍ  Ｅｖｏｌｕｔｉｏｎ）やＬＴＥ−Ａ（ＬＴＥ−Ａｄｖａｎｃｅｄ）などの移動体通信が知られている（たとえば、下記非特許文献１〜９参照。）。また、これらの移動体通信において、基地局装置が複数のセルを形成する構成が知られている。また、基地局装置が、管理下のセル全体のロードバランスとユーザ端末の条件に応じて、ユーザ端末に対して他のセルへの切り換えを指示する技術が知られている（たとえば、下記特許文献１参照。）。
【先行技術文献】
【特許文献】
【０００３】
【特許文献１】特開２００８−９２３８１号公報
【非特許文献】
【０００４】
【非特許文献１】３ＧＰＰ  ＴＳ３６．３００  ｖ１２．１．０、２０１４年３月
【非特許文献２】３ＧＰＰ  ＴＳ３６．２１１  ｖ１２．１．０、２０１４年３月
【非特許文献３】３ＧＰＰ  ＴＳ３６．２１２  ｖ１２．０．０、２０１３年１２月
【非特許文献４】３ＧＰＰ  ＴＳ３６．２１３  ｖ１２．１．０、２０１４年３月
【非特許文献５】３ＧＰＰ  ＴＳ３６．３２１  ｖ１２．０．０、２０１３年１２月
【非特許文献６】３ＧＰＰ  ＴＳ３６．３２２  ｖ１１．０．０、２０１２年９月
【非特許文献７】３ＧＰＰ  ＴＳ３６．３２３  ｖ１１．２．０、２０１３年３月
【非特許文献８】３ＧＰＰ  ＴＳ３６．３３１  ｖ１２．０．０、２０１３年１２月
【非特許文献９】３ＧＰＰ  ＴＲ３６．８４２  ｖ１２．０．０、２０１３年１２月
【発明の概要】
【発明が解決しようとする課題】
【０００５】
しかしながら、上述した従来技術では、各セルの負荷状況などの各セルの状況に応じたセル間の負荷分散を行うことができない場合がある。【０００６】
１つの側面では、本発明は、各セルの状況に応じたセル間の負荷分散を行うことができる無線通信システム、無線装置および処理方法を提供することを目的とする。
【課題を解決するための手段】
【０００７】
上述した課題を解決し、目的を達成するため、本発明の一側面によれば、第１無線装置および第２無線装置を含む無線通信システムにおいて、前記第１無線装置が、前記第２無線装置による前記第１無線装置の第１セルへの初期アクセスにおけるランダムアクセスプリアンブルを前記第２無線装置から受信した場合に、前記ランダムアクセスプリアンブルに対する応答信号であって、接続セルを前記第１セルと異なるセルに変更させる指示を含む応答信号を送信し、前記第２無線装置が、前記第１無線装置によって送信された前記応答信号に含まれる前記指示に基づいて、前記第１セルと異なる第２セルへの初期アクセスにおけるランダムアクセスプリアンブルを送信する無線通信システム、無線装置および処理方法が提案される。【０００８】
また、本発明の別の一側面によれば、第１無線装置および第２無線装置を含む無線通信システムにおいて、前記第１無線装置が、前記第２無線装置による前記第１無線装置の第１セルへの初期アクセスにおけるランダムアクセス手順の信号を前記第２無線装置から受信した場合に、前記信号に対する応答信号であって、接続セルを前記第１セルと異なるセルに変更させる指示と、前記第１セルと異なる複数のセルの識別子と、を含む応答信号を送信し、前記第２無線装置が、前記第１無線装置によって送信された前記応答信号に含まれる前記指示および前記識別子に基づいて、前記第１セルと異なる第２セルへの初期アクセスにおけるランダムアクセスプリアンブルを送信する無線通信システム、無線装置および処理方法が提案される。
【発明の効果】
【０００９】
本発明の一側面によれば、各セルの状況に応じたセル間の負荷分散を行うことができるという効果を奏する。
【図面の簡単な説明】
【００１０】
【図１】図１は、実施の形態１にかかる無線通信システムの一例を示す図である。
【図２】図２は、実施の形態１にかかる無線通信システムにおける処理の一例を示すシーケンス図である。
【図３】図３は、実施の形態１にかかる無線通信システムにおける処理のより詳細な例を示すシーケンス図である。
【図４】図４は、実施の形態１にかかる端末による処理の一例を示すフローチャートである。
【図５】図５は、実施の形態１にかかる基地局による処理の一例を示すフローチャートである。
【図６】図６は、実施の形態１にかかる端末の一例を示す図である。
【図７】図７は、実施の形態１にかかる端末のハードウェア構成の一例を示す図である。
【図８】図８は、実施の形態１にかかる基地局の一例を示す図である。
【図９】図９は、実施の形態１にかかる基地局のハードウェア構成の一例を示す図である。
【図１０】図１０は、実施の形態１におけるランダムアクセスレスポンスへの接続セル変更指示の格納例１を示す図（その１）である。
【図１１】図１１は、実施の形態１におけるランダムアクセスレスポンスへの接続セル変更指示の格納例１を示す図（その２）である。
【図１２】図１２は、実施の形態１におけるランダムアクセスレスポンスへの接続セル変更指示の格納例２を示す図である。
【図１３】図１３は、実施の形態１におけるランダムアクセスレスポンスへの接続セル変更指示の格納例３を示す図（その１）である。
【図１４】図１４は、実施の形態１におけるランダムアクセスレスポンスへの接続セル変更指示の格納例３を示す図（その２）である。
【図１５】図１５は、実施の形態１におけるバックワードコンパチビリティの一例を示す図（その１）である。
【図１６】図１６は、実施の形態１におけるバックワードコンパチビリティの一例を示す図（その２）である。
【図１７】図１７は、実施の形態１におけるバックワードコンパチビリティの他の例を示す図（その１）である。
【図１８】図１８は、実施の形態１におけるバックワードコンパチビリティの他の例を示す図（その２）である。
【図１９】図１９は、実施の形態１にかかる無線通信システムの他の例を示す図である。
【図２０】図２０は、実施の形態１にかかる無線通信システムのさらに他の例を示す図である。
【図２１】図２１は、実施の形態２にかかる無線通信システムの処理例１を示すシーケンス図である。
【図２２】図２２は、実施の形態２にかかる無線通信システムの処理例１の詳細を示すシーケンス図である。
【図２３】図２３は、実施の形態２にかかる無線通信システムの処理例２を示すシーケンス図である。
【図２４】図２４は、実施の形態２にかかる無線通信システムの処理例２の詳細を示すシーケンス図である。
【図２５】図２５は、実施の形態２にかかる無線通信システムの処理例２におけるＲＲＣコネクションリジェクトの一例を示す図である。
【図２６】図２６は、実施の形態２にかかる無線通信システムの処理例２におけるＲＲＣコネクションリジェクトの他の例を示す図である。
【図２７】図２７は、実施の形態２にかかる無線通信システムの処理例３を示すシーケンス図である。
【図２８】図２８は、実施の形態２にかかる無線通信システムの処理例３におけるＲＲＣコネクションセットアップの一例を示す図である。
【図２９】図２９は、実施の形態２にかかる無線通信システムの処理例３におけるＲＲＣコネクションセットアップの他の例を示す図（その１）である。
【図３０】図３０は、実施の形態２にかかる無線通信システムの処理例３におけるＲＲＣコネクションセットアップの他の例を示す図（その２）である。
【図３１】図３１は、実施の形態２にかかる無線通信システムの処理例３におけるＲＲＣコネクションセットアップのさらに他の例を示す図である。
【発明を実施するための形態】
【００１１】
以下に図面を参照して、本発明にかかる無線通信システム、無線装置および処理方法の実施の形態を詳細に説明する。
【００１２】
（実施の形態１）
（実施の形態１にかかる無線通信システム）
図１は、実施の形態１にかかる無線通信システムの一例を示す図である。図１に示すように、実施の形態１にかかる無線通信システム１００は、端末１１０と、基地局１２０と、を含む。基地局１２０は、ランダムアクセス手順によって端末１１０からの初期アクセスを受け付ける第１無線装置である。端末１１０は、ランダムアクセス手順によって基地局１２０への初期アクセスを行う第２無線装置である。
【００１３】
端末１１０は、一例としてはＬＴＥのＵＥ（Ｕｓｅｒ  Ｅｑｕｉｐｍｅｎｔ）などの端末である。基地局１２０は、一例としてはＬＴＥのｅＮＢなどの基地局である。セル１０１〜１０３は、基地局１２０が形成するセルである。セル１０１〜１０３の周波数は、それぞれ周波数ｆ１〜ｆ３（ｆ１≠ｆ２≠ｆ３）である。図１に示す例では、周波数が違えば異なるセル（周波数キャリア）である。
【００１４】
基地局１２０は、端末１１０との間のランダムアクセス手順において、端末１１０へ送信するランダムアクセスレスポンスに接続セル変更指示を格納する。ランダムアクセスレスポンスは、ランダムアクセス手順における第２のメッセージ（メッセージ２）である。また、ランダムアクセスレスポンスは、端末１１０からのランダムアクセスプリアンブルに対する応答信号である。ランダムアクセスプリアンブルは、ランダムアクセス手順における第１のメッセージ（メッセージ１）である。
【００１５】
接続セル変更指示は、端末１１０に対して、ランダムアクセス手順による端末１１０の接続セルの変更を指示する情報である。接続セルは、ランダムアクセス手順によって端末１１０が接続を要求するセルであって、端末１１０からのランダムアクセスプリアンブルの送信先のセルである。たとえば、基地局１２０は、ランダムアクセスプリアンブルの送信先のセルの負荷状況に応じて、ランダムアクセスレスポンスに接続セル変更指示を格納する。
【００１６】
端末１１０は、基地局１２０から受信したランダムアクセスレスポンスに接続セル変更指示が含まれていた場合に、接続セルを変更し、変更後の接続セルへランダムアクセスプリアンブルを送信し直す。変更後の接続セルは、基地局１２０のセルであってもよいし、基地局１２０とは異なる基地局のセルであってもよい。
【００１７】
このように、基地局１２０は、基地局１２０のセルの負荷状況に応じて、端末１１０からのランダムアクセスプリアンブルに対するランダムアクセスレスポンスに接続セル変更指示を格納することで、端末１１０に対して接続セルを変更させることができる。このため、セルの負荷状況に応じたセル間の負荷分散が可能になる。
【００１８】
また、基地局１２０は、接続セル変更指示とともに、接続セルの変更先の候補のセルの識別子をランダムアクセスレスポンスに格納してもよい。接続セルの変更先の候補のセルは、端末１１０が優先的に接続すべきセルであって、たとえば各セルの負荷状況に応じて基地局１２０が選択することができる。以下、ランダムアクセスレスポンスに格納される接続セルの変更先の候補のセルをプリファラブルセルと称し、プリファラブルセルの識別子をプリファラブルセルＩＤと称する。プリファラブルセルは、基地局１２０のセルであってもよいし、基地局１２０とは異なる基地局のセルであってもよい。
【００１９】
また、基地局１２０は、接続セル変更指示とともに、複数のプリファラブルセルを示す複数のプリファラブルセルＩＤをランダムアクセスレスポンスに格納してもよい。複数のプリファラブルセルは、たとえば基地局１２０が形成する各セルに含まれる複数のセルである。または、複数のプリファラブルセルは、基地局１２０とは異なる基地局が形成するセルを含んでいてもよい。すなわち、複数のプリファラブルセルは、異なる位置に設けられた複数の基地局によって形成された各セルを含んでいてもよい。また、複数のプリファラブルセルは、基地局１２０が形成する複数のセルと、基地局１２０とは異なる基地局が形成する複数のセルと、の両方を含んでいてもよい。
【００２０】
また、複数のプリファラブルセルは、たとえば、周波数が互いに異なり、地理的に重複する部分を含む各セルである。たとえば、複数のプリファラブルセルは、周波数が互いに異なり同じ大きさのセルであってもよいし、周波数が互いに異なり異なる大きさのセルであってもよい。また、複数のプリファラブルセルには、端末１１０が在圏していなかったり、端末１１０における通信品質が低かったりして端末１１０が接続できないセルが含まれていてもよい。
【００２１】
また、基地局１２０は、複数のプリファラブルセルの識別子をランダムアクセスレスポンスに格納する場合に、ランダムアクセスレスポンスを、該複数のプリファラブルセルにおける接続の優先順位を特定可能な情報を含む信号としてもよい。優先順位を特定可能な情報は、たとえば、該複数のプリファラブルセルの各識別子と、該複数のプリファラブルセルの優先順位を直接的に示す情報と、を含む情報である。複数のプリファラブルセルの優先順位を直接的に示す情報は、たとえば、複数のセルの各識別子と、複数のセルの優先順位と、の対応情報である。
【００２２】
または、優先順位を特定可能な情報は、たとえば、複数のプリファラブルセルの各識別子を、該複数のプリファラブルセルにおける接続の優先順位に応じた順序で並べた情報であってもよい。これにより、該優先順位を直接的に示す情報をランダムアクセスレスポンスに含めなくても、端末１１０は、ランダムアクセスレスポンスに含まれる該情報における各識別子の並び順に基づいて該優先順位を特定することができる。このため、ランダムアクセスレスポンスのデータサイズの増加を抑えることができる。優先順位に応じた順序は、優先順位の昇順であってもよいし、降順であってもよい。
【００２３】
また、基地局１２０が送信するランダムアクセスレスポンスは、たとえば、プリファラブルセルの候補の各セルの中から、該候補の各セルの負荷状況に基づいて選択されたプリファラブルセルを示す情報を含むランダムアクセスレスポンスである。プリファラブルセルの選択に用いるセルの負荷状況には、たとえば、セルの無線リソースの使用率、セルに対して接続中の端末の数、セルにおけるデータの滞留量（バッファリング量）など各種の状況を用いることができる。無線リソースの使用率は、一例としてはＲＢ（Ｒｅｓｏｕｒｃｅ  Ｂｌｏｃｋ：リソースブロック）の使用率とすることができる。
【００２４】
プリファラブルセルの候補の各セルは、たとえば基地局１２０が形成する各セルに含まれる複数のセルである。または、プリファラブルセルの候補の各セルは、基地局１２０とは異なる基地局が形成するセルを含んでいてもよい。また、プリファラブルセルの候補の各セルは、たとえば、周波数が互いに異なり、地理的に重複する部分を含む複数のセルである。また、プリファラブルセルの候補の各セルは、端末１１０が在圏していなかったり、端末１１０における通信品質が低かったりして端末１１０が接続できないセルを含んでいてもよい。
【００２５】
たとえば、プリファラブルセルの候補の各セルが、基地局１２０とは異なる基地局が形成するセルを含む場合は、基地局１２０は、該異なる基地局が形成するセルの負荷状況を示す情報を該異なる基地局から受信する。そして、基地局１２０は、受信した負荷状況を示す情報に基づいて、プリファラブルセルの候補の各セルの中から、ランダムアクセスレスポンスに含める情報が示すプリファラブルセルを選択する。
【００２６】
端末１１０は、ランダムアクセスレスポンスに含まれるプリファラブルセルＩＤが示すプリファラブルセルの少なくともいずれかが所定条件を満たす場合は、該プリファラブルセルのうちの所定条件を満たすセルへの接続処理を行う。また、端末１１０は、該プリファラブルセルのいずれも所定条件を満たさない場合は、端末１１０が接続可能なセルのうちの該プリファラブルセルとは異なるセルへの接続処理を行う。
【００２７】
所定条件は、たとえば端末１１０における通信品質に関する条件である。端末１１０における通信品質は、たとえば、端末１１０がセルの無線信号を受信し、受信結果に基づいて算出可能な通信品質である。通信品質としては、たとえば、ＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）、ＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）、ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）などを用いることができる。
【００２８】
このように、基地局１２０は、セルの負荷状況に応じて選択したプリファラブルセルＩＤをランダムアクセスレスポンスに格納することで、端末１１０を負荷の少ないセルへ接続させ、セル間の負荷分散を行うことができる。また、基地局１２０は、セルの負荷状況に応じて選択した複数のプリファラブルセルＩＤをランダムアクセスレスポンスに格納することで、端末１１０が負荷の少ないセルに接続できる可能性を高め、セル間の負荷分散を行うことができる。
【００２９】
また、プリファラブルセルＩＤは、基地局１２０と異なる基地局やＲＲＨ（Ｒｅｍｏｔｅ  Ｒａｄｉｏ  Ｈｅａｄ：無線部）のセルのＩＤにしてもよい。これにより、周辺セルとの負荷分散を行うことができる。また、ＨｅｔＮｅｔ（Ｈｅｔｅｒｏｇｅｎｅｏｕｓ  Ｎｅｔｗｏｒｋ）にも適用が可能になる。
【００３０】
なお、図１に示す例は、１つの基地局１２０が複数の周波数キャリアを用いて複数のセル（セル１０１〜１０３）を構成する例である。たとえば、基地局１２０は、自局がサービスするセル１０１〜１０３の負荷状況を示す負荷情報を取得する。そして、基地局１２０は、取得した負荷情報に基づいて、セル１０１〜１０３の中からプリファラブルセルを決定し、決定したセルのＩＤ（プリファラブルセルＩＤ）および接続セル変更指示をランダムアクセスレスポンスに含めて送信する。
【００３１】
（実施の形態１にかかる無線通信システムにおける処理）
図２は、実施の形態１にかかる無線通信システムにおける処理の一例を示すシーケンス図である。実施の形態１にかかる無線通信システム１００においては、たとえば図２に示す各ステップが実行される。
【００３２】
まず、端末１１０が、基地局１２０のセル＃１を初期アクセスの接続先として選択し、ランダムアクセス手順におけるメッセージ１（ＭＳＧ１）としてランダムアクセスプリアンブルを基地局１２０のセル＃１へ送信する（ステップＳ２０１）。
【００３３】
つぎに、基地局１２０のセル＃１が、ランダムアクセス手順におけるメッセージ２（ＭＳＧ２）としてランダムアクセスレスポンスを端末１１０へ送信する（ステップＳ２０２）。図２に示す例では、基地局１２０のセル＃１は、ステップＳ２０２によって送信するランダムアクセスレスポンスに接続セル変更指示を格納したとする。そして、端末１１０が、ステップＳ２０２によって受信したランダムアクセスレスポンスに含まれる接続セル変更指示に基づいて、接続先のセルをセル＃１から＃２に変更したとする。
【００３４】
つぎに、端末１１０が、ランダムアクセス手順におけるメッセージ１（ＭＳＧ１）としてランダムアクセスプリアンブルを基地局１２０のセル＃２へ送信する（ステップＳ２０３）。つぎに、基地局１２０のセル＃２が、ランダムアクセス手順におけるメッセージ２（ＭＳＧ２）としてランダムアクセスレスポンスを端末１１０へ送信する（ステップＳ２０４）。図２に示す例では、基地局１２０のセル＃２は、ステップＳ２０４によって送信するランダムアクセスレスポンスに接続セル変更指示を格納しなかったとする。
【００３５】
つぎに、端末１１０が、ランダムアクセス手順におけるメッセージ３（ＭＳＧ３）としてスケジュールドトランスミッションを基地局１２０のセル＃２へ送信する（ステップＳ２０５）。つぎに、基地局１２０のセル＃２が、ランダムアクセス手順におけるメッセージ４（ＭＳＧ４）としてコンテンションレゾリューションを端末１１０へ送信し（ステップＳ２０６）、端末１１０による基地局１２０のセル＃２への接続が完了する。
【００３６】
このように、基地局１２０は、ランダムアクセス手順におけるランダムアクセスレスポンスに接続セル変更指示を格納する。これにより、端末１１０の初期アクセスにおける早い段階で端末１１０に対して接続先のセルを変更させることができる。
【００３７】
（実施の形態１にかかる無線通信システムにおける処理のより詳細な例）
図３は、実施の形態１にかかる無線通信システムにおける処理のより詳細な例を示すシーケンス図である。まず、基地局１２０が、基地局１２０の配下の各セル（たとえばセル＃１，＃２）のそれぞれにおける負荷状況を示す負荷情報を取得する（ステップＳ３０１）。つぎに、基地局１２０が、ステップＳ３０１によって取得した負荷情報に基づいてプリファラブルセルを選択する（ステップＳ３０２）。プリファラブルセルは、基地局１２０に対して接続を要求してきた端末１１０に接続させることが好ましい接続セル候補である。プリファラブルセルは、基地局１２０における各セルに限らず、基地局１２０の周辺の基地局のセルを含んでもよい。
【００３８】
基地局１２０がステップＳ３０１，Ｓ３０２を実行するタイミングは任意である。たとえば、基地局１２０は、ステップＳ３０１，Ｓ３０２を定期的に行う。または、基地局１２０は、ステップＳ３０１を定期的に行い、ステップＳ３０１によって負荷状況の変化を検出した場合にステップＳ３０２を行ってもよい。また、負荷状況の変化はコネクテッド（Ｃｏｎｎｅｃｔｅｄ）状態の端末の増減などによって発生するため、基地局１２０は、基地局１２０の各セルにおけるコネクテッド状態の端末の数の変化を契機としてステップＳ３０１，Ｓ３０２を行ってもよい。
【００３９】
つぎに、端末１１０が、基地局１２０のセル＃１を接続先として選択し、ランダムアクセス手順におけるメッセージ１（ＭＳＧ１）としてランダムアクセスプリアンブルを基地局１２０のセル＃１へ送信する（ステップＳ３０３）。
【００４０】
つぎに、基地局１２０のセル＃１が、ランダムアクセス手順におけるメッセージ２（ＭＳＧ２）としてランダムアクセスレスポンスを端末１１０へ送信する（ステップＳ３０４）。図３に示す例では、基地局１２０のセル＃１は、ステップＳ３０４によって送信するランダムアクセスレスポンスに、接続セル変更指示と、プリファラブルセルＩＤのリストと、を格納する。プリファラブルセルＩＤのリストは、たとえばステップＳ３０２によって選択した各プリファラブルセルのリストである。
【００４１】
つぎに、端末１１０が、ステップＳ３０４によって受信したランダムアクセスレスポンスに含まれる接続セル変更指示およびプリファラブルセルＩＤのリストに基づいて、プリファラブルセルＩＤによって指定されたセルの信号を測定する（ステップＳ３０５）。たとえば、端末１１０は、プリファラブルセルＩＤによって指定されたセルの信号の端末１１０における受信電力を測定する。
【００４２】
つぎに、端末１１０は、プリファラブルセルＩＤによって指定されたセルの中でステップＳ３０５による測定結果が所定の条件を満たすセルを選択する（ステップＳ３０６）。たとえば、端末１１０は、プリファラブルセルＩＤによって指定されたセルの中で、ステップＳ３０５によって測定した受信電力が閾値以上であり、かつ優先順位が最も高いセルを選択する。
【００４３】
また、ステップＳ３０６において、測定結果が所定の条件を満たすセルがなかった場合は、端末１１０は、たとえば、任意のセルを選択し、選択したセルへランダムアクセスプリアンブルを送信してもよい。この任意のセルは、端末１１０がステップＳ３０３によってランダムアクセスプリアンブルを送信したセル＃１であってもよい。
【００４４】
図３に示す例では、端末１１０は、ステップＳ３０６において基地局１２０のセル＃２を選択したとする。つぎに、端末１１０が、ステップＳ３０６によって選択した基地局１２０のセル＃２へ、ランダムアクセス手順におけるメッセージ１（ＭＳＧ１）としてランダムアクセスプリアンブルを送信する（ステップＳ３０７）。図３に示すステップＳ３０８〜Ｓ３１０は、図２に示したステップＳ２０４〜Ｓ２０６と同様である。
【００４５】
このように、基地局１２０は、ランダムアクセス手順におけるランダムアクセスレスポンスに接続セル変更指示およびプリファラブルセルＩＤのリストを格納する。これにより、端末１１０の初期アクセスにおける早い段階で端末１１０に対して接続先のセルを変更させることができる。また、負荷情報に基づいて選択したプリファラブルセルＩＤのリストを端末１１０へ送信することで、端末１１０に対して接続先のセルを負荷が少ないセルに変更させることができる。
【００４６】
また、基地局１２０は、ステップＳ３０２によって選択したプリファラブルセルのうちの、端末１１０の現在の接続先のセル＃１と周波数が近い（たとえば最も近い）セルを選択し、選択したセルのＩＤをプリファラブルセルＩＤのリストに含めてもよい。これにより、変更後の接続先のセルにおける無線品質が接続の要件を満たす可能性を高くすることができる。また、端末１１０が変更後の接続先のセルへ送信したランダムアクセスプリアンブルが変更後の接続先のセルへ届かないケースの発生確率を減らすことができる。
【００４７】
このように、基地局１２０は、プリファラブルセル（接続候補の各セル）の中からセル＃１との間の周波数の差に応じて選択した、セル＃１と異なるセルのＩＤをプリファラブルセルＩＤとしてランダムアクセスレスポンスに格納してもよい。これにより、プリファラブルセルＩＤが示すセルに対する端末１１０の接続の失敗確率を低くし、各装置の処理量やシグナリング量の増加を抑制することができる。
【００４８】
（実施の形態１にかかる端末による処理）
図４は、実施の形態１にかかる端末による処理の一例を示すフローチャートである。実施の形態１にかかる端末１１０は、たとえば図４に示す各ステップを実行する。まず、端末１１０は、端末１１０におけるトラフィックが発生したか否かを判断し（ステップＳ４０１）、トラフィックが発生するまで待つ（ステップＳ４０１：Ｎｏのループ）。
【００４９】
ステップＳ４０１において、トラフィックが発生すると（ステップＳ４０１：Ｙｅｓ）、端末１１０は、ランダムアクセスプリアンブルを基地局１２０へ送信する（ステップＳ４０２）。初回のステップＳ４０２においては、端末１１０は、任意に選択したセルに対してランダムアクセスプリアンブルを送信する。また、端末１１０は、ステップＳ４０６からステップＳ４０２へ移行した場合は、ステップＳ４０２において、ステップＳ４０６によって選択したセルに対してランダムアクセスプリアンブルを送信する。また、端末１１０は、ステップＳ４０９からステップＳ４０２へ移行した場合は、任意に選択したセルに対してランダムアクセスプリアンブルを送信する。
【００５０】
つぎに、端末１１０は、ステップＳ４０２によって送信したランダムアクセスプリアンブルに対するランダムアクセスレスポンスを基地局１２０から受信する（ステップＳ４０３）。つぎに、端末１１０は、ステップＳ４０３によって受信したランダムアクセスレスポンスに接続セル変更指示が含まれているか否かを判断する（ステップＳ４０４）。
【００５１】
ステップＳ４０４において、接続セル変更指示が含まれている場合（ステップＳ４０４：Ｙｅｓ）は、端末１１０は、ステップＳ４０３によって受信したランダムアクセスレスポンスからプリファラブルセルＩＤのリストを抽出する（ステップＳ４０５）。つぎに、端末１１０は、ステップＳ４０５により抽出したプリファラブルセルＩＤのリストが示す各セルの中から接続先のセルを選択し（ステップＳ４０６）、ステップＳ４０２へ戻る。
【００５２】
ステップＳ４０４において、ランダムアクセスレスポンスに接続セル変更指示が含まれていない場合（ステップＳ４０４：Ｎｏ）は、端末１１０は、ランダムアクセス手順におけるメッセージ３を基地局１２０へ送信する（ステップＳ４０７）。メッセージ３は、たとえばスケジュールドトランスミッションであり、ＲＲＣコネクションリクエスト（Ｒａｄｉｏ  Ｒｅｓｏｕｒｃｅ  Ｃｏｎｔｒｏｌ  Ｃｏｎｎｅｃｔｉｏｎ  Ｒｅｑｕｅｓｔ）を含む。また、メッセージ３は、端末１１０のＳ−ＴＭＳＩ（ＳＡＥ  Ｔｅｍｐｏｒａｒｙ  Ｍｏｂｉｌｅ  Ｓｕｂｓｃｒｉｂｅｒ  Ｉｄｅｎｔｉｔｙ：一時移動体加入者識別子）またはランダムＩＤを含んでもよい。
【００５３】
つぎに、端末１１０は、ステップＳ４０７によって送信したメッセージ３に対するメッセージ４を基地局１２０から受信する（ステップＳ４０８）。メッセージ４は、たとえばコンテンションレゾリューションおよびＲＲＣ接続の可否を示す情報を含む。ＲＲＣ接続の可否を示す情報は、ＲＲＣ接続可能であることを示すＲＲＣコネクションセットアップ、またはＲＲＣ接続不可であることを示すＲＲＣコネクションリジェクトを含む。
【００５４】
つぎに、端末１１０は、ステップＳ４０８によって受信したメッセージ４に基づいて、コンテンションレゾリューションが成功したか否かを判断する（ステップＳ４０９）。たとえば、端末１１０は、ステップＳ４０７によって送信したメッセージ３に格納した端末１１０のＴＭＳＩまたはランダムＩＤが、ステップＳ４０８によって受信したメッセージ４に含まれているか否かによってステップＳ４０９の判断を行うことができる。
【００５５】
ステップＳ４０９において、コンテンションレゾリューションが成功していない場合（ステップＳ４０９：Ｎｏ）は、端末１１０は、ステップＳ４０２へ戻る。コンテンションレゾリューションが成功した場合（ステップＳ４０９：Ｙｅｓ）は、端末１１０は、ＲＲＣコネクションのセットアップが完了したことを示すＲＲＣコネクションセットアップコンプリートを基地局１２０へ送信する（ステップＳ４１０）。つぎに、端末１１０は、基地局１２０とのデータ通信を開始し（ステップＳ４１１）、初期アクセス時の一連の処理を終了する。
【００５６】
（実施の形態１にかかる基地局による処理）
図５は、実施の形態１にかかる基地局による処理の一例を示すフローチャートである。実施の形態１にかかる基地局１２０は、たとえば図５に示す各ステップを実行する。図５に示すステップＳ５０１，Ｓ５０２は、図３に示したステップＳ３０１，Ｓ３０２と同様である。ステップＳ５０２のつぎに、基地局１２０は、端末１１０からのランダムアクセスプリアンブルを受信したか否かを判断し（ステップＳ５０３）、ランダムアクセスプリアンブルを受信するまで待つ（ステップＳ５０３：Ｎｏのループ）。
【００５７】
ステップＳ５０３において、ランダムアクセスプリアンブルを受信すると（ステップＳ５０３：Ｙｅｓ）、基地局１２０は、受信したランダムアクセスプリアンブルの対象のセルへの接続を受け入れるか否かを判断する（ステップＳ５０４）。ステップＳ５０４の判断は、たとえばステップＳ５０１によって取得した負荷情報に基づき行うことができる。
【００５８】
ステップＳ５０４において、接続を受け入れる場合（ステップＳ５０４：Ｙｅｓ）は、基地局１２０は、接続セル変更指示なしのランダムアクセスレスポンスを端末１１０へ送信する（ステップＳ５０５）。つぎに、基地局１２０は、ランダムアクセス手順におけるメッセージ３を端末１１０から受信する（ステップＳ５０６）。つぎに、基地局１２０は、ランダムアクセス手順におけるメッセージ４を端末１１０へ送信し（ステップＳ５０７）、一連の処理を終了する。
【００５９】
ステップＳ５０４において、接続を受け入れない場合（ステップＳ５０４：Ｎｏ）は、基地局１２０は、接続セル変更指示ありのランダムアクセスレスポンスを端末１１０へ送信し（ステップＳ５０８）、一連の処理を終了する。この場合に、端末１１０は、接続先のセルを変更してランダムアクセスプリアンブルを送信し直すが、変更後の接続先のセルが基地局１２０のセルであれば、基地局１２０が再度、ステップＳ５０３以降の処理を行うことになる。
【００６０】
このように、基地局１２０は、ランダムアクセスプリアンブルを端末１１０から受信した際の、該ランダムアクセスプリアンブルの送信先のセルにおける負荷状況に応じて接続を受け入れるか否かを判断する。そして、基地局１２０は、受け入れないと判断した場合は、接続セル変更指示ありのランダムアクセスレスポンスを端末１１０へ送信する。これにより、各セルの負荷状況に応じたセル間の負荷分散を行うことができる。
【００６１】
（実施の形態１にかかる端末）
図６は、実施の形態１にかかる端末の一例を示す図である。図６に示すように、実施の形態１にかかる端末１１０は、たとえば、受信アンテナ６０１と、受信部６０２と、受信信号処理部６０３と、制御部６０４と、送信信号生成部６０５と、送信部６０６と、送信アンテナ６０７と、を備える。
【００６２】
受信アンテナ６０１は、基地局１２０から無線送信された信号を受信し、受信した信号を受信部６０２へ出力する。受信部６０２は、受信アンテナ６０１から出力された信号の受信処理を行う。受信部６０２による受信処理には、たとえば、増幅、ＲＦ（Ｒａｄｉｏ  Ｆｒｅｑｕｅｎｃｙ：高周波）帯からベースバンド帯への周波数変換、アナログ信号からデジタル信号への変換などが含まれる。受信部６０２は、受信処理を行った信号を受信信号処理部６０３へ出力する。
【００６３】
受信信号処理部６０３は、受信部６０２から出力された信号に対して復調や復号などの処理を行う。そして、受信信号処理部６０３は、復調や復号などの処理によって得られた信号を制御部６０４へ出力する。
【００６４】
制御部６０４は、端末１１０における通信を制御する。たとえば、制御部６０４は、送信信号生成部６０５を制御し、基地局１２０へのランダムアクセス手順を行う。また、制御部６０４は、受信信号処理部６０３から出力された信号に含まれる、ランダムアクセス手順におけるメッセージ２やメッセージ４などの各メッセージを取得する。そして、制御部６０４は、取得したメッセージに含まれる接続セル変更指示やプリファラブルセルＩＤのリストに基づいて、ランダムアクセス手順による接続先のセルを変更する。
【００６５】
送信信号生成部６０５は、制御部６０４からの制御により、端末１１０が送信すべき信号を生成する。たとえば、送信信号生成部６０５は、制御部６０４から出力される信号を符号化し、符号化した信号に基づく変調を行うことで送信すべき信号を生成する。送信信号生成部６０５が生成する信号には、たとえばランダムアクセス手順におけるメッセージ１やメッセージ３などが含まれる。送信信号生成部６０５は、生成した信号を送信部６０６へ出力する。
【００６６】
送信部６０６は、送信信号生成部６０５から出力された信号の送信処理を行い、送信処理を行った信号を送信アンテナ６０７へ出力する。送信部６０６による送信処理には、たとえば、デジタル信号からアナログ信号への変換、ベースバンド帯からＲＦ帯への周波数変換、増幅などが含まれる。送信アンテナ６０７は、送信部６０６から出力された信号を基地局１２０へ無線送信する。
【００６７】
端末１１０において、基地局１２０へランダムアクセスプリアンブルを送信する送信部は、送信信号生成部６０５、送信部６０６および送信アンテナ６０７により実現することができる。また、端末１１０において、ランダムアクセスプリアンブルに対する基地局１２０からの応答信号（ランダムアクセスレスポンス）を受信する受信部は、受信アンテナ６０１、受信部６０２および受信信号処理部６０３により実現することができる。
【００６８】
図７は、実施の形態１にかかる端末のハードウェア構成の一例を示す図である。図６に示した端末１１０は、たとえば図７に示す通信装置７００により実現することができる。通信装置７００は、ＣＰＵ７０１と、メモリ７０２と、ユーザインタフェース７０３と、無線通信インタフェース７０４と、を備える。ＣＰＵ７０１、メモリ７０２、ユーザインタフェース７０３および無線通信インタフェース７０４は、バス７０９によって接続される。
【００６９】
ＣＰＵ７０１（Ｃｅｎｔｒａｌ  Ｐｒｏｃｅｓｓｉｎｇ  Ｕｎｉｔ）は、通信装置７００の全体の制御を司る。メモリ７０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ７０１のワークエリアとして使用される。補助メモリは、たとえば磁気ディスク、フラッシュメモリなどの不揮発メモリである。補助メモリには、通信装置７００を動作させる各種のプログラムが記憶されている。補助メモリに記憶されたプログラムは、メインメモリにロードされてＣＰＵ７０１によって実行される。
【００７０】
ユーザインタフェース７０３は、たとえば、ユーザからの操作入力を受け付ける入力デバイスや、ユーザへ情報を出力する出力デバイスなどを含む。入力デバイスは、たとえばキー（たとえばキーボード）やリモコンなどにより実現することができる。出力デバイスは、たとえばディスプレイやスピーカなどにより実現することができる。また、タッチパネルなどによって入力デバイスおよび出力デバイスを実現してもよい。ユーザインタフェース７０３は、ＣＰＵ７０１によって制御される。
【００７１】
無線通信インタフェース７０４は、無線によって通信装置７００の外部（たとえば基地局１２０や他の端末）との間で通信を行う通信インタフェースである。無線通信インタフェース７０４は、ＣＰＵ７０１によって制御される。
【００７２】
図６に示した受信アンテナ６０１、受信部６０２、送信部６０６および送信アンテナ６０７は、たとえば無線通信インタフェース７０４により実現することができる。図６に示した受信信号処理部６０３、制御部６０４および送信信号生成部６０５は、たとえばＣＰＵ７０１により実現することができる。
【００７３】
（実施の形態１にかかる基地局）
図８は、実施の形態１にかかる基地局の一例を示す図である。図８に示すように、実施の形態１にかかる基地局１２０は、負荷状況取得部８０１と、受信アンテナ８０２と、受信部８０３と、受信信号処理部８０４と、制御部８０５と、送信信号生成部８０６と、送信部８０７と、送信アンテナ８０８と、を備える。
【００７４】
負荷状況取得部８０１は、基地局１２０の各セルにおける負荷状況を示す負荷情報を取得する。負荷情報は、上述したセルの負荷状況を示す各種の情報である。たとえば、負荷状況取得部８０１は、自局のセルについての負荷情報を、たとえば自局のスケジューリング処理に基づいて取得することができる。また、負荷状況取得部８０１は、他局のセルについての負荷情報を、基地局間インタフェースを介して他局から取得することができる。基地局間インタフェースには、たとえばＸ２インタフェースを用いることができる。負荷状況取得部８０１は、取得した負荷情報を制御部８０５へ出力する。
【００７５】
受信アンテナ８０２は、端末１１０から無線送信された信号を受信し、受信した信号を受信部８０３へ出力する。受信部８０３は、受信アンテナ８０２から出力された信号の受信処理を行う。受信部８０３による受信処理には、たとえば、増幅、ＲＦ帯からベースバンド帯への周波数変換、アナログ信号からデジタル信号への変換などが含まれる。受信部８０３は、受信処理を行った信号を受信信号処理部８０４へ出力する。
【００７６】
受信信号処理部８０４は、受信部８０３から出力された信号に対して復調や復号などの処理を行う。そして、受信信号処理部８０４は、復調や復号などの処理によって得られた信号を制御部８０５へ出力する。
【００７７】
制御部８０５は、基地局１２０における通信を制御する。たとえば、制御部８０５は、負荷状況取得部８０１から出力された負荷情報に基づいて、プリファラブルセルを選択する。また、制御部８０５は、端末１１０からのランダムアクセスプリアンブルを受信した場合に、端末１１０からの接続を受け入れるか否かを負荷情報に基づいて判断する。
【００７８】
また、制御部８０５は、受信信号処理部８０４から出力された信号に含まれる、ランダムアクセス手順における各メッセージに対して、送信信号生成部８０６を制御して各応答メッセージを送信する。また、端末１１０からのランダムアクセスプリアンブルに対して端末１１０からの接続を受け入れない場合は、制御部８０５は、ランダムアクセスプリアンブルに対するランダムアクセスレスポンスに接続セル変更指示やプリファラブルセルＩＤのリストを格納する。
【００７９】
送信信号生成部８０６は、制御部８０５からの制御により、基地局１２０が送信すべき信号を生成する。たとえば、送信信号生成部８０６は、制御部８０５から出力される信号を符号化し、符号化した信号に基づく変調を行うことで送信すべき信号を生成する。送信信号生成部８０６が生成する信号には、たとえばランダムアクセス手順におけるメッセージ２やメッセージ４などが含まれる。送信信号生成部８０６は、生成した信号を送信部８０７へ出力する。
【００８０】
送信部８０７は、送信信号生成部８０６から出力された信号の送信処理を行う。送信部８０７による送信処理には、たとえば、デジタル信号からアナログ信号への変換、ベースバンド帯からＲＦ帯への周波数変換、増幅などが含まれる。送信部８０７は、送信処理を行った信号を送信アンテナ８０８へ出力する。送信アンテナ８０８は、送信部８０７から出力された信号を端末１１０へ無線送信する。
【００８１】
基地局１２０において、端末１１０からのランダムアクセスプリアンブルを受信する受信部は、受信アンテナ８０２、受信部８０３および受信信号処理部８０４により実現することができる。また、基地局１２０において、ランダムアクセスプリアンブルに対する応答信号（ランダムアクセスレスポンス）を送信する送信部は、送信信号生成部８０６、送信部８０７および送信アンテナ８０８により実現することができる。
【００８２】
図９は、実施の形態１にかかる基地局のハードウェア構成の一例を示す図である。図８に示した基地局１２０は、たとえば図９に示す通信装置９００により実現することができる。通信装置９００は、ＣＰＵ９０１と、メモリ９０２と、無線通信インタフェース９０３と、有線通信インタフェース９０４と、を備える。ＣＰＵ９０１、メモリ９０２、無線通信インタフェース９０３および有線通信インタフェース９０４は、バス９０９によって接続される。
【００８３】
ＣＰＵ９０１は、通信装置９００の全体の制御を司る。メモリ９０２には、たとえばメインメモリおよび補助メモリが含まれる。メインメモリは、たとえばＲＡＭである。メインメモリは、ＣＰＵ９０１のワークエリアとして使用される。補助メモリは、たとえば磁気ディスク、光ディスク、フラッシュメモリなどの不揮発メモリである。補助メモリには、通信装置９００を動作させる各種のプログラムが記憶されている。補助メモリに記憶されたプログラムは、メインメモリにロードされてＣＰＵ９０１によって実行される。
【００８４】
無線通信インタフェース９０３は、無線によって通信装置９００の外部（たとえば端末１１０）との間で通信を行う通信インタフェースである。無線通信インタフェース９０３は、ＣＰＵ９０１によって制御される。
【００８５】
有線通信インタフェース９０４は、有線によって通信装置９００の外部（たとえば基地局１２０の上位局や他の基地局）との間で通信を行う通信インタフェースである。有線通信インタフェース９０４は、ＣＰＵ９０１によって制御される。有線通信インタフェース９０４には、たとえばＳ１インタフェースやＸ２インタフェースが含まれる。
【００８６】
図８に示した負荷状況取得部８０１は、たとえばＣＰＵ９０１や有線通信インタフェース９０４により実現することができる。図８に示した受信信号処理部８０４、制御部８０５および送信信号生成部８０６は、たとえばＣＰＵ９０１により実現することができる。図８に示した送信部８０７、送信アンテナ８０８、受信アンテナ８０２および受信部８０３は、たとえば無線通信インタフェース９０３により実現することができる。
【００８７】
（実施の形態１におけるランダムアクセスレスポンスへの接続セル変更指示の格納例１）
図１０および図１１は、実施の形態１におけるランダムアクセスレスポンスへの接続セル変更指示の格納例１を示す図である。たとえば図３に示したステップＳ３０４において、基地局１２０は、ランダムアクセスレスポンスとして図１０に示すランダムアクセスレスポンス１０００を端末１１０へ送信する。ランダムアクセスレスポンス１０００は、ＭＡＣヘッダ１０１０と、ＭＡＣペイロード１０２０と、パディング１０３０と、を含む。
【００８８】
ＭＡＣペイロード１０２０は、ｎ個のＭＡＣランダムアクセスレスポンス（ＭＡＣ  ＲＡＲ１〜ＭＡＣ  ＲＡＲｎ）が含まれている。ｎ個のＭＡＣランダムアクセスレスポンスは、基地局１２０が同時期に受信した各ランダムアクセスプリアンブルに対するランダムアクセスレスポンスである。
【００８９】
図１１に示すＭＡＣランダムアクセスレスポンス１１００は、ＭＡＣペイロード１０２０に含まれるＭＡＣ  ＲＡＲ１〜ＭＡＣ  ＲＡＲｎに含まれる１つのＭＡＣランダムアクセスレスポンスである。Ｒビット１１０１は、ＭＡＣランダムアクセスレスポンス１１００に含まれるリザーブドビットである。３ＧＰＰにおいては、Ｒビット１１０１は“０”に設定されることが記載されている。
【００９０】
基地局１２０は、上述した接続セル変更指示として、たとえばＲビット１１０１＝“１”をＭＡＣランダムアクセスレスポンス１１００に格納する。すなわち、基地局１２０は、端末１１０に対して接続セルの変更を指示しない場合はＲビット１１０１＝“０”としたＭＡＣランダムアクセスレスポンス１１００を含むランダムアクセスレスポンス１０００を端末１１０へ送信する。
【００９１】
また、基地局１２０は、端末１１０に対して接続セルの変更を指示する場合はＲビット１１０１＝“１”としたＭＡＣランダムアクセスレスポンス１１００を含むランダムアクセスレスポンス１０００を端末１１０へ送信する。また、基地局１２０は、この場合に、ＭＡＣランダムアクセスレスポンス１１００の残りのフィールドに、プリファラブルセルＩＤのリストを格納してもよい。図１１に示す例では、プリファラブルセルのリストとして、それぞれ９ビットの第１〜第５プリファラブルセルＩＤがＭＡＣランダムアクセスレスポンス１１００に格納されている。
【００９２】
端末１１０は、基地局１２０から受信したランダムアクセスレスポンス１０００に含まれるＭＡＣランダムアクセスレスポンス１１００のＲビット１１０１が“０”であった場合はランダムアクセス手順を継続してメッセージ３を基地局１２０へ送信する。また、端末１１０は、基地局１２０から受信したランダムアクセスレスポンス１０００に含まれるＭＡＣランダムアクセスレスポンス１１００のＲビット１１０１が“１”であった場合は、接続先セルを変更してランダムアクセス手順をやり直す。すなわち、端末１１０は、変更後のセルに対してメッセージ１を送信する。
【００９３】
このように、基地局１２０は、ランダムアクセスレスポンス１０００のＭＡＣランダムアクセスレスポンス１１００（ペイロード）におけるリザーブドビット（Ｒビット１１０１）に、接続セル変更指示を格納することができる。これにより、新たな制御信号や制御信号の領域を追加しなくても、接続セル変更指示を端末１１０へ送信することができる。
【００９４】
また、基地局１２０は、ＭＡＣランダムアクセスレスポンス１１００におけるＲビット１１０１に接続セル変更指示を格納する場合に、ＭＡＣランダムアクセスレスポンス１１００のうちのＲビット１１０１とは異なる領域に、プリファラブルセルＩＤを格納する。これにより、新たな制御信号や制御信号の領域を追加しなくても、プリファラブルセルＩＤを端末１１０へ送信することができる。
【００９５】
（実施の形態１におけるランダムアクセスレスポンスへの接続セル変更指示の格納例２）
図１２は、実施の形態１におけるランダムアクセスレスポンスへの接続セル変更指示の格納例２を示す図である。図１２に示すＭＡＣサブヘッダ１２００は、図１０に示したランダムアクセスレスポンス１０００のＭＡＣヘッダ１０１０に含まれるＥ／Ｔ／Ｒ／Ｒ／ＢＩ  ＭＡＣサブヘッダ（バックオフインジケータサブヘッダ）である。
【００９６】
Ｅ／Ｔ／Ｒ／Ｒ／ＢＩ  ＭＡＣサブヘッダのＥフィールドは、拡張フィールド（Ｅｘｔｅｎｓｉｏｎ  ｆｉｅｌｄ）である。Ｅフィールドが“１”である場合は後続がＥ／Ｔ／ＲＡＰＩＤフィールドであり、Ｅフィールドが“０”である場合は、後続がＭＡＣ  ＲＡＲまたはパディングであることを示す。Ｅ／Ｔ／Ｒ／Ｒ／ＢＩ  ＭＡＣサブヘッダのＴフィールドは、タイプフィールド（Ｔｙｐｅ  ｆｉｅｌｄ）である。Ｔフィールドが“０”である場合はサブヘッダにＢＩが含まれていることを示し、Ｔフィールドが“１”である場合はサブヘッダにＲＡＰＩＤが含まれていることを示す。
【００９７】
基地局１２０は、たとえばＭＡＣサブヘッダ１２００のＲビット１２０１，１２０２（２ビット）を用いてランダムアクセスレスポンスに接続セル変更指示を格納してもよい。たとえば、基地局１２０は、端末１１０に対して接続セルの変更を指示しない場合は、Ｒビット１２０１，１２０２＝“００”としたＭＡＣサブヘッダ１２００を含むランダムアクセスレスポンス１０００を端末１１０へ送信する。この場合は、ＭＡＣサブヘッダ１２００は通常のバックオフインジケータを示す。
【００９８】
また、基地局１２０は、端末１１０に対して接続セルの変更を指示する場合は、Ｒビット１２０１，１２０２＝“１１”としたＭＡＣサブヘッダ１２００を含むランダムアクセスレスポンス１０００を端末１１０へ送信する。また、この場合に、基地局１２０は、ＭＡＣサブヘッダ１２００の４ビットのＢＩフィールド１２０３（Ｂａｃｋｏｆｆ  Ｉｎｄｉｃａｔｏｒ  フィールド）によって、他のセルを選択する確率を指定してもよい。たとえば、基地局１２０は、ＢＩフィールド１２０３の４ビットによって１６段階の確率（たとえば１／１６〜１６／１６）を指定する。
【００９９】
端末１１０は、ＢＩフィールド１２０３によって指定された確率に基づく抽選を行い、当選した場合は接続先のセルを変更してランダムアクセスプリアンブルを送信し直す。また、端末１１０は、当選しなかった場合は接続先のセルを変更せずにランダムアクセスプリアンブルを送信し直す。
【０１００】
また、基地局１２０は、ＢＩフィールド１２０３によって、プリファラブルセルＩＤの一部（たとえば下位４ビット）を示すようにしてもよい。この場合は、たとえばセルプランニングにより、各プリファラブルセルＩＤの一部が重複しないように各セルのＩＤを決定しておくことにより、プリファラブルセルＩＤの一部であってもプリファラブルセルを端末１１０に一意に指定することができる。
【０１０１】
また、現在の仕様では、バックオフインジケータサブヘッダは、ランダムアクセスレスポンスのＭＡＣ（Ｍｅｄｉａ  Ａｃｃｅｓｓ  Ｃｏｎｔｒｏｌ）  ＰＤＵ（Ｐｒｏｔｏｃｏｌ  Ｄａｔａ  Ｕｎｉｔ）の中に１つしか含むことができない。これに対して、たとえば拡張フィールド（Ｅｘｔｅｎｓｉｏｎ  ｆｉｅｌｄ）を用いることにより、ランダムアクセスレスポンスのＭＡＣ  ＰＤＵの中にｎ個（ｎは複数）のバックオフインジケータサブヘッダを含めることができるようにしてもよい。ｎは、ＲＡＰＩＤ（Ｒａｎｄｏｍ  Ａｃｃｅｓｓ  Ｐｒｅａｍｂｌｅ  Ｉｄｅｎｔｉｆｉｅｒ）の数に相当する。
【０１０２】
このように、基地局１２０は、ランダムアクセスレスポンス１０００のＭＡＣ  ＰＤＵのＥ／Ｔ／Ｒ／Ｒ／ＢＩ  ＭＡＣサブヘッダにおける２ビットのＲビット１２０１，１２０２に接続セル変更指示を格納することができる。これにより、新たな制御信号や制御信号の領域を追加しなくても、接続セル変更指示を端末１１０へ送信することができる。
【０１０３】
また、基地局１２０は、Ｒビット１２０１，１２０２に接続セル変更指示を格納する場合に、Ｅ／Ｔ／Ｒ／Ｒ／ＢＩ  ＭＡＣサブヘッダのＢＩフィールド１２０３（Ｂａｃｋｏｆｆ  Ｉｎｄｉｃａｔｏｒ  ｆｉｅｌｄ）に、接続セルを変更する確率を示す情報を格納する。ＢＩフィールド１２０３は、セルのオーバーロード状況を示す情報である。この場合に、端末１１０は、該確率を示す情報に基づいて接続先セルの変更を行い、変更後の接続先セルへランダムアクセスプリアンブルを送信し直す。これにより、端末１１０に対して接続先セルを変更させるか否かを、基地局１２０において判断しなくてもセル間の負荷分散を行うことができる。
【０１０４】
また、基地局１２０は、Ｒビット１２０１，１２０２に接続セル変更指示を格納する場合に、Ｅ／Ｔ／Ｒ／Ｒ／ＢＩ  ＭＡＣサブヘッダのＢＩフィールド１２０３にプリファラブルセルＩＤの一部を格納してもよい。この場合に、端末１１０は、該プリファラブルセルＩＤの一部に基づいてプリファラブルセルを特定し、特定したプリファラブルセルへのランダムアクセスプリアンブルを送信する。これにより、新たな制御信号や制御信号の領域を追加しなくても、接続セル変更指示を端末１１０へ送信することができる。
【０１０５】
（実施の形態１におけるランダムアクセスレスポンスへの接続セル変更指示の格納例３）
図１３および図１４は、実施の形態１におけるランダムアクセスレスポンスへの接続セル変更指示の格納例３を示す図である。図１３に示すＭＡＣランダムアクセスレスポンス１３００は、図１０に示したランダムアクセスレスポンス１０００のＭＡＣペイロード１０２０に含まれるＭＡＣ  ＲＡＲ１〜ＭＡＣ  ＲＡＲｎに含まれる１つのＭＡＣランダムアクセスレスポンスである。
【０１０６】
ただし、図１３に示すＭＡＣランダムアクセスレスポンス１３００は、図１１に示したＭＡＣランダムアクセスレスポンス１１００と異なり、Ｒビット１１０１は通常のランダムアクセスレスポンスのように“０”に設定される。図１４に示すＵＬグラント１３０１（Ｕｐ  Ｌｉｎｋ  Ｇｒａｎｔ）は、ＭＡＣランダムアクセスレスポンス１３００のＵＬグラント１３０１である。
【０１０７】
ＵＬグラント１３０１のＣＳＩリクエスト１４０１（Ｃｈａｎｎｅｌ  Ｓｔａｔｅ  Ｉｎｆｏｒｍａｔｉｏｎ  Ｒｅｑｕｅｓｔ）は、コンテンションベースのランダムアクセスにおいてはリザーブとなっている。基地局１２０は、たとえばＵＬグラント１３０１のＣＳＩリクエスト１４０１を用いてランダムアクセスレスポンスに接続セル変更指示を格納してもよい。
【０１０８】
たとえば、基地局１２０は、端末１１０に対して接続セルの変更を指示しない場合は、ＣＳＩリクエスト１４０１＝“０”としたＵＬグラント１３０１を含むランダムアクセスレスポンス１０００を端末１１０へ送信する。
【０１０９】
また、基地局１２０は、端末１１０に対して接続セルの変更を指示する場合は、ＣＳＩリクエスト１４０１＝“１”としたＵＬグラント１３０１を含むランダムアクセスレスポンス１０００を端末１１０へ送信する。この場合に、端末１１０は、たとえば、ＭＡＣランダムアクセスレスポンス１３００のうちのＣＳＩリクエスト１４０１とは異なるフィールドは無視する。
【０１１０】
また、基地局１２０は、端末１１０に対して接続セルの変更を指示する場合は、ＵＬグラント１３０１のうちのＣＳＩリクエスト１４０１と異なるフィールド（１９ビット）にプリファラブルセルＩＤ（９ビット×２個＋パディング）を格納してもよい。
【０１１１】
また、基地局１２０は、端末１１０に対して接続セルの変更を指示する場合は、ＵＬグラント１３０１の全ビットを“１”とすることにより、ランダムアクセスレスポンス１０００に接続セル変更指示を格納してもよい。すなわち、基地局１２０は、端末１１０に対して接続セルの変更を指示しない場合は、たとえば図１４に示す各フィールドの情報を格納したＵＬグラント１３０１を含むランダムアクセスレスポンス１０００を端末１１０へ送信する。また、基地局１２０は、端末１１０に対して接続セルの変更を指示する場合は、全ビットを“１”としたＵＬグラント１３０１を含むランダムアクセスレスポンス１０００を端末１１０へ送信する。
【０１１２】
このように、基地局１２０は、ランダムアクセスレスポンスのＭＡＣランダムアクセスレスポンス１３００（ペイロード）におけるＵＬグラント１３０１のＣＳＩリクエスト１４０１に接続セル変更指示を格納することができる。これにより、新たな制御信号や制御信号の領域を追加しなくても、接続セル変更指示を端末１１０へ送信することができる。
【０１１３】
（実施の形態１におけるランダムアクセスレスポンスへの接続セル変更指示の格納例４）
基地局１２０は、既存のＭＡＣのランダムアクセスレスポンスに新たなフィールドを設け、該フィールドに接続セル変更指示やプリファラブルセルＩＤを格納してもよい。
【０１１４】
この場合は、基地局１２０がランダムアクセスレスポンスに接続セル変更指示を格納する場合にも、既存のランダムアクセスレスポンスの各情報を維持することができる。このため、端末１１０は、接続セル変更指示を含むランダムアクセスレスポンスを受信した場合は、ランダムアクセスレスポンスに含まれるＴＡコマンド（Ｔｉｍｉｎｇ  Ａｄｖａｎｃｅ  ｃｏｍｍａｎｄ）、ＵＬグラント、Ｔ−ＣＲＮＴＩ（Ｔｅｍｐｏｒａｒｙ−Ｃｅｌｌ  Ｒａｄｉｏ  Ｎｅｔｗｏｒｋ  Ｔｅｍｐｏｒａｒｙ  Ｉｄｅｎｔｉｆｉｅｒ）などの情報を用いて、変更した接続先のセルに対してメッセージ３を送信してもよい。
【０１１５】
たとえば、端末１１０は、セル＃１からの受信タイミングとセル＃２からの受信タイミングが同じである場合は、セル＃１から受信したランダムアクセスレスポンスに含まれるＴＡコマンドを使用してセル＃２へメッセージ３を送信する。また、端末１１０は、セル＃１からの受信タイミングとセル＃２からの受信タイミングが異なる場合は、セル＃２に対してランダムアクセスプリアンブルを送信し直す。
【０１１６】
このように、基地局１２０は、ランダムアクセスレスポンスに設けた新たなフィールドを設けて接続セル変更指示を格納する。これにより、接続セル変更指示と、ランダムアクセスレスポンスを受信した端末１１０が基地局１２０へスケジュールドトランスミッションを送信するための情報と、を含むランダムアクセスレスポンスを端末１１０へ送信することができる。スケジュールドトランスミッションを送信するための情報には、たとえばＴＡコマンド、ＵＬグラント、Ｔ−ＣＲＮＴＩなどが含まれる。
【０１１７】
この場合に、端末１１０は、スケジュールドトランスミッションを送信するための情報に基づいて、変更後の接続先セルへスケジュールドトランスミッション（メッセージ３）を送信する。これにより、端末１１０は、変更後の接続先セルへランダムアクセスプリアンブルを送信しなくてもよく、変更後の接続先セルも端末１１０へランダムアクセスレスポンスを送信しなくてもよい。このため、端末１１０の接続先セルを変更する場合の制御信号の送受信を減らすことができる。
【０１１８】
（実施の形態１におけるバックワードコンパチビリティの実施例）
図１５および図１６は、実施の形態１におけるバックワードコンパチビリティの一例を示す図である。図１５，図１６に示す例では、たとえば図１０，図１１に示した例のように、Ｒビット１１０１＝“１”とすることによってランダムアクセスレスポンスに接続セル変更指示を格納する場合について説明する。
【０１１９】
図１５により、端末１１０と基地局１２０との間のランダムアクセスについて説明する。まず、端末１１０が、基地局１２０のセル＃１へメッセージ１（ＭＳＧ１）を送信する（ステップＳ１５０１）。つぎに、基地局１２０のセル＃１が、端末１１０へメッセージ２（ＭＳＧ２）を送信する（ステップＳ１５０２）。
【０１２０】
また、基地局１２０のセル＃１は、ステップＳ１５０２において、メッセージ２としてランダムアクセスレスポンス１５００を送信する。ランダムアクセスレスポンス１５００は、ヘッダ１５１１，１５１２と、それぞれメッセージ２に対応するメッセージ１５２１，１５２２と、を含む。
【０１２１】
ヘッダ１５１１は、メッセージ１５２１に対応するヘッダである。ヘッダ１５１１の第１ビット（エクステンション）は“１”であり、ヘッダ１５１１の後にヘッダ（ヘッダ１５１２）が続くことを示している。ヘッダ１５１１の第２ビット（タイプフィールド）は“１”であり、ＭＡＣランダムアクセスレスポンスであることを示している。ヘッダ１５１１の第３〜第８ビットは、基地局１２０が受信したランダムアクセスプリアンブルのＩＤ（ＲＡＰＩＤ）である。
【０１２２】
ヘッダ１５１２は、メッセージ１５２２に対応するヘッダである。ヘッダ１５１２の第１ビット（エクステンション）は“０”であり、ヘッダ１５１２の後にヘッダが続かないことを示している。ヘッダ１５１２の第２ビット（タイプフィールド）は“１”であり、ＭＡＣランダムアクセスレスポンスであることを示している。ヘッダ１５１２の第３〜第８ビットは、基地局１２０が受信したランダムアクセスプリアンブルのＩＤ（ＲＡＰＩＤ）である。ヘッダ１５１２の第３〜第８ビットは、ヘッダ１５１１の第３〜第８ビットと同一のＩＤである。
【０１２３】
メッセージ１５２１は、たとえば図１１に示したように、先頭のＲビットに“１”が設定されることにより接続セル変更指示を示し、残りのフィールドにプリファラブルセルＩＤのリストが格納されたメッセージ２である。メッセージ１５２２は、接続セル変更指示およびプリファラブルセルＩＤを含まない通常のメッセージ２であり、ＴＡコマンド、ＵＬグラント、Ｔ−ＣＲＮＴＩなどを含む。
【０１２４】
これに対して、実施の形態１にかかる端末１１０は、図１５に示すように、メッセージ１５２１，１５２２を含むランダムアクセスレスポンス１５００を受信すると、メッセージ１５２１に基づいて接続セルを選択し直してランダムアクセス手順をやり直す。たとえば、端末１１０は、新たな接続セルとして基地局１２０のセル＃２を選択し、セル＃２へメッセージ１（ＭＳＧ１）を送信する（ステップＳ１５０３）。
【０１２５】
図１６により、レガシ端末１６１０と基地局１２０との間のランダムアクセスについて説明する。レガシ端末１６１０は、ランダムアクセスレスポンスに含まれる接続セル変更指示を認識しない従来の端末である。図１６において、図１５に示した部分と同様の部分については同一の符号を付して説明を省略する。
【０１２６】
まず、レガシ端末１６１０が、基地局１２０のセル＃１へメッセージ１（ＭＳＧ１）を送信する（ステップＳ１６０１）。つぎに、基地局１２０のセル＃１が、レガシ端末１６１０へメッセージ２（ＭＳＧ２）を送信する（ステップＳ１６０２）。ステップＳ１６０２によって送信されるメッセージ２は、図１５に示した例と同様のランダムアクセスレスポンス１５００である。
【０１２７】
これに対して、レガシ端末１６１０は、メッセージ１５２１，１５２２を含むランダムアクセスレスポンス１５００を受信すると、メッセージ１５２１のＲビットが“１”であり無効であるため、メッセージ１５２１を無視する。そして、レガシ端末１６１０は、メッセージ１５２２に従ってランダムアクセス手順を継続し、基地局１２０のセル＃１へメッセージ３（ＭＳＧ３）を送信する（ステップＳ１６０３）。
【０１２８】
このように、基地局１２０は、たとえば、実施の形態１にかかるメッセージ２と通常のメッセージ２とを同時に送信する。これにより、バックワードコンパチビリティを実現することができる。
【０１２９】
図１７および図１８は、実施の形態１におけるバックワードコンパチビリティの他の例を示す図である。図１７，図１８において、図１５，図１６に示した部分と同様の部分については同一の符号を付して説明を省略する。図１７により、端末１１０と基地局１２０との間のランダムアクセスについて説明する。まず、端末１１０が、基地局１２０のセル＃１へメッセージ１（ＭＳＧ１）を送信する（ステップＳ１７０１）。
【０１３０】
つぎに、基地局１２０のセル＃１が、メッセージ２（ＭＳＧ２）としてヘッダ１５１１およびメッセージ１５２１を含むメッセージを送信する（ステップＳ１７０２）。図１７に示す例では、ヘッダ１５１１の第１ビット（エクステンション）は“０”であり、ヘッダ１５１１の後にヘッダが続かないことを示している。また、基地局１２０のセル＃１が、メッセージ２（ＭＳＧ２）としてヘッダ１５１２およびメッセージ１５２２を含むメッセージを送信する（ステップＳ１７０３）。
【０１３１】
これに対して、実施の形態１にかかる端末１１０は、図１７に示すように、先に受信したメッセージ１５２１に従い、接続セルを選択し直してランダムアクセス手順をやり直す。たとえば、端末１１０は、新たな接続セルとして基地局１２０のセル＃２を選択し、セル＃２へメッセージ１（ＭＳＧ１）を送信する（ステップＳ１７０４）。
【０１３２】
図１８により、レガシ端末１６１０と基地局１２０との間のランダムアクセスについて説明する。まず、レガシ端末１６１０が、基地局１２０のセル＃１へメッセージ１（ＭＳＧ１）を送信する（ステップＳ１８０１）。
【０１３３】
つぎに、基地局１２０のセル＃１が、メッセージ２（ＭＳＧ２）としてヘッダ１５１１およびメッセージ１５２１を含むメッセージを送信する（ステップＳ１８０２）。つぎに、基地局１２０のセル＃１が、メッセージ２（ＭＳＧ２）としてヘッダ１５１２およびメッセージ１５２２を含むメッセージを送信する（ステップＳ１８０３）。
【０１３４】
これに対して、レガシ端末１６１０は、先に受信したメッセージ１５２１のＲビットが“１”であり無効であるため、メッセージ１５２１を無視する。そして、レガシ端末１６１０は、つぎに受信したメッセージ１５２２に従ってランダムアクセス手順を継続し、基地局１２０のセル＃１へメッセージ３（ＭＳＧ３）を送信する（ステップＳ１８０４）。
【０１３５】
このように、基地局１２０は、実施の形態１にかかるメッセージ２と従来のメッセージ２とを別々に送信してもよい。これにより、バックワードコンパチビリティを実現することができる。
【０１３６】
（実施の形態１にかかる無線通信システムの他の例）
図１９は、実施の形態１にかかる無線通信システムの他の例を示す図である。図１９において、図１に示した部分と同様の部分については同一の符号を付して説明を省略する。図１９に示すように、無線通信システム１００は、マクロセル１９０１のエリア内にスモールセル１９０２，１９０３が形成される構成であってもよい。図１９に示す例では、基地局１２０は、マクロセル１９０１を形成するマクロ基地局である。マクロセル１９０１は、周波数ｆ１のセルである。
【０１３７】
基地局１９１１，１９１２は、たとえば、マクロセル１９０１のエリア内にスモールセル１９０２，１９０３を形成するスモール基地局である。スモールセル１９０２，１９０３のそれぞれは、たとえば周波数ｆ１と異なる周波数ｆ２のセルである。マクロセル１９０１およびスモールセル１９０２，１９０３の各セルＩＤは異なるＩＤである。
【０１３８】
この場合は、基地局１２０は、基地局間インタフェースを経由して基地局１９１１，１９１２からそれぞれスモールセル１９０２，１９０３の負荷状況を示す負荷情報を取得する。そして、基地局１２０は、自局のマクロセル１９０１の負荷情報と、基地局１９１１，１９１２から取得した負荷情報と、に基づいて、マクロセル１９０１およびスモールセル１９０２，１９０３の中から端末１１０のプリファラブルセルを決定する。
【０１３９】
基地局１２０がマクロセル１９０１を形成する場合について説明したが、基地局１２０が複数のセルを形成する構成としてもよい。同様に、スモールセル１９０２，１９０３のそれぞれが、複数のセルを形成する構成としてもよい。
【０１４０】
また、図１９に示した構成において、基地局１９１１，１９１２に代えて、基地局１２０から地理的に離れた基地局１２０のアンテナやＲＲＨを設け、このアンテナやＲＲＨによってスモールセル１９０２，１９０３を形成する構成としてもよい。
【０１４１】
この場合は、基地局１２０は、基地局１２０のアンテナやＲＲＨが形成するスモールセル１９０２，１９０３の負荷状況を示す負荷情報を取得し、取得した負荷情報に基づいて端末１１０のプリファラブルセルを決定する。
【０１４２】
図１９においては端末１１０が基地局１２０との間でランダムアクセス手順を行った場合を示しているが、端末１１０が基地局１９１１との間でランダムアクセス手順を行った場合は基地局１９１１からランダムアクセスレスポンスが端末１１０へ送信される。同様に、端末１１０が基地局１９１２との間でランダムアクセス手順を行った場合は基地局１９１２からランダムアクセスレスポンスが端末１１０へ送信される。
【０１４３】
（実施の形態１にかかる無線通信システムのさらに他の例）
図２０は、実施の形態１にかかる無線通信システムのさらに他の例を示す図である。図２０において、図１に示した部分と同様の部分については同一の符号を付して説明を省略する。図２０に示すように、無線通信システム１００は、スモールセル２００１〜２００９が密に展開（形成）される構成であってもよい。図２０に示す例では、無線通信システム１００は、基地局２０１１〜２０１９を含む。
【０１４４】
基地局２０１１〜２０１９は、それぞれが上述した基地局１２０に対応する基地局であって、それぞれスモールセル２００１〜２００９を形成するスモール基地局である。図２０に示す例では、スモールセル２００１〜２００９は、いずれも周波数ｆ１のセルである。ただし、スモールセル２００１〜２００９の周波数は互いに異なっていてもよい。また、図２０に示したスモールセル２００１〜２００９に対して、たとえばさらにマクロセルが重複していてもよい。
【０１４５】
一例として、基地局２０１５が、端末１１０からのランダムアクセスプリアンブルを受信した場合について説明する。
【０１４６】
基地局２０１５は、基地局２０１５のスモールセル２００５と、基地局２０１５の近隣の基地局のセル（たとえばスモールセル２００１，２００２，２００４，２００６〜２００８）と、の負荷情報を取得する。基地局２０１５の近隣の基地局のセルの負荷情報は、たとえば基地局２０１５の近隣の基地局（たとえば基地局２０１１，２０１２，２０１４，２０１６〜２０１８）から基地局間インタフェースを経由して取得することができる。
【０１４７】
基地局２０１１〜２０１９がそれぞれスモールセル２００１〜２００９を形成する場合について説明したが、基地局２０１１〜２０１９がそれぞれ複数のスモールセルを形成する構成としてもよい。
【０１４８】
また、図２０に示した構成において、基地局２０１１〜２０１９に代えて、基地局１２０（マクロセル）から地理的に離れた基地局１２０のアンテナやＲＲＨを設け、このアンテナやＲＲＨによってスモールセル２００１〜２００９を形成する構成としてもよい。
【０１４９】
この場合は、基地局１２０は、基地局１２０のアンテナやＲＲＨが形成するスモールセル２００１〜２００９の負荷状況を示す負荷情報を取得し、取得した負荷情報に基づいて端末１１０のプリファラブルセルを決定する。
【０１５０】
以上、ランダムアクセスレスポンスにプリファラブルセルを格納する場合について説明した。これに対して、基地局１２０は、変更先のセルとして好ましくないアンフェボラブルセルを示すアンフェボラブルセルＩＤのリストをランダムアクセスレスポンスに格納してもよい。この場合は、端末１１０は、アンフェボラブルセルＩＤが示すセルとは異なるセルの信号を測定し、測定結果が所定の条件を満たすセルを新たな接続先のセルとして選択する。
【０１５１】
このように、実施の形態１にかかる無線通信システム１００によれば、基地局１２０が、ランダムアクセス手順におけるランダムアクセスレスポンスに接続セル変更指示を格納して送信することで、端末１１０の接続先セルを制御可能になる。これにより、各セルの負荷状況に応じたセル間の負荷分散を行うことができる。
【０１５２】
また、たとえばランダムアクセス手順におけるコンテンションレゾリューション（メッセージ４）に接続セル変更指示を格納して送信する場合に比べて、端末１１０の初期アクセスにおける早い段階で端末１１０に対して接続先のセルを変更させることができる。これにより、混雑しているセルでの制御信号の送受信を抑制することができる。このため、たとえば基地局１２０がランダムアクセスレスポンスを送信した直後の期間におけるセル間の負荷分散を行うことができる。
【０１５３】
また、上記において、基地局１２０が接続セル変更指示およびプリファラブルセルをランダムアクセスレスポンスに格納する場合について説明した。これに対して、基地局１２０は、端末１１０が優先的に接続を回避すべきセルの識別子および接続セル変更指示を含むランダムアクセスレスポンスを送信してもよい。以下、端末１１０が優先的に接続を回避すべきセルをアンフェボラブルセルと称し、アンフェボラブルセルの識別子をアンフェボラブルセルＩＤと称する。
【０１５４】
アンフェボラブルセルは、プリファラブルセルと同様に、各セルの負荷状況に応じて選択することができる。たとえば、プリファラブルセルが負荷の少ないセルであるのに対して、アンフェボラブルセルは負荷の多いセルとすることができる。
【０１５５】
この場合に、端末１１０は、接続可能なセルのうちのアンフェボラブルセルＩＤが示すアンフェボラブルセルと異なるセルが所定条件を満たす場合は、該異なるセルへの接続処理を行う。また、端末１１０は、該異なるセルが所定条件を満たさない場合は、該アンフェボラブルセルの少なくともいずれかへの接続処理を行う。これにより、アンフェボラブルセルＩＤが示すアンフェボラブルセルへの接続を優先的に回避することができる。
【０１５６】
このように、基地局１２０は、セルの負荷状況に応じて選択したアンフェボラブルセルＩＤをランダムアクセスレスポンスに格納することで、端末１１０を負荷の少ないセルへ接続させ、セル間の負荷分散を行うことができる。また、基地局１２０は、セルの負荷状況に応じて選択した複数のアンフェボラブルセルＩＤをランダムアクセスレスポンスに格納することで、端末１１０が負荷の少ないセルに接続できる可能性を高め、セル間の負荷分散を行うことができる。
【０１５７】
（実施の形態２）
実施の形態２について、実施の形態１と異なる部分について説明する。実施の形態１においては接続セル変更指示をランダムアクセスレスポンス（メッセージ２）に格納する場合について説明したが、実施の形態２においては接続セル変更指示をコンテンションレゾリューション（メッセージ４）に格納する場合について説明する。
【０１５８】
（実施の形態２にかかる無線通信システムの処理例１）
図２１は、実施の形態２にかかる無線通信システムの処理例１を示すシーケンス図である。実施の形態２にかかる無線通信システム１００においては、たとえば図２１に示す各ステップが実行される。
【０１５９】
まず、端末１１０が、基地局１２０のセル＃１を接続先として選択し、ランダムアクセス手順におけるメッセージ１（ＭＳＧ１）としてランダムアクセスプリアンブルを基地局１２０のセル＃１へ送信する（ステップＳ２１０１）。つぎに、基地局１２０のセル＃１が、ランダムアクセス手順におけるメッセージ２（ＭＳＧ２）としてランダムアクセスレスポンスを端末１１０へ送信する（ステップＳ２１０２）。
【０１６０】
つぎに、端末１１０が、ランダムアクセス手順におけるメッセージ３（ＭＳＧ３）としてスケジュールドトランスミッションを基地局１２０のセル＃１へ送信する（ステップＳ２１０３）。スケジュールドトランスミッションには、ＲＲＣコネクションの設定を要求するＲＲＣコネクションリクエストが含まれる。
【０１６１】
つぎに、基地局１２０のセル＃１が、ランダムアクセス手順におけるメッセージ４（ＭＳＧ４）としてコンテンションレゾリューションを端末１１０へ送信する（ステップＳ２１０４）。コンテンションレゾリューションには、たとえば新たに定義したＲＲＣコネクションリダイレクションが含まれる。
【０１６２】
図２１に示す例では、基地局１２０のセル＃１は、ステップＳ２１０４によって送信するコンテンションレゾリューションに含まれるＲＲＣコネクションリダイレクションに、上述した接続セル変更指示およびプリファラブルセルＩＤのリストを格納したとする。また、端末１１０は、ステップＳ２１０４によって受信したコンテンションレゾリューションのＲＲＣコネクションリダイレクションに含まれる接続セル変更指示に基づいて、接続先のセルをセル＃１からセル＃２に変更したとする。
【０１６３】
つぎに、端末１１０が、ランダムアクセス手順におけるメッセージ１（ＭＳＧ１）としてランダムアクセスプリアンブルを基地局１２０のセル＃２へ送信する（ステップＳ２１０５）。つぎに、基地局１２０のセル＃２が、ランダムアクセス手順におけるメッセージ２（ＭＳＧ２）としてランダムアクセスレスポンスを端末１１０へ送信する（ステップＳ２１０６）。つぎに、端末１１０が、ランダムアクセス手順におけるメッセージ３（ＭＳＧ３）としてスケジュールドトランスミッションを基地局１２０のセル＃２へ送信する（ステップＳ２１０７）。
【０１６４】
つぎに、基地局１２０のセル＃２が、ランダムアクセス手順におけるメッセージ４（ＭＳＧ４）としてコンテンションレゾリューションを端末１１０へ送信する（ステップＳ２１０８）。図２１に示す例では、基地局１２０のセル＃２は、ステップＳ２１０８によって送信するコンテンションレゾリューションでＲＲＣコネクションセットアップを送信したとする。この場合は、端末１１０による基地局１２０のセル＃２への接続が完了する。
【０１６５】
このように、基地局１２０は、ランダムアクセス手順におけるコンテンションレゾリューションに、接続セル変更指示およびプリファラブルセルＩＤのリストを格納する。これにより、変更後の接続先のセルにおける無線品質が接続の要件を満たす可能性を高くすることができる。また、端末１１０が変更後の接続先のセルへ送信したランダムアクセスプリアンブルが変更後の接続先のセルへ届かないケースの発生確率を減らすことができる。
【０１６６】
（実施の形態２にかかる無線通信システムの処理例１の詳細）
図２２は、実施の形態２にかかる無線通信システムの処理例１の詳細を示すシーケンス図である。図２２に示すステップＳ２２０１，Ｓ２２０２は、図３に示したステップＳ３０１，Ｓ３０２と同様である。図２２に示すステップＳ２２０３〜Ｓ２２０６は、図２１に示したステップＳ２１０１〜Ｓ２１０４と同様である。
【０１６７】
ステップＳ２２０７〜Ｓ２２１２は、図３に示したステップＳ３０５〜Ｓ３１０と同様である。ただし、ステップＳ２２０７において、端末１１０は、ステップＳ２２０６によって受信したコンテンションレゾリューションのＲＲＣコネクションリダイレクションに含まれる接続セル変更指示およびプリファラブルセルＩＤのリストに基づいて測定を行う。また、ステップＳ２２１１によって送信されるスケジュールドトランスミッションにはＲＲＣコネクションリクエストが含まれ、ステップＳ２２１２によって送信されるコンテンションレゾリューションにはＲＲＣコネクションセットアップが含まれる。
【０１６８】
ステップＳ２２１２のつぎに、端末１１０が、ステップＳ２２１２によって受信したコンテンションレゾリューションのＲＲＣコネクションセットアップに基づきＲＲＣコネクションの設定を行う。そして、端末１１０が、ＲＲＣコネクションセットアップコンプリートを基地局１２０のセル＃２へ送信する（ステップＳ２２１３）。
【０１６９】
図２１，図２２に示したように、基地局１２０は、たとえばコンテンションレゾリューションにおいて接続セル変更指示を格納するための専用のＲＲＣコネクションリダイレクションに接続セル変更指示を格納することができる。
【０１７０】
（実施の形態２にかかる無線通信システムの処理例２）
図２３は、実施の形態２にかかる無線通信システムの処理例２を示すシーケンス図である。実施の形態２にかかる無線通信システム１００においては、たとえば図２３に示す各ステップが実行されてもよい。図２３に示すステップＳ２３０１〜Ｓ２３０８は、図２１に示したステップＳ２１０１〜Ｓ２１０８と同様である。
【０１７１】
ただし、ステップＳ２３０４において、基地局１２０のセル＃１は、送信するコンテンションレゾリューションに、接続セル変更指示およびプリファラブルセルＩＤのリストを含むＲＲＣコネクションリジェクトを格納する。このように、基地局１２０は、端末１１０に対して接続先のセルを変更させる場合に、コンテンションレゾリューションに含まれるＲＲＣコネクションリジェクトに接続セル変更指示およびプリファラブルセルＩＤのリストを格納してもよい。
【０１７２】
（実施の形態２にかかる無線通信システムの処理例２の詳細）
図２４は、実施の形態２にかかる無線通信システムの処理例２の詳細を示すシーケンス図である。図２４に示すステップＳ２４０１〜Ｓ２４１３は、図２２に示したステップＳ２２０１〜Ｓ２２１３と同様である。ただし、ステップＳ２４０６において、基地局１２０のセル＃１は、送信するコンテンションレゾリューションのＲＲＣコネクションリジェクトに接続セル変更指示およびプリファラブルセルＩＤのリストを格納する。
【０１７３】
（実施の形態２にかかる無線通信システムの処理例２におけるＲＲＣコネクションリジェクト）
図２５は、実施の形態２にかかる無線通信システムの処理例２におけるＲＲＣコネクションリジェクトの一例を示す図である。基地局１２０は、上述したＲＲＣコネクションリジェクトとして、たとえば図２５に示すＲＲＣコネクションリジェクト２５００を送信する。ＲＲＣコネクションリジェクト２５００は、基地局１２０が送信するＲＲＣコネクションリジェクトのデータ構造をＡＳＮ．１（Ａｂｓｔｒａｃｔ  Ｓｙｎｔａｘ  Ｎｏｔａｔｉｏｎ  Ｏｎｅ）により示したものである。
【０１７４】
また、ＲＲＣコネクションリジェクト２５００は、３ＧＰＰのＴＳ３６．３３１において定義されたＲＲＣコネクションリジェクトに、符号２５０１，２５０２（下線部）に示す「ＣｏｎｎｅｃｔＣｅｌｌＭｏｄｉｆｙ」および「ｐｒｅｆｅｒａｂｌｅＣｅｌｌＩｄＬｉｓｔ」を追加したメッセージである。
【０１７５】
基地局１２０は、ＲＲＣコネクションリジェクト２５００の「ＣｏｎｎｅｃｔＣｅｌｌＭｏｄｉｆｙ」に接続セル変更指示を格納する。また、基地局１２０は、ＲＲＣコネクションリジェクト２５００の「ｐｒｅｆｅｒａｂｌｅＣｅｌｌＩｄＬｉｓｔ」にプリファラブルセルＩＤのリストを格納する。
【０１７６】
図２６は、実施の形態２にかかる無線通信システムの処理例２におけるＲＲＣコネクションリジェクトの他の例を示す図である。基地局１２０は、たとえば図２６に示すＲＲＣコネクションリジェクト２６００を送信してもよい。ＲＲＣコネクションリジェクト２６００は、基地局１２０が送信するＲＲＣコネクションリジェクトのデータ構造をＡＳＮ．１により示したものである。
【０１７７】
また、ＲＲＣコネクションリジェクト２６００は、３ＧＰＰのＴＳ３６．３３１において定義されたＲＲＣコネクションリジェクトの「ｎｏｎＣｒｉｔｉｃａｌＥｘｔｅｎｓｉｏｎ」に、符号２６０３（下線部）に示すように「ＲＲＣＣｏｎｎｅｃｔｉｏｎＲｅｊｅｃｔ−ｖ１３ｘｙ−ＩＥｓ」を追加し、その内容を符号２６０１，２６０２（下線部）に示すように「ＣｏｎｎｅｃｔＣｅｌｌＭｏｄｉｆｙ」および「ｐｒｅｆｅｒａｂｌｅＣｅｌｌＩｄＬｉｓｔ」にしたメッセージである。
【０１７８】
基地局１２０は、ＲＲＣコネクションリジェクト２６００の「ＣｏｎｎｅｃｔＣｅｌｌＭｏｄｉｆｙ」に接続セル変更指示を格納する。また、基地局１２０は、ＲＲＣコネクションリジェクト２６００の「ｐｒｅｆｅｒａｂｌｅＣｅｌｌＩｄＬｉｓｔ」にプリファラブルセルＩＤのリストを格納する。
【０１７９】
（実施の形態２にかかる無線通信システムの処理例３）
図２７は、実施の形態２にかかる無線通信システムの処理例３を示すシーケンス図である。実施の形態２にかかる無線通信システム１００においては、たとえば図２７に示す各ステップが実行されてもよい。図２７に示すステップＳ２７０１〜Ｓ２７０８は、図２３に示したステップＳ２３０１〜Ｓ２３０８と同様である。
【０１８０】
ただし、ステップＳ２７０４において、基地局１２０のセル＃１は、送信するコンテンションレゾリューションのＲＲＣコネクションセットアップに接続セル変更指示を格納する。また、基地局１２０のセル＃１は、ＲＲＣコネクションセットアップにさらにプリファラブルセルＩＤのリストを格納してもよい。
【０１８１】
端末１１０は、ステップＳ２７０４によって受信したコンテンションレゾリューションのＲＲＣコネクションセットアップに含まれる接続セル変更指示に基づいて、たとえば、接続先のセルをセル＃１から＃２に変更する。
【０１８２】
（実施の形態２にかかる無線通信システムの処理例３におけるＲＲＣコネクションセットアップ）
図２８は、実施の形態２にかかる無線通信システムの処理例３におけるＲＲＣコネクションセットアップの一例を示す図である。基地局１２０は、上述したＲＲＣコネクションセットアップとして、たとえば図２８に示すＲＲＣコネクションセットアップ２８００を送信する。ＲＲＣコネクションセットアップ２８００は、基地局１２０が送信するＲＲＣコネクションセットアップのデータ構造をＡＳＮ．１により示したものである。
【０１８３】
また、ＲＲＣコネクションセットアップ２８００は、３ＧＰＰのＴＳ３６．３３１において定義されたＲＲＣコネクションセットアップに、符号２８０１，２８０２（下線部）に示す「ＣｏｎｎｅｃｔＣｅｌｌＭｏｄｉｆｙ」および「ｐｒｅｆｅｒａｂｌｅＣｅｌｌＩｄＬｉｓｔ」を追加したメッセージである。
【０１８４】
基地局１２０は、ＲＲＣコネクションセットアップ２８００の「ＣｏｎｎｅｃｔＣｅｌｌＭｏｄｉｆｙ」に接続セル変更指示を格納する。また、基地局１２０は、ＲＲＣコネクションセットアップ２８００の「ｐｒｅｆｅｒａｂｌｅＣｅｌｌＩｄＬｉｓｔ」にプリファラブルセルＩＤのリストを格納する。
【０１８５】
図２９および図３０は、実施の形態２にかかる無線通信システムの処理例３におけるＲＲＣコネクションセットアップの他の例を示す図である。基地局１２０は、上述したＲＲＣコネクションセットアップとして、たとえば図２９に示すＲＲＣコネクションセットアップ２９００を送信してもよい。ＲＲＣコネクションセットアップ２９００は、基地局１２０が送信するＲＲＣコネクションセットアップのデータ構造をＡＳＮ．１により示したものである。
【０１８６】
また、ＲＲＣコネクションセットアップ２９００は、３ＧＰＰのＴＳ３６．３３１において定義されたＲＲＣコネクションセットアップに、符号２９０１（下線部）に示す「ＣｏｎｎｅｃｔＣｅｌｌＭｏｄｉｆｙ」を追加したメッセージである。基地局１２０は、ＲＲＣコネクションセットアップ２９００の「ＣｏｎｎｅｃｔＣｅｌｌＭｏｄｉｆｙ」に接続セル変更指示を格納する。
【０１８７】
図３０に示すインフォメーションエレメント３０００は、図２９に示したＲＲＣコネクションセットアップ２９００における符号２９０２（下線部）に示す「ＲａｄｉｏＲｅｓｏｕｒｃｅＣｏｎｆｉｇＤｅｄｉｃａｔｅｄ」の一部を示している。基地局１２０は、図２９に示すＲＲＣコネクションセットアップ２９００を送信する場合は、インフォメーションエレメント３０００における符号３００１（下線部）に示す「ｎｅｉｇｈＣｅｌｌｓＴｏＡｄｄＭｏｄＬｉｓｔ」にプリファラブルセルＩＤのリストを格納してもよい。
【０１８８】
図３１は、実施の形態２にかかる無線通信システムの処理例３におけるＲＲＣコネクションセットアップのさらに他の例を示す図である。基地局１２０は、たとえば図３１に示すＲＲＣコネクションセットアップ３１００を送信してもよい。ＲＲＣコネクションセットアップ３１００は、基地局１２０が送信するＲＲＣコネクションセットアップのデータ構造をＡＳＮ．１により示したものである。
【０１８９】
また、ＲＲＣコネクションセットアップ３１００は、３ＧＰＰのＴＳ３６．３３１において定義されたＲＲＣコネクションセットアップの「ｎｏｎＣｒｉｔｉｃａｌＥｘｔｅｎｓｉｏｎ」に、符号３１０１（下線部）に示すように「ＲＲＣＣｏｎｎｅｃｔｉｏｎＳｅｔｕｐ−ｖ１３ｘｙ−ＩＥｓ」を追加し、その内容を、３１０２（下線部）に示すように「ＣｏｎｎｅｃｔＣｅｌｌＭｏｄｉｆｙ」および「ｐｒｅｆｅｒａｂｌｅＣｅｌｌＩｄＬｉｓｔ」としたメッセージである。
【０１９０】
基地局１２０は、ＲＲＣコネクションセットアップ３１００の「ＣｏｎｎｅｃｔＣｅｌｌＭｏｄｉｆｙ」に接続セル変更指示を格納する。また、基地局１２０は、ＲＲＣコネクションセットアップ３１００の「ｐｒｅｆｅｒａｂｌｅＣｅｌｌＩｄＬｉｓｔ」にプリファラブルセルＩＤのリストを格納する。
【０１９１】
また、基地局１２０は、ＲＲＣコネクションセットアップ３１００には「ｐｒｅｆｅｒａｂｌｅＣｅｌｌＩｄＬｉｓｔ」を設けなくてもよい。この場合に、基地局１２０は、ＲＲＣコネクションセットアップ３１００における「ＲａｄｉｏＲｅｓｏｕｒｃｅＣｏｎｆｉｇＤｅｄｉｃａｔｅｄ」の「ｎｅｉｇｈＣｅｌｌｓＴｏＡｄｄＭｏｄＬｉｓｔ」にプリファラブルセルＩＤのリストを格納してもよい。
【０１９２】
ＲＲＣコネクションセットアップ３１００における「ｎｅｉｇｈＣｅｌｌｓＴｏＡｄｄＭｏｄＬｉｓｔ」は、図３０に示したインフォメーションエレメント３０００における「ｎｅｉｇｈＣｅｌｌｓＴｏＡｄｄＭｏｄＬｉｓｔ」と同様である。
【０１９３】
このように、実施の形態２にかかる無線通信システム１００によれば、基地局１２０が、ランダムアクセス手順におけるコンテンションレゾリューションに接続セル変更指示を格納して送信することで、端末１１０の接続先セルを制御可能になる。これにより、各セルの負荷状況に応じたセル間の負荷分散を行うことができる。
【０１９４】
また、基地局１２０が、コンテンションレゾリューションに複数のプリファラブルセルＩＤを格納することで、各セルの負荷状況に応じて基地局１２０が指定したセルに、無線品質が所定条件を満たすセルが存在する確率を高くすることができる。これにより、端末１１０を負荷の少ないセルに接続させ、セル間の負荷分散を行うことができる。また、端末１１０の接続の成功確率を高くし、各装置の処理量やシグナリング量の増加を抑制することができる。
【０１９５】
また、実施の形態２においても、実施の形態１と同様に、プリファラブルセルＩＤに代えてアンフェボラブルセルＩＤを用いてもよい。すなわち、基地局１２０は、接続セル変更指示とともに、セルの負荷状況に応じて選択した複数のアンフェボラブルセルＩＤをコンテンションレゾリューションに格納してもよい。これにより、端末１１０は、アンフェボラブルセルＩＤによって指定された負荷の多いセルとは異なるセルへ優先的に接続することが可能になる。このため、端末１１０が負荷の少ないセルに接続できる可能性を高め、セル間の負荷分散を行うことができる。
【０１９６】
また、上述した各実施の形態において、プリファラブルセルＩＤやアンフェボラブルセルＩＤには、たとえば各セルに割り当てられている９ビットのＰＣＩ（Ｐｈｙｓｉｃａｌ  Ｃｅｌｌ  Ｉｄｅｎｔｉｔｙ：物理セルＩＤ）を用いることができる。また、プリファラブルセルＩＤやアンフェボラブルセルＩＤとして、ＰＣＩの一部のビットを用いてもよい。これにより、オーバーヘッドの増加を抑えることができる。ＰＣＩの一部のビットは、一例としてはＰＣＩの下位Ｘビット（Ｘは１〜８）である。この場合に、セルプランニングにおいて、同一基地局や隣接する基地局の構成するセルには下位Ｘビットが同じになるＰＣＩは割り当てないようにする。
【０１９７】
以上説明したように、無線通信システム、無線装置および処理方法によれば、各セルの状況に応じたセル間の負荷分散を行うことができる。
【０１９８】
たとえば、各端末が負荷の少ないセルに接続することができるため、システム内のスループットを向上させることができる。一例として、１セルあたりの伝送容量（速度）を１００、ユーザあたりのトラフィックを１０（すなわち接続ユーザ数が１０台で飽和）と仮定する。また、セル＃１の現在の接続ユーザ数を１０台、セル＃２の現在の接続ユーザ数５台（すなわち現在のシステムスループットを１５０）と仮定する。
【０１９９】
たとえば上述した各実施の形態による負荷分散を行わない場合は、新たなユーザがセル＃１で発信した場合は、セル＃１の伝送容量（１００）を１１台のユーザで分け合うため、システムスループットは１５０のままとなる。これに対して、上述した各実施の形態による負荷分散を行うことで、新たなユーザが負荷の少ない（空いている）セル＃２に接続できるため、システムスループットは１６０となる。このため、７％のシステムスループットの向上となる。発信する端末が増えると、さらにシステムスループットが向上する。
【０２００】
また、たとえば、セル選択のために、基地局が端末に対して報知情報などを用いて周波数ごとの優先度を設定することも考えられる。しかしながら、この場合は優先度情報が各端末に共通の情報となるため、優先度の高い周波数キャリアのセルへの集中（待ち受け端末の偏り）が生じる場合がある。
【０２０１】
また、周波数キャリアセル間で端末を分散させるために、報知情報で各セルの選択確率を指定することが考えられる。しかしながら、報知情報の更新間隔は長い（たとえば６４０〜４０９６０［ｍｓ］）ため、負荷状況が変化した場合の対応に遅れが生じる場合がある。この場合は、低スループットや呼損の原因となる場合がある。また、選択確率を用いた制御であるため、目標とする確率に対してずれが生じる場合がある。
【０２０２】
これに対して、上述した各実施の形態によれば、各端末に対してランダムアクセスレスポンスやコンテンションレゾリューションによって個別に接続セル変更指示を送信することができるため、特定のセルへの負荷の集中を回避することができる。また、その時々の各セルの負荷状況（混雑度）に応じた負荷分散制御が可能になる。
【０２０３】
また、たとえば報知情報により選択確率を設定する方法に比べて、ランダムアクセスレスポンスやコンテンションレゾリューションを用いることで制御間隔を短くすることができる。このため、負荷状況の変化に迅速に対応し、特定の周波数キャリアのセルに負荷が集中することを抑制し、無線リソースを効率よく使用することができる。
【０２０４】
また、たとえば任意のセルに対して一旦接続させてからハンドオーバを行う方法に比べて、早い段階で接続セルを変更することができる。また、ハンドオーバに伴うシグナリングや処理の複雑さを回避することができる。
【０２０５】
また、上述した各実施の形態によれば、ランダムアクセス手順を利用することで、端末の着信時に限らず、端末の発信時においても各セルの状況に応じたセル間の負荷分散を行うことができる。たとえば、上述した各実施の形態によれば、端末によるセルへの初期アクセス時にセル間の負荷分散を行うことができる。端末が初期アクセスを行う契機には、たとえば、位置登録（アタッチ）、位置登録更新（トラッキングエリアアップデート）、サービスリクエストなどがある。サービスリクエストは、たとえば、通話、メール、ウェブアクセスなど様々なサービスの要求である。また、上述した各実施の形態によれば、端末が基地局からのページングで呼び出されてランダムアクセス手順を行う場合にもセル間の負荷分散を行うことができる。したがって、電話着信、メールの受信、対話アプリのプッシュ通知の受信などの着信時においても、各セルの状況に応じたセル間の負荷分散を行うことができる。メールには、たとえば、ＥメールやＳＭＳ（Ｓｈｏｒｔ  Ｍｅｓｓａｇｅ  Ｓｅｒｖｉｃｅ）などが含まれる。
【０２０６】
また、上述した各実施の形態は、たとえば周波数ごとの優先度を設定するなどの従来技術に代えて用いることができる。または、上述した各実施の形態は、従来技術と組み合わせて用いてもよい。これにより、負荷状況の変化への迅速な対応を行うことができる。また、たとえば周波数ごとの優先度を用いる構成において、アイドルモードの端末の分布の偏りが残ってしまった場合に、上述した各実施の形態を組み合わせることで該偏りを補正することができる。
【符号の説明】
【０２０７】
１００  無線通信システム
１０１〜１０３  セル
１１０  端末
１２０，１９１１，１９１２，２０１１〜２０１９  基地局
６０１，８０２  受信アンテナ
６０２，８０３  受信部
６０３，８０４  受信信号処理部
６０４，８０５  制御部
６０５，８０６  送信信号生成部
６０６，８０７  送信部
６０７，８０８  送信アンテナ
７００，９００  通信装置
７０１，９０１  ＣＰＵ
７０２，９０２  メモリ
７０３  ユーザインタフェース
７０４，９０３  無線通信インタフェース
７０９，９０９  バス
８０１  負荷状況取得部
９０４  有線通信インタフェース
１０００，１５００  ランダムアクセスレスポンス
１０１０  ＭＡＣヘッダ
１０２０  ＭＡＣペイロード
１０３０  パディング
１１００，１３００  ＭＡＣランダムアクセスレスポンス
１１０１，１２０１，１２０２  Ｒビット
１２００  ＭＡＣサブヘッダ
１２０３  ＢＩフィールド
１３０１  ＵＬグラント
１４０１  ＣＳＩリクエスト
１５１１，１５１２  ヘッダ
１５２１，１５２２  メッセージ
１６１０  レガシ端末
１９０１  マクロセル
１９０２，１９０３，２００１〜２００９  スモールセル
２５００，２６００  ＲＲＣコネクションリジェクト
２８００，２９００，３１００  ＲＲＣコネクションセットアップ
３０００  インフォメーションエレメント
【図１】
2016163010.tif 000003
【図２】
2016163010.tif 000004
【図３】
2016163010.tif 000005
【図４】
2016163010.tif 000006
【図５】
2016163010.tif 000007
【図６】
2016163010.tif 000008
【図７】
2016163010.tif 000009
【図８】
2016163010.tif 000010
【図９】
2016163010.tif 000011
【図１０】
2016163010.tif 000012
【図１１】
2016163010.tif 000013
【図１２】
2016163010.tif 000014
【図１３】
2016163010.tif 000015
【図１４】
2016163010.tif 000016
【図１５】
2016163010.tif 000017
【図１６】
2016163010.tif 000018
【図１７】
2016163010.tif 000019
【図１８】
2016163010.tif 000020
【図１９】
2016163010.tif 000021
【図２０】
2016163010.tif 000022
【図２１】
2016163010.tif 000023
【図２２】
2016163010.tif 000024
【図２３】
2016163010.tif 000025
【図２４】
2016163010.tif 000026
【図２５】
2016163010.tif 000027
【図２６】
2016163010.tif 000028
【図２７】
2016163010.tif 000029
【図２８】
2016163010.tif 000030
【図２９】
2016163010.tif 000031
【図３０】
2016163010.tif 000032
【図３１】
2016163010.tif 000033
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
第１無線装置および第２無線装置を含む無線通信システムにおいて、
前記第２無線装置による前記第１無線装置の第１セルへの初期アクセスにおけるランダムアクセスプリアンブルを前記第２無線装置から受信した場合に、前記ランダムアクセスプリアンブルに対する応答信号であって、接続セルを前記第１セルと異なるセルに変更させる指示を含む応答信号を送信する前記第１無線装置と、
前記第１無線装置によって送信された前記応答信号に含まれる前記指示に基づいて、前記第１セルと異なる第２セルへの初期アクセスにおけるランダムアクセスプリアンブルを送信する前記第２無線装置と、
を含むことを特徴とする無線通信システム。
【請求項２】
前記第１無線装置は、前記第１セルと異なるセルの識別子を含む前記応答信号を送信し、
前記第２無線装置は、前記応答信号に含まれる前記識別子に基づいて選択した前記第２セルへ前記ランダムアクセスプリアンブルを送信する、
ことを特徴とする請求項１に記載の無線通信システム。
【請求項３】
前記第１無線装置は、接続候補の各セルの中から前記接続候補の各セルの負荷状況に応じて選択した前記第１セルと異なるセルの識別子を含む前記応答信号を送信することを特徴とする請求項２に記載の無線通信システム。
【請求項４】
前記第１無線装置は、接続候補の各セルの中から前記第１セルとの間の周波数の差に応じて選択した前記第１セルと異なるセルの識別子を含む前記応答信号を送信することを特徴とする請求項２または３に記載の無線通信システム。
【請求項５】
前記第２無線装置は、前記応答信号に含まれる前記識別子に基づいて選択した前記第１セルと異なるセルの無線品質を測定し、測定した前記無線品質が所定条件を満たすセルへ前記ランダムアクセスプリアンブルを送信することを特徴とする請求項２〜４のいずれか一つに記載の無線通信システム。
【請求項６】
前記第１無線装置は、前記第１セルと異なる複数のセルの識別子を含む前記応答信号を送信することを特徴とする請求項２〜５のいずれか一つに記載の無線通信システム。
【請求項７】
前記第１無線装置は、前記複数のセルにおける接続の優先順位を特定可能な情報を含む前記応答信号を送信することを特徴とする請求項６に記載の無線通信システム。
【請求項８】
前記第１無線装置は、前記ランダムアクセスプリアンブルを前記第２無線装置から受信した際の前記第１セルにおける負荷状況に応じて、前記指示を含む前記応答信号を送信することを特徴とする請求項１〜７のいずれか一つに記載の無線通信システム。
【請求項９】
前記応答信号は、前記第２無線装置による前記第１無線装置の第１セルへの初期アクセスにおけるランダムアクセスプリアンブルに対するランダムアクセスレスポンスであり、
前記第１無線装置は、前記ランダムアクセスレスポンスのペイロードにおけるリザーブドビットに前記指示を格納する、
ことを特徴とする請求項１〜８のいずれか一つに記載の無線通信システム。
【請求項１０】
前記第１無線装置は、前記リザーブドビットに前記指示を格納する場合に、前記ペイロードのうちの前記リザーブドビットとは異なる領域に前記第１セルと異なるセルの識別子を格納し、
前記第２無線装置は、前記識別子に基づいて選択した前記第２セルへ前記ランダムアクセスプリアンブルを送信する、
ことを特徴とする請求項９に記載の無線通信システム。
【請求項１１】
他の無線装置と通信可能な無線装置であって、
前記他の無線装置による自装置の第１セルへの初期アクセスにおけるランダムアクセスプリアンブルを前記他の無線装置から受信する受信部と、
前記受信部によって前記ランダムアクセスプリアンブルが受信された場合に、前記ランダムアクセスプリアンブルに対する応答信号であって、接続セルを前記第１セルと異なるセルに変更させる指示を含む応答信号を送信する送信部と、
を備えることを特徴とする無線装置。
【請求項１２】
他の無線装置と通信可能な無線装置であって、
自装置による前記他の無線装置の第１セルへの初期アクセスにおけるランダムアクセスプリアンブルを送信する送信部と、
前記送信部によって送信された前記ランダムアクセスプリアンブルに対する応答信号であって、接続セルを前記第１セルと異なるセルに変更させる指示を含む応答信号を前記他の無線装置から受信する受信部と、
を備え、
前記送信部は、前記受信部によって受信された前記応答信号に含まれる前記指示に基づいて、前記第１セルと異なる第２セルへの初期アクセスにおけるランダムアクセスプリアンブルを送信する、
ことを特徴とする無線装置。
【請求項１３】
他の無線装置と通信可能な無線装置における処理方法であって、
前記他の無線装置による自装置の第１セルへの初期アクセスにおけるランダムアクセスプリアンブルを前記他の無線装置から受信し、
前記ランダムアクセスプリアンブルを受信した場合に、前記ランダムアクセスプリアンブルに対する応答信号であって、接続セルを前記第１セルと異なるセルに変更させる指示を含む応答信号を送信する、
ことを特徴とする処理方法。
【請求項１４】
他の無線装置と通信可能な無線装置における処理方法であって、
自装置による前記他の無線装置の第１セルへの初期アクセスにおけるランダムアクセスプリアンブルを送信し、
送信した前記ランダムアクセスプリアンブルに対する応答信号であって、接続セルを前記第１セルと異なるセルに変更させる指示を含む応答信号を前記他の無線装置から受信し、
受信した前記応答信号に含まれる前記指示に基づいて、前記第１セルと異なる第２セルへの初期アクセスにおけるランダムアクセスプリアンブルを送信する、
ことを特徴とする処理方法。
【請求項１５】
第１無線装置および第２無線装置を含む無線通信システムにおいて、
前記第２無線装置による前記第１無線装置の第１セルへの初期アクセスにおけるランダムアクセス手順の信号を前記第２無線装置から受信した場合に、前記信号に対する応答信号であって、接続セルを前記第１セルと異なるセルに変更させる指示と、前記第１セルと異なる複数のセルの識別子と、を含む応答信号を送信する前記第１無線装置と、
前記第１無線装置によって送信された前記応答信号に含まれる前記指示および前記識別子に基づいて、前記第１セルと異なる第２セルへの初期アクセスにおけるランダムアクセスプリアンブルを送信する前記第２無線装置と、
を含むことを特徴とする無線通信システム。
【手続補正２】
【補正対象書類名】明細書
【補正対象項目名】全文
【補正方法】変更
【補正の内容】
【発明の詳細な説明】
【技術分野】
【０００１】
本発明は、無線通信システム、無線装置および処理方法に関する。
【背景技術】
【０００２】
従来、ＬＴＥ（Ｌｏｎｇ  Ｔｅｒｍ  Ｅｖｏｌｕｔｉｏｎ）やＬＴＥ−Ａ（ＬＴＥ−Ａｄｖａｎｃｅｄ）などの移動体通信が知られている（たとえば、下記非特許文献１〜９参照。）。また、これらの移動体通信において、基地局装置が複数のセルを形成する構成が知られている。また、基地局装置が、管理下のセル全体のロードバランスとユーザ端末の条件に応じて、ユーザ端末に対して他のセルへの切り換えを指示する技術が知られている（たとえば、下記特許文献１参照。）。
【先行技術文献】
【特許文献】
【０００３】
【特許文献１】特開２００８−９２３８１号公報
【非特許文献】
【０００４】
【非特許文献１】３ＧＰＰ  ＴＳ３６．３００  ｖ１２．１．０、２０１４年３月
【非特許文献２】３ＧＰＰ  ＴＳ３６．２１１  ｖ１２．１．０、２０１４年３月
【非特許文献３】３ＧＰＰ  ＴＳ３６．２１２  ｖ１２．０．０、２０１３年１２月
【非特許文献４】３ＧＰＰ  ＴＳ３６．２１３  ｖ１２．１．０、２０１４年３月
【非特許文献５】３ＧＰＰ  ＴＳ３６．３２１  ｖ１２．０．０、２０１３年１２月
【非特許文献６】３ＧＰＰ  ＴＳ３６．３２２  ｖ１１．０．０、２０１２年９月
【非特許文献７】３ＧＰＰ  ＴＳ３６．３２３  ｖ１１．２．０、２０１３年３月
【非特許文献８】３ＧＰＰ  ＴＳ３６．３３１  ｖ１２．０．０、２０１３年１２月
【非特許文献９】３ＧＰＰ  ＴＲ３６．８４２  ｖ１２．０．０、２０１３年１２月
【発明の概要】
【発明が解決しようとする課題】
【０００５】
しかしながら、上述した従来技術では、各セルの負荷状況などの各セルの状況に応じたセル間の負荷分散を行うことができない場合がある。
【０００６】
１つの側面では、本発明は、各セルの状況に応じたセル間の負荷分散を行うことができる無線通信システム、無線装置および処理方法を提供することを目的とする。
【課題を解決するための手段】
【０００７】
上述した課題を解決し、目的を達成するため、本発明の一側面によれば、第１無線装置および第２無線装置を含む無線通信システムにおいて、前記第１無線装置が、前記第２無線装置による前記第１無線装置の第１セルへの初期アクセスにおけるランダムアクセスプリアンブルを前記第２無線装置から受信した場合に、前記ランダムアクセスプリアンブルに対する応答信号であって、接続セルを前記第１セルと異なるセルに変更させる指示を含む応答信号を送信し、前記第２無線装置が、前記第１無線装置によって送信された前記応答信号に含まれる前記指示に基づいて、前記第１セルと異なる第２セルへの初期アクセスにおけるランダムアクセスプリアンブルを送信する無線通信システム、無線装置および処理方法が提案される。
【０００８】
また、本発明の別の一側面によれば、第１無線装置および第２無線装置を含む無線通信システムにおいて、前記第１無線装置が、前記第２無線装置による前記第１無線装置の第１セルへの初期アクセスにおけるランダムアクセス手順の信号を前記第２無線装置から受信した場合に、前記信号に対する応答信号であって、接続セルを前記第１セルと異なるセルに変更させる指示と、前記第１セルと異なる複数のセルの識別子と、を含む応答信号を送信し、前記第２無線装置が、前記第１無線装置によって送信された前記応答信号に含まれる前記指示および前記識別子に基づいて、前記第１セルと異なる第２セルへの初期アクセスにおけるランダムアクセスプリアンブルを送信する無線通信システム、無線装置および処理方法が提案される。
【発明の効果】
【０００９】
本発明の一側面によれば、各セルの状況に応じたセル間の負荷分散を行うことができるという効果を奏する。
【図面の簡単な説明】
【００１０】
【図１】図１は、実施の形態１にかかる無線通信システムの一例を示す図である。
【図２】図２は、実施の形態１にかかる無線通信システムにおける処理の一例を示すシーケンス図である。
【図３】図３は、実施の形態１にかかる無線通信システムにおける処理のより詳細な例を示すシーケンス図である。
【図４】図４は、実施の形態１にかかる端末による処理の一例を示すフローチャートである。
【図５】図５は、実施の形態１にかかる基地局による処理の一例を示すフローチャートである。
【図６】図６は、実施の形態１にかかる端末の一例を示す図である。
【図７】図７は、実施の形態１にかかる端末のハードウェア構成の一例を示す図である。
【図８】図８は、実施の形態１にかかる基地局の一例を示す図である。
【図９】図９は、実施の形態１にかかる基地局のハードウェア構成の一例を示す図である。
【図１０】図１０は、実施の形態１におけるランダムアクセスレスポンスへの接続セル変更指示の格納例１を示す図（その１）である。
【図１１】図１１は、実施の形態１におけるランダムアクセスレスポンスへの接続セル変更指示の格納例１を示す図（その２）である。
【図１２】図１２は、実施の形態１におけるランダムアクセスレスポンスへの接続セル変更指示の格納例２を示す図である。
【図１３】図１３は、実施の形態１におけるランダムアクセスレスポンスへの接続セル変更指示の格納例３を示す図（その１）である。
【図１４】図１４は、実施の形態１におけるランダムアクセスレスポンスへの接続セル変更指示の格納例３を示す図（その２）である。
【図１５】図１５は、実施の形態１におけるバックワードコンパチビリティの一例を示す図（その１）である。
【図１６】図１６は、実施の形態１におけるバックワードコンパチビリティの一例を示す図（その２）である。
【図１７】図１７は、実施の形態１におけるバックワードコンパチビリティの他の例を示す図（その１）である。
【図１８】図１８は、実施の形態１におけるバックワードコンパチビリティの他の例を示す図（その２）である。
【図１９】図１９は、実施の形態１にかかる無線通信システムの他の例を示す図である。
【図２０】図２０は、実施の形態１にかかる無線通信システムのさらに他の例を示す図である。
【図２１】図２１は、実施の形態２にかかる無線通信システムの処理例１を示すシーケンス図である。
【図２２】図２２は、実施の形態２にかかる無線通信システムの処理例１の詳細を示すシーケンス図である。
【図２３】図２３は、実施の形態２にかかる無線通信システムの処理例２を示すシーケンス図である。
【図２４】図２４は、実施の形態２にかかる無線通信システムの処理例２の詳細を示すシーケンス図である。
【図２５】図２５は、実施の形態２にかかる無線通信システムの処理例２におけるＲＲＣコネクションリジェクトの一例を示す図である。
【図２６】図２６は、実施の形態２にかかる無線通信システムの処理例２におけるＲＲＣコネクションリジェクトの他の例を示す図である。
【図２７】図２７は、実施の形態２にかかる無線通信システムの処理例３を示すシーケンス図である。
【図２８】図２８は、実施の形態２にかかる無線通信システムの処理例３におけるＲＲＣコネクションセットアップの一例を示す図である。
【図２９】図２９は、実施の形態２にかかる無線通信システムの処理例３におけるＲＲＣコネクションセットアップの他の例を示す図（その１）である。
【図３０】図３０は、実施の形態２にかかる無線通信システムの処理例３におけるＲＲＣコネクションセットアップの他の例を示す図（その２）である。
【図３１】図３１は、実施の形態２にかかる無線通信システムの処理例３におけるＲＲＣコネクションセットアップのさらに他の例を示す図である。
【発明を実施するための形態】
【００１１】
以下に図面を参照して、本発明にかかる無線通信システム、無線装置および処理方法の実施の形態を詳細に説明する。
【００１２】
（実施の形態１）
（実施の形態１にかかる無線通信システム）
図１は、実施の形態１にかかる無線通信システムの一例を示す図である。図１に示すように、実施の形態１にかかる無線通信システム１００は、端末１１０と、基地局１２０と、を含む。基地局１２０は、ランダムアクセス手順によって端末１１０からの初期アクセスを受け付ける第１無線装置である。端末１１０は、ランダムアクセス手順によって基地局１２０への初期アクセスを行う第２無線装置である。
【００１３】
端末１１０は、一例としてはＬＴＥのＵＥ（Ｕｓｅｒ  Ｅｑｕｉｐｍｅｎｔ）などの端末である。基地局１２０は、一例としてはＬＴＥのｅＮＢなどの基地局である。セル１０１〜１０３は、基地局１２０が形成するセルである。セル１０１〜１０３の周波数は、それぞれ周波数ｆ１〜ｆ３（ｆ１≠ｆ２≠ｆ３）である。図１に示す例では、周波数が違えば異なるセル（周波数キャリア）である。
【００１４】
基地局１２０は、端末１１０との間のランダムアクセス手順において、端末１１０へ送信するランダムアクセスレスポンスに接続セル変更指示を格納する。ランダムアクセスレスポンスは、ランダムアクセス手順における第２のメッセージ（メッセージ２）である。また、ランダムアクセスレスポンスは、端末１１０からのランダムアクセスプリアンブルに対する応答信号である。ランダムアクセスプリアンブルは、ランダムアクセス手順における第１のメッセージ（メッセージ１）である。
【００１５】
接続セル変更指示は、端末１１０に対して、ランダムアクセス手順による端末１１０の接続セルの変更を指示する情報である。接続セルは、ランダムアクセス手順によって端末１１０が接続を要求するセルであって、端末１１０からのランダムアクセスプリアンブルの送信先のセルである。たとえば、基地局１２０は、ランダムアクセスプリアンブルの送信先のセルの負荷状況に応じて、ランダムアクセスレスポンスに接続セル変更指示を格納する。
【００１６】
端末１１０は、基地局１２０から受信したランダムアクセスレスポンスに接続セル変更指示が含まれていた場合に、接続セルを変更し、変更後の接続セルへランダムアクセスプリアンブルを送信し直す。変更後の接続セルは、基地局１２０のセルであってもよいし、基地局１２０とは異なる基地局のセルであってもよい。
【００１７】
このように、基地局１２０は、基地局１２０のセルの負荷状況に応じて、端末１１０からのランダムアクセスプリアンブルに対するランダムアクセスレスポンスに接続セル変更指示を格納することで、端末１１０に対して接続セルを変更させることができる。このため、セルの負荷状況に応じたセル間の負荷分散が可能になる。
【００１８】
また、基地局１２０は、接続セル変更指示とともに、接続セルの変更先の候補のセルの識別子をランダムアクセスレスポンスに格納してもよい。接続セルの変更先の候補のセルは、端末１１０が優先的に接続すべきセルであって、たとえば各セルの負荷状況に応じて基地局１２０が選択することができる。以下、ランダムアクセスレスポンスに格納される接続セルの変更先の候補のセルをプリファラブルセルと称し、プリファラブルセルの識別子をプリファラブルセルＩＤと称する。プリファラブルセルは、基地局１２０のセルであってもよいし、基地局１２０とは異なる基地局のセルであってもよい。
【００１９】
また、基地局１２０は、接続セル変更指示とともに、複数のプリファラブルセルを示す複数のプリファラブルセルＩＤをランダムアクセスレスポンスに格納してもよい。複数のプリファラブルセルは、たとえば基地局１２０が形成する各セルに含まれる複数のセルである。または、複数のプリファラブルセルは、基地局１２０とは異なる基地局が形成するセルを含んでいてもよい。すなわち、複数のプリファラブルセルは、異なる位置に設けられた複数の基地局によって形成された各セルを含んでいてもよい。また、複数のプリファラブルセルは、基地局１２０が形成する複数のセルと、基地局１２０とは異なる基地局が形成する複数のセルと、の両方を含んでいてもよい。
【００２０】
また、複数のプリファラブルセルは、たとえば、周波数が互いに異なり、地理的に重複する部分を含む各セルである。たとえば、複数のプリファラブルセルは、周波数が互いに異なり同じ大きさのセルであってもよいし、周波数が互いに異なり異なる大きさのセルであってもよい。また、複数のプリファラブルセルには、端末１１０が在圏していなかったり、端末１１０における通信品質が低かったりして端末１１０が接続できないセルが含まれていてもよい。
【００２１】
また、基地局１２０は、複数のプリファラブルセルの識別子をランダムアクセスレスポンスに格納する場合に、ランダムアクセスレスポンスを、該複数のプリファラブルセルにおける接続の優先順位を特定可能な情報を含む信号としてもよい。優先順位を特定可能な情報は、たとえば、該複数のプリファラブルセルの各識別子と、該複数のプリファラブルセルの優先順位を直接的に示す情報と、を含む情報である。複数のプリファラブルセルの優先順位を直接的に示す情報は、たとえば、複数のセルの各識別子と、複数のセルの優先順位と、の対応情報である。
【００２２】
または、優先順位を特定可能な情報は、たとえば、複数のプリファラブルセルの各識別子を、該複数のプリファラブルセルにおける接続の優先順位に応じた順序で並べた情報であってもよい。これにより、該優先順位を直接的に示す情報をランダムアクセスレスポンスに含めなくても、端末１１０は、ランダムアクセスレスポンスに含まれる該情報における各識別子の並び順に基づいて該優先順位を特定することができる。このため、ランダムアクセスレスポンスのデータサイズの増加を抑えることができる。優先順位に応じた順序は、優先順位の昇順であってもよいし、降順であってもよい。
【００２３】
また、基地局１２０が送信するランダムアクセスレスポンスは、たとえば、プリファラブルセルの候補の各セルの中から、該候補の各セルの負荷状況に基づいて選択されたプリファラブルセルを示す情報を含むランダムアクセスレスポンスである。プリファラブルセルの選択に用いるセルの負荷状況には、たとえば、セルの無線リソースの使用率、セルに対して接続中の端末の数、セルにおけるデータの滞留量（バッファリング量）など各種の状況を用いることができる。無線リソースの使用率は、一例としてはＲＢ（Ｒｅｓｏｕｒｃｅ  Ｂｌｏｃｋ：リソースブロック）の使用率とすることができる。
【００２４】
プリファラブルセルの候補の各セルは、たとえば基地局１２０が形成する各セルに含まれる複数のセルである。または、プリファラブルセルの候補の各セルは、基地局１２０とは異なる基地局が形成するセルを含んでいてもよい。また、プリファラブルセルの候補の各セルは、たとえば、周波数が互いに異なり、地理的に重複する部分を含む複数のセルである。また、プリファラブルセルの候補の各セルは、端末１１０が在圏していなかったり、端末１１０における通信品質が低かったりして端末１１０が接続できないセルを含んでいてもよい。
【００２５】
たとえば、プリファラブルセルの候補の各セルが、基地局１２０とは異なる基地局が形成するセルを含む場合は、基地局１２０は、該異なる基地局が形成するセルの負荷状況を示す情報を該異なる基地局から受信する。そして、基地局１２０は、受信した負荷状況を示す情報に基づいて、プリファラブルセルの候補の各セルの中から、ランダムアクセスレスポンスに含める情報が示すプリファラブルセルを選択する。
【００２６】
端末１１０は、ランダムアクセスレスポンスに含まれるプリファラブルセルＩＤが示すプリファラブルセルの少なくともいずれかが所定条件を満たす場合は、該プリファラブルセルのうちの所定条件を満たすセルへの接続処理を行う。また、端末１１０は、該プリファラブルセルのいずれも所定条件を満たさない場合は、端末１１０が接続可能なセルのうちの該プリファラブルセルとは異なるセルへの接続処理を行う。
【００２７】
所定条件は、たとえば端末１１０における通信品質に関する条件である。端末１１０における通信品質は、たとえば、端末１１０がセルの無線信号を受信し、受信結果に基づいて算出可能な通信品質である。通信品質としては、たとえば、ＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）、ＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）、ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）などを用いることができる。
【００２８】
このように、基地局１２０は、セルの負荷状況に応じて選択したプリファラブルセルＩＤをランダムアクセスレスポンスに格納することで、端末１１０を負荷の少ないセルへ接続させ、セル間の負荷分散を行うことができる。また、基地局１２０は、セルの負荷状況に応じて選択した複数のプリファラブルセルＩＤをランダムアクセスレスポンスに格納することで、端末１１０が負荷の少ないセルに接続できる可能性を高め、セル間の負荷分散を行うことができる。
【００２９】
また、プリファラブルセルＩＤは、基地局１２０と異なる基地局やＲＲＨ（Ｒｅｍｏｔｅ  Ｒａｄｉｏ  Ｈｅａｄ：無線部）のセルのＩＤにしてもよい。これにより、周辺セルとの負荷分散を行うことができる。また、ＨｅｔＮｅｔ（Ｈｅｔｅｒｏｇｅｎｅｏｕｓ  Ｎｅｔｗｏｒｋ）にも適用が可能になる。
【００３０】
なお、図１に示す例は、１つの基地局１２０が複数の周波数キャリアを用いて複数のセル（セル１０１〜１０３）を構成する例である。たとえば、基地局１２０は、自局がサービスするセル１０１〜１０３の負荷状況を示す負荷情報を取得する。そして、基地局１２０は、取得した負荷情報に基づいて、セル１０１〜１０３の中からプリファラブルセルを決定し、決定したセルのＩＤ（プリファラブルセルＩＤ）および接続セル変更指示をランダムアクセスレスポンスに含めて送信する。
【００３１】
（実施の形態１にかかる無線通信システムにおける処理）
図２は、実施の形態１にかかる無線通信システムにおける処理の一例を示すシーケンス図である。実施の形態１にかかる無線通信システム１００においては、たとえば図２に示す各ステップが実行される。
【００３２】
まず、端末１１０が、基地局１２０のセル＃１を初期アクセスの接続先として選択し、ランダムアクセス手順におけるメッセージ１（ＭＳＧ１）としてランダムアクセスプリアンブルを基地局１２０のセル＃１へ送信する（ステップＳ２０１）。
【００３３】
つぎに、基地局１２０のセル＃１が、ランダムアクセス手順におけるメッセージ２（ＭＳＧ２）としてランダムアクセスレスポンスを端末１１０へ送信する（ステップＳ２０２）。図２に示す例では、基地局１２０のセル＃１は、ステップＳ２０２によって送信するランダムアクセスレスポンスに接続セル変更指示を格納したとする。そして、端末１１０が、ステップＳ２０２によって受信したランダムアクセスレスポンスに含まれる接続セル変更指示に基づいて、接続先のセルをセル＃１から＃２に変更したとする。
【００３４】
つぎに、端末１１０が、ランダムアクセス手順におけるメッセージ１（ＭＳＧ１）としてランダムアクセスプリアンブルを基地局１２０のセル＃２へ送信する（ステップＳ２０３）。つぎに、基地局１２０のセル＃２が、ランダムアクセス手順におけるメッセージ２（ＭＳＧ２）としてランダムアクセスレスポンスを端末１１０へ送信する（ステップＳ２０４）。図２に示す例では、基地局１２０のセル＃２は、ステップＳ２０４によって送信するランダムアクセスレスポンスに接続セル変更指示を格納しなかったとする。
【００３５】
つぎに、端末１１０が、ランダムアクセス手順におけるメッセージ３（ＭＳＧ３）としてスケジュールドトランスミッションを基地局１２０のセル＃２へ送信する（ステップＳ２０５）。つぎに、基地局１２０のセル＃２が、ランダムアクセス手順におけるメッセージ４（ＭＳＧ４）としてコンテンションレゾリューションを端末１１０へ送信し（ステップＳ２０６）、端末１１０による基地局１２０のセル＃２への接続が完了する。
【００３６】
このように、基地局１２０は、ランダムアクセス手順におけるランダムアクセスレスポンスに接続セル変更指示を格納する。これにより、端末１１０の初期アクセスにおける早い段階で端末１１０に対して接続先のセルを変更させることができる。
【００３７】
（実施の形態１にかかる無線通信システムにおける処理のより詳細な例）
図３は、実施の形態１にかかる無線通信システムにおける処理のより詳細な例を示すシーケンス図である。まず、基地局１２０が、基地局１２０の配下の各セル（たとえばセル＃１，＃２）のそれぞれにおける負荷状況を示す負荷情報を取得する（ステップＳ３０１）。つぎに、基地局１２０が、ステップＳ３０１によって取得した負荷情報に基づいてプリファラブルセルを選択する（ステップＳ３０２）。プリファラブルセルは、基地局１２０に対して接続を要求してきた端末１１０に接続させることが好ましい接続セル候補である。プリファラブルセルは、基地局１２０における各セルに限らず、基地局１２０の周辺の基地局のセルを含んでもよい。
【００３８】
基地局１２０がステップＳ３０１，Ｓ３０２を実行するタイミングは任意である。たとえば、基地局１２０は、ステップＳ３０１，Ｓ３０２を定期的に行う。または、基地局１２０は、ステップＳ３０１を定期的に行い、ステップＳ３０１によって負荷状況の変化を検出した場合にステップＳ３０２を行ってもよい。また、負荷状況の変化はコネクテッド（Ｃｏｎｎｅｃｔｅｄ）状態の端末の増減などによって発生するため、基地局１２０は、基地局１２０の各セルにおけるコネクテッド状態の端末の数の変化を契機としてステップＳ３０１，Ｓ３０２を行ってもよい。
【００３９】
つぎに、端末１１０が、基地局１２０のセル＃１を接続先として選択し、ランダムアクセス手順におけるメッセージ１（ＭＳＧ１）としてランダムアクセスプリアンブルを基地局１２０のセル＃１へ送信する（ステップＳ３０３）。
【００４０】
つぎに、基地局１２０のセル＃１が、ランダムアクセス手順におけるメッセージ２（ＭＳＧ２）としてランダムアクセスレスポンスを端末１１０へ送信する（ステップＳ３０４）。図３に示す例では、基地局１２０のセル＃１は、ステップＳ３０４によって送信するランダムアクセスレスポンスに、接続セル変更指示と、プリファラブルセルＩＤのリストと、を格納する。プリファラブルセルＩＤのリストは、たとえばステップＳ３０２によって選択した各プリファラブルセルのリストである。
【００４１】
つぎに、端末１１０が、ステップＳ３０４によって受信したランダムアクセスレスポンスに含まれる接続セル変更指示およびプリファラブルセルＩＤのリストに基づいて、プリファラブルセルＩＤによって指定されたセルの信号を測定する（ステップＳ３０５）。たとえば、端末１１０は、プリファラブルセルＩＤによって指定されたセルの信号の端末１１０における受信電力を測定する。
【００４２】
つぎに、端末１１０は、プリファラブルセルＩＤによって指定されたセルの中でステップＳ３０５による測定結果が所定の条件を満たすセルを選択する（ステップＳ３０６）。たとえば、端末１１０は、プリファラブルセルＩＤによって指定されたセルの中で、ステップＳ３０５によって測定した受信電力が閾値以上であり、かつ優先順位が最も高いセルを選択する。
【００４３】
また、ステップＳ３０６において、測定結果が所定の条件を満たすセルがなかった場合は、端末１１０は、たとえば、任意のセルを選択し、選択したセルへランダムアクセスプリアンブルを送信してもよい。この任意のセルは、端末１１０がステップＳ３０３によってランダムアクセスプリアンブルを送信したセル＃１であってもよい。
【００４４】
図３に示す例では、端末１１０は、ステップＳ３０６において基地局１２０のセル＃２を選択したとする。つぎに、端末１１０が、ステップＳ３０６によって選択した基地局１２０のセル＃２へ、ランダムアクセス手順におけるメッセージ１（ＭＳＧ１）としてランダムアクセスプリアンブルを送信する（ステップＳ３０７）。図３に示すステップＳ３０８〜Ｓ３１０は、図２に示したステップＳ２０４〜Ｓ２０６と同様である。
【００４５】
このように、基地局１２０は、ランダムアクセス手順におけるランダムアクセスレスポンスに接続セル変更指示およびプリファラブルセルＩＤのリストを格納する。これにより、端末１１０の初期アクセスにおける早い段階で端末１１０に対して接続先のセルを変更させることができる。また、負荷情報に基づいて選択したプリファラブルセルＩＤのリストを端末１１０へ送信することで、端末１１０に対して接続先のセルを負荷が少ないセルに変更させることができる。
【００４６】
また、基地局１２０は、ステップＳ３０２によって選択したプリファラブルセルのうちの、端末１１０の現在の接続先のセル＃１と周波数が近い（たとえば最も近い）セルを選択し、選択したセルのＩＤをプリファラブルセルＩＤのリストに含めてもよい。これにより、変更後の接続先のセルにおける無線品質が接続の要件を満たす可能性を高くすることができる。また、端末１１０が変更後の接続先のセルへ送信したランダムアクセスプリアンブルが変更後の接続先のセルへ届かないケースの発生確率を減らすことができる。
【００４７】
このように、基地局１２０は、プリファラブルセル（接続候補の各セル）の中からセル＃１との間の周波数の差に応じて選択した、セル＃１と異なるセルのＩＤをプリファラブルセルＩＤとしてランダムアクセスレスポンスに格納してもよい。これにより、プリファラブルセルＩＤが示すセルに対する端末１１０の接続の失敗確率を低くし、各装置の処理量やシグナリング量の増加を抑制することができる。
【００４８】
（実施の形態１にかかる端末による処理）
図４は、実施の形態１にかかる端末による処理の一例を示すフローチャートである。実施の形態１にかかる端末１１０は、たとえば図４に示す各ステップを実行する。まず、端末１１０は、端末１１０におけるトラフィックが発生したか否かを判断し（ステップＳ４０１）、トラフィックが発生するまで待つ（ステップＳ４０１：Ｎｏのループ）。
【００４９】
ステップＳ４０１において、トラフィックが発生すると（ステップＳ４０１：Ｙｅｓ）、端末１１０は、ランダムアクセスプリアンブルを基地局１２０へ送信する（ステップＳ４０２）。初回のステップＳ４０２においては、端末１１０は、任意に選択したセルに対してランダムアクセスプリアンブルを送信する。また、端末１１０は、ステップＳ４０６からステップＳ４０２へ移行した場合は、ステップＳ４０２において、ステップＳ４０６によって選択したセルに対してランダムアクセスプリアンブルを送信する。また、端末１１０は、ステップＳ４０９からステップＳ４０２へ移行した場合は、任意に選択したセルに対してランダムアクセスプリアンブルを送信する。
【００５０】
つぎに、端末１１０は、ステップＳ４０２によって送信したランダムアクセスプリアンブルに対するランダムアクセスレスポンスを基地局１２０から受信する（ステップＳ４０３）。つぎに、端末１１０は、ステップＳ４０３によって受信したランダムアクセスレスポンスに接続セル変更指示が含まれているか否かを判断する（ステップＳ４０４）。
【００５１】
ステップＳ４０４において、接続セル変更指示が含まれている場合（ステップＳ４０４：Ｙｅｓ）は、端末１１０は、ステップＳ４０３によって受信したランダムアクセスレスポンスからプリファラブルセルＩＤのリストを抽出する（ステップＳ４０５）。つぎに、端末１１０は、ステップＳ４０５により抽出したプリファラブルセルＩＤのリストが示す各セルの中から接続先のセルを選択し（ステップＳ４０６）、ステップＳ４０２へ戻る。
【００５２】
ステップＳ４０４において、ランダムアクセスレスポンスに接続セル変更指示が含まれていない場合（ステップＳ４０４：Ｎｏ）は、端末１１０は、ランダムアクセス手順におけるメッセージ３を基地局１２０へ送信する（ステップＳ４０７）。メッセージ３は、たとえばスケジュールドトランスミッションであり、ＲＲＣコネクションリクエスト（Ｒａｄｉｏ  Ｒｅｓｏｕｒｃｅ  Ｃｏｎｔｒｏｌ  Ｃｏｎｎｅｃｔｉｏｎ  Ｒｅｑｕｅｓｔ）を含む。また、メッセージ３は、端末１１０のＳ−ＴＭＳＩ（ＳＡＥ  Ｔｅｍｐｏｒａｒｙ  Ｍｏｂｉｌｅ  Ｓｕｂｓｃｒｉｂｅｒ  Ｉｄｅｎｔｉｔｙ：一時移動体加入者識別子）またはランダムＩＤを含んでもよい。
【００５３】
つぎに、端末１１０は、ステップＳ４０７によって送信したメッセージ３に対するメッセージ４を基地局１２０から受信する（ステップＳ４０８）。メッセージ４は、たとえばコンテンションレゾリューションおよびＲＲＣ接続の可否を示す情報を含む。ＲＲＣ接続の可否を示す情報は、ＲＲＣ接続可能であることを示すＲＲＣコネクションセットアップ、またはＲＲＣ接続不可であることを示すＲＲＣコネクションリジェクトを含む。
【００５４】
つぎに、端末１１０は、ステップＳ４０８によって受信したメッセージ４に基づいて、コンテンションレゾリューションが成功したか否かを判断する（ステップＳ４０９）。たとえば、端末１１０は、ステップＳ４０７によって送信したメッセージ３に格納した端末１１０のＴＭＳＩまたはランダムＩＤが、ステップＳ４０８によって受信したメッセージ４に含まれているか否かによってステップＳ４０９の判断を行うことができる。
【００５５】
ステップＳ４０９において、コンテンションレゾリューションが成功していない場合（ステップＳ４０９：Ｎｏ）は、端末１１０は、ステップＳ４０２へ戻る。コンテンションレゾリューションが成功した場合（ステップＳ４０９：Ｙｅｓ）は、端末１１０は、ＲＲＣコネクションのセットアップが完了したことを示すＲＲＣコネクションセットアップコンプリートを基地局１２０へ送信する（ステップＳ４１０）。つぎに、端末１１０は、基地局１２０とのデータ通信を開始し（ステップＳ４１１）、初期アクセス時の一連の処理を終了する。
【００５６】
（実施の形態１にかかる基地局による処理）
図５は、実施の形態１にかかる基地局による処理の一例を示すフローチャートである。実施の形態１にかかる基地局１２０は、たとえば図５に示す各ステップを実行する。図５に示すステップＳ５０１，Ｓ５０２は、図３に示したステップＳ３０１，Ｓ３０２と同様である。ステップＳ５０２のつぎに、基地局１２０は、端末１１０からのランダムアクセスプリアンブルを受信したか否かを判断し（ステップＳ５０３）、ランダムアクセスプリアンブルを受信するまで待つ（ステップＳ５０３：Ｎｏのループ）。
【００５７】
ステップＳ５０３において、ランダムアクセスプリアンブルを受信すると（ステップＳ５０３：Ｙｅｓ）、基地局１２０は、受信したランダムアクセスプリアンブルの対象のセルへの接続を受け入れるか否かを判断する（ステップＳ５０４）。ステップＳ５０４の判断は、たとえばステップＳ５０１によって取得した負荷情報に基づき行うことができる。
【００５８】
ステップＳ５０４において、接続を受け入れる場合（ステップＳ５０４：Ｙｅｓ）は、基地局１２０は、接続セル変更指示なしのランダムアクセスレスポンスを端末１１０へ送信する（ステップＳ５０５）。つぎに、基地局１２０は、ランダムアクセス手順におけるメッセージ３を端末１１０から受信する（ステップＳ５０６）。つぎに、基地局１２０は、ランダムアクセス手順におけるメッセージ４を端末１１０へ送信し（ステップＳ５０７）、一連の処理を終了する。
【００５９】
ステップＳ５０４において、接続を受け入れない場合（ステップＳ５０４：Ｎｏ）は、基地局１２０は、接続セル変更指示ありのランダムアクセスレスポンスを端末１１０へ送信し（ステップＳ５０８）、一連の処理を終了する。この場合に、端末１１０は、接続先のセルを変更してランダムアクセスプリアンブルを送信し直すが、変更後の接続先のセルが基地局１２０のセルであれば、基地局１２０が再度、ステップＳ５０３以降の処理を行うことになる。
【００６０】
このように、基地局１２０は、ランダムアクセスプリアンブルを端末１１０から受信した際の、該ランダムアクセスプリアンブルの送信先のセルにおける負荷状況に応じて接続を受け入れるか否かを判断する。そして、基地局１２０は、受け入れないと判断した場合は、接続セル変更指示ありのランダムアクセスレスポンスを端末１１０へ送信する。これにより、各セルの負荷状況に応じたセル間の負荷分散を行うことができる。
【００６１】
（実施の形態１にかかる端末）
図６は、実施の形態１にかかる端末の一例を示す図である。図６に示すように、実施の形態１にかかる端末１１０は、たとえば、受信アンテナ６０１と、受信部６０２と、受信信号処理部６０３と、制御部６０４と、送信信号生成部６０５と、送信部６０６と、送信アンテナ６０７と、を備える。
【００６２】
受信アンテナ６０１は、基地局１２０から無線送信された信号を受信し、受信した信号を受信部６０２へ出力する。受信部６０２は、受信アンテナ６０１から出力された信号の受信処理を行う。受信部６０２による受信処理には、たとえば、増幅、ＲＦ（Ｒａｄｉｏ  Ｆｒｅｑｕｅｎｃｙ：高周波）帯からベースバンド帯への周波数変換、アナログ信号からデジタル信号への変換などが含まれる。受信部６０２は、受信処理を行った信号を受信信号処理部６０３へ出力する。
【００６３】
受信信号処理部６０３は、受信部６０２から出力された信号に対して復調や復号などの処理を行う。そして、受信信号処理部６０３は、復調や復号などの処理によって得られた信号を制御部６０４へ出力する。
【００６４】
制御部６０４は、端末１１０における通信を制御する。たとえば、制御部６０４は、送信信号生成部６０５を制御し、基地局１２０へのランダムアクセス手順を行う。また、制御部６０４は、受信信号処理部６０３から出力された信号に含まれる、ランダムアクセス手順におけるメッセージ２やメッセージ４などの各メッセージを取得する。そして、制御部６０４は、取得したメッセージに含まれる接続セル変更指示やプリファラブルセルＩＤのリストに基づいて、ランダムアクセス手順による接続先のセルを変更する。
【００６５】
送信信号生成部６０５は、制御部６０４からの制御により、端末１１０が送信すべき信号を生成する。たとえば、送信信号生成部６０５は、制御部６０４から出力される信号を符号化し、符号化した信号に基づく変調を行うことで送信すべき信号を生成する。送信信号生成部６０５が生成する信号には、たとえばランダムアクセス手順におけるメッセージ１やメッセージ３などが含まれる。送信信号生成部６０５は、生成した信号を送信部６０６へ出力する。
【００６６】
送信部６０６は、送信信号生成部６０５から出力された信号の送信処理を行い、送信処理を行った信号を送信アンテナ６０７へ出力する。送信部６０６による送信処理には、たとえば、デジタル信号からアナログ信号への変換、ベースバンド帯からＲＦ帯への周波数変換、増幅などが含まれる。送信アンテナ６０７は、送信部６０６から出力された信号を基地局１２０へ無線送信する。
【００６７】
端末１１０において、基地局１２０へランダムアクセスプリアンブルを送信する送信部は、送信信号生成部６０５、送信部６０６および送信アンテナ６０７により実現することができる。また、端末１１０において、ランダムアクセスプリアンブルに対する基地局１２０からの応答信号（ランダムアクセスレスポンス）を受信する受信部は、受信アンテナ６０１、受信部６０２および受信信号処理部６０３により実現することができる。
【００６８】
図７は、実施の形態１にかかる端末のハードウェア構成の一例を示す図である。図６に示した端末１１０は、たとえば図７に示す通信装置７００により実現することができる。通信装置７００は、ＣＰＵ７０１と、メモリ７０２と、ユーザインタフェース７０３と、無線通信インタフェース７０４と、を備える。ＣＰＵ７０１、メモリ７０２、ユーザインタフェース７０３および無線通信インタフェース７０４は、バス７０９によって接続される。
【００６９】
ＣＰＵ７０１（Ｃｅｎｔｒａｌ  Ｐｒｏｃｅｓｓｉｎｇ  Ｕｎｉｔ）は、通信装置７００の全体の制御を司る。メモリ７０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ７０１のワークエリアとして使用される。補助メモリは、たとえば磁気ディスク、フラッシュメモリなどの不揮発メモリである。補助メモリには、通信装置７００を動作させる各種のプログラムが記憶されている。補助メモリに記憶されたプログラムは、メインメモリにロードされてＣＰＵ７０１によって実行される。
【００７０】
ユーザインタフェース７０３は、たとえば、ユーザからの操作入力を受け付ける入力デバイスや、ユーザへ情報を出力する出力デバイスなどを含む。入力デバイスは、たとえばキー（たとえばキーボード）やリモコンなどにより実現することができる。出力デバイスは、たとえばディスプレイやスピーカなどにより実現することができる。また、タッチパネルなどによって入力デバイスおよび出力デバイスを実現してもよい。ユーザインタフェース７０３は、ＣＰＵ７０１によって制御される。
【００７１】
無線通信インタフェース７０４は、無線によって通信装置７００の外部（たとえば基地局１２０や他の端末）との間で通信を行う通信インタフェースである。無線通信インタフェース７０４は、ＣＰＵ７０１によって制御される。
【００７２】
図６に示した受信アンテナ６０１、受信部６０２、送信部６０６および送信アンテナ６０７は、たとえば無線通信インタフェース７０４により実現することができる。図６に示した受信信号処理部６０３、制御部６０４および送信信号生成部６０５は、たとえばＣＰＵ７０１により実現することができる。
【００７３】
（実施の形態１にかかる基地局）
図８は、実施の形態１にかかる基地局の一例を示す図である。図８に示すように、実施の形態１にかかる基地局１２０は、負荷状況取得部８０１と、受信アンテナ８０２と、受信部８０３と、受信信号処理部８０４と、制御部８０５と、送信信号生成部８０６と、送信部８０７と、送信アンテナ８０８と、を備える。
【００７４】
負荷状況取得部８０１は、基地局１２０の各セルにおける負荷状況を示す負荷情報を取得する。負荷情報は、上述したセルの負荷状況を示す各種の情報である。たとえば、負荷状況取得部８０１は、自局のセルについての負荷情報を、たとえば自局のスケジューリング処理に基づいて取得することができる。また、負荷状況取得部８０１は、他局のセルについての負荷情報を、基地局間インタフェースを介して他局から取得することができる。基地局間インタフェースには、たとえばＸ２インタフェースを用いることができる。負荷状況取得部８０１は、取得した負荷情報を制御部８０５へ出力する。
【００７５】
受信アンテナ８０２は、端末１１０から無線送信された信号を受信し、受信した信号を受信部８０３へ出力する。受信部８０３は、受信アンテナ８０２から出力された信号の受信処理を行う。受信部８０３による受信処理には、たとえば、増幅、ＲＦ帯からベースバンド帯への周波数変換、アナログ信号からデジタル信号への変換などが含まれる。受信部８０３は、受信処理を行った信号を受信信号処理部８０４へ出力する。
【００７６】
受信信号処理部８０４は、受信部８０３から出力された信号に対して復調や復号などの処理を行う。そして、受信信号処理部８０４は、復調や復号などの処理によって得られた信号を制御部８０５へ出力する。
【００７７】
制御部８０５は、基地局１２０における通信を制御する。たとえば、制御部８０５は、負荷状況取得部８０１から出力された負荷情報に基づいて、プリファラブルセルを選択する。また、制御部８０５は、端末１１０からのランダムアクセスプリアンブルを受信した場合に、端末１１０からの接続を受け入れるか否かを負荷情報に基づいて判断する。
【００７８】
また、制御部８０５は、受信信号処理部８０４から出力された信号に含まれる、ランダムアクセス手順における各メッセージに対して、送信信号生成部８０６を制御して各応答メッセージを送信する。また、端末１１０からのランダムアクセスプリアンブルに対して端末１１０からの接続を受け入れない場合は、制御部８０５は、ランダムアクセスプリアンブルに対するランダムアクセスレスポンスに接続セル変更指示やプリファラブルセルＩＤのリストを格納する。
【００７９】
送信信号生成部８０６は、制御部８０５からの制御により、基地局１２０が送信すべき信号を生成する。たとえば、送信信号生成部８０６は、制御部８０５から出力される信号を符号化し、符号化した信号に基づく変調を行うことで送信すべき信号を生成する。送信信号生成部８０６が生成する信号には、たとえばランダムアクセス手順におけるメッセージ２やメッセージ４などが含まれる。送信信号生成部８０６は、生成した信号を送信部８０７へ出力する。
【００８０】
送信部８０７は、送信信号生成部８０６から出力された信号の送信処理を行う。送信部８０７による送信処理には、たとえば、デジタル信号からアナログ信号への変換、ベースバンド帯からＲＦ帯への周波数変換、増幅などが含まれる。送信部８０７は、送信処理を行った信号を送信アンテナ８０８へ出力する。送信アンテナ８０８は、送信部８０７から出力された信号を端末１１０へ無線送信する。
【００８１】
基地局１２０において、端末１１０からのランダムアクセスプリアンブルを受信する受信部は、受信アンテナ８０２、受信部８０３および受信信号処理部８０４により実現することができる。また、基地局１２０において、ランダムアクセスプリアンブルに対する応答信号（ランダムアクセスレスポンス）を送信する送信部は、送信信号生成部８０６、送信部８０７および送信アンテナ８０８により実現することができる。
【００８２】
図９は、実施の形態１にかかる基地局のハードウェア構成の一例を示す図である。図８に示した基地局１２０は、たとえば図９に示す通信装置９００により実現することができる。通信装置９００は、ＣＰＵ９０１と、メモリ９０２と、無線通信インタフェース９０３と、有線通信インタフェース９０４と、を備える。ＣＰＵ９０１、メモリ９０２、無線通信インタフェース９０３および有線通信インタフェース９０４は、バス９０９によって接続される。
【００８３】
ＣＰＵ９０１は、通信装置９００の全体の制御を司る。メモリ９０２には、たとえばメインメモリおよび補助メモリが含まれる。メインメモリは、たとえばＲＡＭである。メインメモリは、ＣＰＵ９０１のワークエリアとして使用される。補助メモリは、たとえば磁気ディスク、光ディスク、フラッシュメモリなどの不揮発メモリである。補助メモリには、通信装置９００を動作させる各種のプログラムが記憶されている。補助メモリに記憶されたプログラムは、メインメモリにロードされてＣＰＵ９０１によって実行される。
【００８４】
無線通信インタフェース９０３は、無線によって通信装置９００の外部（たとえば端末１１０）との間で通信を行う通信インタフェースである。無線通信インタフェース９０３は、ＣＰＵ９０１によって制御される。
【００８５】
有線通信インタフェース９０４は、有線によって通信装置９００の外部（たとえば基地局１２０の上位局や他の基地局）との間で通信を行う通信インタフェースである。有線通信インタフェース９０４は、ＣＰＵ９０１によって制御される。有線通信インタフェース９０４には、たとえばＳ１インタフェースやＸ２インタフェースが含まれる。
【００８６】
図８に示した負荷状況取得部８０１は、たとえばＣＰＵ９０１や有線通信インタフェース９０４により実現することができる。図８に示した受信信号処理部８０４、制御部８０５および送信信号生成部８０６は、たとえばＣＰＵ９０１により実現することができる。図８に示した送信部８０７、送信アンテナ８０８、受信アンテナ８０２および受信部８０３は、たとえば無線通信インタフェース９０３により実現することができる。
【００８７】
（実施の形態１におけるランダムアクセスレスポンスへの接続セル変更指示の格納例１）
図１０および図１１は、実施の形態１におけるランダムアクセスレスポンスへの接続セル変更指示の格納例１を示す図である。たとえば図３に示したステップＳ３０４において、基地局１２０は、ランダムアクセスレスポンスとして図１０に示すランダムアクセスレスポンス１０００を端末１１０へ送信する。ランダムアクセスレスポンス１０００は、ＭＡＣヘッダ１０１０と、ＭＡＣペイロード１０２０と、パディング１０３０と、を含む。
【００８８】
ＭＡＣペイロード１０２０は、ｎ個のＭＡＣランダムアクセスレスポンス（ＭＡＣ  ＲＡＲ１〜ＭＡＣ  ＲＡＲｎ）が含まれている。ｎ個のＭＡＣランダムアクセスレスポンスは、基地局１２０が同時期に受信した各ランダムアクセスプリアンブルに対するランダムアクセスレスポンスである。
【００８９】
図１１に示すＭＡＣランダムアクセスレスポンス１１００は、ＭＡＣペイロード１０２０に含まれるＭＡＣ  ＲＡＲ１〜ＭＡＣ  ＲＡＲｎに含まれる１つのＭＡＣランダムアクセスレスポンスである。Ｒビット１１０１は、ＭＡＣランダムアクセスレスポンス１１００に含まれるリザーブドビットである。３ＧＰＰにおいては、Ｒビット１１０１は“０”に設定されることが記載されている。
【００９０】
基地局１２０は、上述した接続セル変更指示として、たとえばＲビット１１０１＝“１”をＭＡＣランダムアクセスレスポンス１１００に格納する。すなわち、基地局１２０は、端末１１０に対して接続セルの変更を指示しない場合はＲビット１１０１＝“０”としたＭＡＣランダムアクセスレスポンス１１００を含むランダムアクセスレスポンス１０００を端末１１０へ送信する。
【００９１】
また、基地局１２０は、端末１１０に対して接続セルの変更を指示する場合はＲビット１１０１＝“１”としたＭＡＣランダムアクセスレスポンス１１００を含むランダムアクセスレスポンス１０００を端末１１０へ送信する。また、基地局１２０は、この場合に、ＭＡＣランダムアクセスレスポンス１１００の残りのフィールドに、プリファラブルセルＩＤのリストを格納してもよい。図１１に示す例では、プリファラブルセルのリストとして、それぞれ９ビットの第１〜第５プリファラブルセルＩＤがＭＡＣランダムアクセスレスポンス１１００に格納されている。
【００９２】
端末１１０は、基地局１２０から受信したランダムアクセスレスポンス１０００に含まれるＭＡＣランダムアクセスレスポンス１１００のＲビット１１０１が“０”であった場合はランダムアクセス手順を継続してメッセージ３を基地局１２０へ送信する。また、端末１１０は、基地局１２０から受信したランダムアクセスレスポンス１０００に含まれるＭＡＣランダムアクセスレスポンス１１００のＲビット１１０１が“１”であった場合は、接続先セルを変更してランダムアクセス手順をやり直す。すなわち、端末１１０は、変更後のセルに対してメッセージ１を送信する。
【００９３】
このように、基地局１２０は、ランダムアクセスレスポンス１０００のＭＡＣランダムアクセスレスポンス１１００（ペイロード）におけるリザーブドビット（Ｒビット１１０１）に、接続セル変更指示を格納することができる。これにより、新たな制御信号や制御信号の領域を追加しなくても、接続セル変更指示を端末１１０へ送信することができる。
【００９４】
また、基地局１２０は、ＭＡＣランダムアクセスレスポンス１１００におけるＲビット１１０１に接続セル変更指示を格納する場合に、ＭＡＣランダムアクセスレスポンス１１００のうちのＲビット１１０１とは異なる領域に、プリファラブルセルＩＤを格納する。これにより、新たな制御信号や制御信号の領域を追加しなくても、プリファラブルセルＩＤを端末１１０へ送信することができる。
【００９５】
（実施の形態１におけるランダムアクセスレスポンスへの接続セル変更指示の格納例２）
図１２は、実施の形態１におけるランダムアクセスレスポンスへの接続セル変更指示の格納例２を示す図である。図１２に示すＭＡＣサブヘッダ１２００は、図１０に示したランダムアクセスレスポンス１０００のＭＡＣヘッダ１０１０に含まれるＥ／Ｔ／Ｒ／Ｒ／ＢＩ  ＭＡＣサブヘッダ（バックオフインジケータサブヘッダ）である。
【００９６】
Ｅ／Ｔ／Ｒ／Ｒ／ＢＩ  ＭＡＣサブヘッダのＥフィールドは、拡張フィールド（Ｅｘｔｅｎｓｉｏｎ  ｆｉｅｌｄ）である。Ｅフィールドが“１”である場合は後続がＥ／Ｔ／ＲＡＰＩＤフィールドであり、Ｅフィールドが“０”である場合は、後続がＭＡＣ  ＲＡＲまたはパディングであることを示す。Ｅ／Ｔ／Ｒ／Ｒ／ＢＩ  ＭＡＣサブヘッダのＴフィールドは、タイプフィールド（Ｔｙｐｅ  ｆｉｅｌｄ）である。Ｔフィールドが“０”である場合はサブヘッダにＢＩが含まれていることを示し、Ｔフィールドが“１”である場合はサブヘッダにＲＡＰＩＤが含まれていることを示す。
【００９７】
基地局１２０は、たとえばＭＡＣサブヘッダ１２００のＲビット１２０１，１２０２（２ビット）を用いてランダムアクセスレスポンスに接続セル変更指示を格納してもよい。たとえば、基地局１２０は、端末１１０に対して接続セルの変更を指示しない場合は、Ｒビット１２０１，１２０２＝“００”としたＭＡＣサブヘッダ１２００を含むランダムアクセスレスポンス１０００を端末１１０へ送信する。この場合は、ＭＡＣサブヘッダ１２００は通常のバックオフインジケータを示す。
【００９８】
また、基地局１２０は、端末１１０に対して接続セルの変更を指示する場合は、Ｒビット１２０１，１２０２＝“１１”としたＭＡＣサブヘッダ１２００を含むランダムアクセスレスポンス１０００を端末１１０へ送信する。また、この場合に、基地局１２０は、ＭＡＣサブヘッダ１２００の４ビットのＢＩフィールド１２０３（Ｂａｃｋｏｆｆ  Ｉｎｄｉｃａｔｏｒ  フィールド）によって、他のセルを選択する確率を指定してもよい。たとえば、基地局１２０は、ＢＩフィールド１２０３の４ビットによって１６段階の確率（たとえば１／１６〜１６／１６）を指定する。
【００９９】
端末１１０は、ＢＩフィールド１２０３によって指定された確率に基づく抽選を行い、当選した場合は接続先のセルを変更してランダムアクセスプリアンブルを送信し直す。また、端末１１０は、当選しなかった場合は接続先のセルを変更せずにランダムアクセスプリアンブルを送信し直す。
【０１００】
また、基地局１２０は、ＢＩフィールド１２０３によって、プリファラブルセルＩＤの一部（たとえば下位４ビット）を示すようにしてもよい。この場合は、たとえばセルプランニングにより、各プリファラブルセルＩＤの一部が重複しないように各セルのＩＤを決定しておくことにより、プリファラブルセルＩＤの一部であってもプリファラブルセルを端末１１０に一意に指定することができる。
【０１０１】
また、現在の仕様では、バックオフインジケータサブヘッダは、ランダムアクセスレスポンスのＭＡＣ（Ｍｅｄｉａ  Ａｃｃｅｓｓ  Ｃｏｎｔｒｏｌ）  ＰＤＵ（Ｐｒｏｔｏｃｏｌ  Ｄａｔａ  Ｕｎｉｔ）の中に１つしか含むことができない。これに対して、たとえば拡張フィールド（Ｅｘｔｅｎｓｉｏｎ  ｆｉｅｌｄ）を用いることにより、ランダムアクセスレスポンスのＭＡＣ  ＰＤＵの中にｎ個（ｎは複数）のバックオフインジケータサブヘッダを含めることができるようにしてもよい。ｎは、ＲＡＰＩＤ（Ｒａｎｄｏｍ  Ａｃｃｅｓｓ  Ｐｒｅａｍｂｌｅ  Ｉｄｅｎｔｉｆｉｅｒ）の数に相当する。
【０１０２】
このように、基地局１２０は、ランダムアクセスレスポンス１０００のＭＡＣ  ＰＤＵのＥ／Ｔ／Ｒ／Ｒ／ＢＩ  ＭＡＣサブヘッダにおける２ビットのＲビット１２０１，１２０２に接続セル変更指示を格納することができる。これにより、新たな制御信号や制御信号の領域を追加しなくても、接続セル変更指示を端末１１０へ送信することができる。
【０１０３】
また、基地局１２０は、Ｒビット１２０１，１２０２に接続セル変更指示を格納する場合に、Ｅ／Ｔ／Ｒ／Ｒ／ＢＩ  ＭＡＣサブヘッダのＢＩフィールド１２０３（Ｂａｃｋｏｆｆ  Ｉｎｄｉｃａｔｏｒ  ｆｉｅｌｄ）に、接続セルを変更する確率を示す情報を格納する。ＢＩフィールド１２０３は、セルのオーバーロード状況を示す情報である。この場合に、端末１１０は、該確率を示す情報に基づいて接続先セルの変更を行い、変更後の接続先セルへランダムアクセスプリアンブルを送信し直す。これにより、端末１１０に対して接続先セルを変更させるか否かを、基地局１２０において判断しなくてもセル間の負荷分散を行うことができる。
【０１０４】
また、基地局１２０は、Ｒビット１２０１，１２０２に接続セル変更指示を格納する場合に、Ｅ／Ｔ／Ｒ／Ｒ／ＢＩ  ＭＡＣサブヘッダのＢＩフィールド１２０３にプリファラブルセルＩＤの一部を格納してもよい。この場合に、端末１１０は、該プリファラブルセルＩＤの一部に基づいてプリファラブルセルを特定し、特定したプリファラブルセルへのランダムアクセスプリアンブルを送信する。これにより、新たな制御信号や制御信号の領域を追加しなくても、接続セル変更指示を端末１１０へ送信することができる。
【０１０５】
（実施の形態１におけるランダムアクセスレスポンスへの接続セル変更指示の格納例３）
図１３および図１４は、実施の形態１におけるランダムアクセスレスポンスへの接続セル変更指示の格納例３を示す図である。図１３に示すＭＡＣランダムアクセスレスポンス１３００は、図１０に示したランダムアクセスレスポンス１０００のＭＡＣペイロード１０２０に含まれるＭＡＣ  ＲＡＲ１〜ＭＡＣ  ＲＡＲｎに含まれる１つのＭＡＣランダムアクセスレスポンスである。
【０１０６】
ただし、図１３に示すＭＡＣランダムアクセスレスポンス１３００は、図１１に示したＭＡＣランダムアクセスレスポンス１１００と異なり、Ｒビット１１０１は通常のランダムアクセスレスポンスのように“０”に設定される。図１４に示すＵＬグラント１３０１（Ｕｐ  Ｌｉｎｋ  Ｇｒａｎｔ）は、ＭＡＣランダムアクセスレスポンス１３００のＵＬグラント１３０１である。
【０１０７】
ＵＬグラント１３０１のＣＳＩリクエスト１４０１（Ｃｈａｎｎｅｌ  Ｓｔａｔｅ  Ｉｎｆｏｒｍａｔｉｏｎ  Ｒｅｑｕｅｓｔ）は、コンテンションベースのランダムアクセスにおいてはリザーブとなっている。基地局１２０は、たとえばＵＬグラント１３０１のＣＳＩリクエスト１４０１を用いてランダムアクセスレスポンスに接続セル変更指示を格納してもよい。
【０１０８】
たとえば、基地局１２０は、端末１１０に対して接続セルの変更を指示しない場合は、ＣＳＩリクエスト１４０１＝“０”としたＵＬグラント１３０１を含むランダムアクセスレスポンス１０００を端末１１０へ送信する。
【０１０９】
また、基地局１２０は、端末１１０に対して接続セルの変更を指示する場合は、ＣＳＩリクエスト１４０１＝“１”としたＵＬグラント１３０１を含むランダムアクセスレスポンス１０００を端末１１０へ送信する。この場合に、端末１１０は、たとえば、ＭＡＣランダムアクセスレスポンス１３００のうちのＣＳＩリクエスト１４０１とは異なるフィールドは無視する。
【０１１０】
また、基地局１２０は、端末１１０に対して接続セルの変更を指示する場合は、ＵＬグラント１３０１のうちのＣＳＩリクエスト１４０１と異なるフィールド（１９ビット）にプリファラブルセルＩＤ（９ビット×２個＋パディング）を格納してもよい。
【０１１１】
また、基地局１２０は、端末１１０に対して接続セルの変更を指示する場合は、ＵＬグラント１３０１の全ビットを“１”とすることにより、ランダムアクセスレスポンス１０００に接続セル変更指示を格納してもよい。すなわち、基地局１２０は、端末１１０に対して接続セルの変更を指示しない場合は、たとえば図１４に示す各フィールドの情報を格納したＵＬグラント１３０１を含むランダムアクセスレスポンス１０００を端末１１０へ送信する。また、基地局１２０は、端末１１０に対して接続セルの変更を指示する場合は、全ビットを“１”としたＵＬグラント１３０１を含むランダムアクセスレスポンス１０００を端末１１０へ送信する。
【０１１２】
このように、基地局１２０は、ランダムアクセスレスポンスのＭＡＣランダムアクセスレスポンス１３００（ペイロード）におけるＵＬグラント１３０１のＣＳＩリクエスト１４０１に接続セル変更指示を格納することができる。これにより、新たな制御信号や制御信号の領域を追加しなくても、接続セル変更指示を端末１１０へ送信することができる。
【０１１３】
（実施の形態１におけるランダムアクセスレスポンスへの接続セル変更指示の格納例４）
基地局１２０は、既存のＭＡＣのランダムアクセスレスポンスに新たなフィールドを設け、該フィールドに接続セル変更指示やプリファラブルセルＩＤを格納してもよい。
【０１１４】
この場合は、基地局１２０がランダムアクセスレスポンスに接続セル変更指示を格納する場合にも、既存のランダムアクセスレスポンスの各情報を維持することができる。このため、端末１１０は、接続セル変更指示を含むランダムアクセスレスポンスを受信した場合は、ランダムアクセスレスポンスに含まれるＴＡコマンド（Ｔｉｍｉｎｇ  Ａｄｖａｎｃｅ  ｃｏｍｍａｎｄ）、ＵＬグラント、Ｔ−ＣＲＮＴＩ（Ｔｅｍｐｏｒａｒｙ−Ｃｅｌｌ  Ｒａｄｉｏ  Ｎｅｔｗｏｒｋ  Ｔｅｍｐｏｒａｒｙ  Ｉｄｅｎｔｉｆｉｅｒ）などの情報を用いて、変更した接続先のセルに対してメッセージ３を送信してもよい。
【０１１５】
たとえば、端末１１０は、セル＃１からの受信タイミングとセル＃２からの受信タイミングが同じである場合は、セル＃１から受信したランダムアクセスレスポンスに含まれるＴＡコマンドを使用してセル＃２へメッセージ３を送信する。また、端末１１０は、セル＃１からの受信タイミングとセル＃２からの受信タイミングが異なる場合は、セル＃２に対してランダムアクセスプリアンブルを送信し直す。
【０１１６】
このように、基地局１２０は、ランダムアクセスレスポンスに設けた新たなフィールドを設けて接続セル変更指示を格納する。これにより、接続セル変更指示と、ランダムアクセスレスポンスを受信した端末１１０が基地局１２０へスケジュールドトランスミッションを送信するための情報と、を含むランダムアクセスレスポンスを端末１１０へ送信することができる。スケジュールドトランスミッションを送信するための情報には、たとえばＴＡコマンド、ＵＬグラント、Ｔ−ＣＲＮＴＩなどが含まれる。
【０１１７】
この場合に、端末１１０は、スケジュールドトランスミッションを送信するための情報に基づいて、変更後の接続先セルへスケジュールドトランスミッション（メッセージ３）を送信する。これにより、端末１１０は、変更後の接続先セルへランダムアクセスプリアンブルを送信しなくてもよく、変更後の接続先セルも端末１１０へランダムアクセスレスポンスを送信しなくてもよい。このため、端末１１０の接続先セルを変更する場合の制御信号の送受信を減らすことができる。
【０１１８】
（実施の形態１におけるバックワードコンパチビリティの実施例）
図１５および図１６は、実施の形態１におけるバックワードコンパチビリティの一例を示す図である。図１５，図１６に示す例では、たとえば図１０，図１１に示した例のように、Ｒビット１１０１＝“１”とすることによってランダムアクセスレスポンスに接続セル変更指示を格納する場合について説明する。
【０１１９】
図１５により、端末１１０と基地局１２０との間のランダムアクセスについて説明する。まず、端末１１０が、基地局１２０のセル＃１へメッセージ１（ＭＳＧ１）を送信する（ステップＳ１５０１）。つぎに、基地局１２０のセル＃１が、端末１１０へメッセージ２（ＭＳＧ２）を送信する（ステップＳ１５０２）。
【０１２０】
また、基地局１２０のセル＃１は、ステップＳ１５０２において、メッセージ２としてランダムアクセスレスポンス１５００を送信する。ランダムアクセスレスポンス１５００は、ヘッダ１５１１，１５１２と、それぞれメッセージ２に対応するメッセージ１５２１，１５２２と、を含む。
【０１２１】
ヘッダ１５１１は、メッセージ１５２１に対応するヘッダである。ヘッダ１５１１の第１ビット（エクステンション）は“１”であり、ヘッダ１５１１の後にヘッダ（ヘッダ１５１２）が続くことを示している。ヘッダ１５１１の第２ビット（タイプフィールド）は“１”であり、ＭＡＣランダムアクセスレスポンスであることを示している。ヘッダ１５１１の第３〜第８ビットは、基地局１２０が受信したランダムアクセスプリアンブルのＩＤ（ＲＡＰＩＤ）である。
【０１２２】
ヘッダ１５１２は、メッセージ１５２２に対応するヘッダである。ヘッダ１５１２の第１ビット（エクステンション）は“０”であり、ヘッダ１５１２の後にヘッダが続かないことを示している。ヘッダ１５１２の第２ビット（タイプフィールド）は“１”であり、ＭＡＣランダムアクセスレスポンスであることを示している。ヘッダ１５１２の第３〜第８ビットは、基地局１２０が受信したランダムアクセスプリアンブルのＩＤ（ＲＡＰＩＤ）である。ヘッダ１５１２の第３〜第８ビットは、ヘッダ１５１１の第３〜第８ビットと同一のＩＤである。
【０１２３】
メッセージ１５２１は、たとえば図１１に示したように、先頭のＲビットに“１”が設定されることにより接続セル変更指示を示し、残りのフィールドにプリファラブルセルＩＤのリストが格納されたメッセージ２である。メッセージ１５２２は、接続セル変更指示およびプリファラブルセルＩＤを含まない通常のメッセージ２であり、ＴＡコマンド、ＵＬグラント、Ｔ−ＣＲＮＴＩなどを含む。
【０１２４】
これに対して、実施の形態１にかかる端末１１０は、図１５に示すように、メッセージ１５２１，１５２２を含むランダムアクセスレスポンス１５００を受信すると、メッセージ１５２１に基づいて接続セルを選択し直してランダムアクセス手順をやり直す。たとえば、端末１１０は、新たな接続セルとして基地局１２０のセル＃２を選択し、セル＃２へメッセージ１（ＭＳＧ１）を送信する（ステップＳ１５０３）。
【０１２５】
図１６により、レガシ端末１６１０と基地局１２０との間のランダムアクセスについて説明する。レガシ端末１６１０は、ランダムアクセスレスポンスに含まれる接続セル変更指示を認識しない従来の端末である。図１６において、図１５に示した部分と同様の部分については同一の符号を付して説明を省略する。
【０１２６】
まず、レガシ端末１６１０が、基地局１２０のセル＃１へメッセージ１（ＭＳＧ１）を送信する（ステップＳ１６０１）。つぎに、基地局１２０のセル＃１が、レガシ端末１６１０へメッセージ２（ＭＳＧ２）を送信する（ステップＳ１６０２）。ステップＳ１６０２によって送信されるメッセージ２は、図１５に示した例と同様のランダムアクセスレスポンス１５００である。
【０１２７】
これに対して、レガシ端末１６１０は、メッセージ１５２１，１５２２を含むランダムアクセスレスポンス１５００を受信すると、メッセージ１５２１のＲビットが“１”であり無効であるため、メッセージ１５２１を無視する。そして、レガシ端末１６１０は、メッセージ１５２２に従ってランダムアクセス手順を継続し、基地局１２０のセル＃１へメッセージ３（ＭＳＧ３）を送信する（ステップＳ１６０３）。
【０１２８】
このように、基地局１２０は、たとえば、実施の形態１にかかるメッセージ２と通常のメッセージ２とを同時に送信する。これにより、バックワードコンパチビリティを実現することができる。
【０１２９】
図１７および図１８は、実施の形態１におけるバックワードコンパチビリティの他の例を示す図である。図１７，図１８において、図１５，図１６に示した部分と同様の部分については同一の符号を付して説明を省略する。図１７により、端末１１０と基地局１２０との間のランダムアクセスについて説明する。まず、端末１１０が、基地局１２０のセル＃１へメッセージ１（ＭＳＧ１）を送信する（ステップＳ１７０１）。
【０１３０】
つぎに、基地局１２０のセル＃１が、メッセージ２（ＭＳＧ２）としてヘッダ１５１１およびメッセージ１５２１を含むメッセージを送信する（ステップＳ１７０２）。図１７に示す例では、ヘッダ１５１１の第１ビット（エクステンション）は“０”であり、ヘッダ１５１１の後にヘッダが続かないことを示している。また、基地局１２０のセル＃１が、メッセージ２（ＭＳＧ２）としてヘッダ１５１２およびメッセージ１５２２を含むメッセージを送信する（ステップＳ１７０３）。
【０１３１】
これに対して、実施の形態１にかかる端末１１０は、図１７に示すように、先に受信したメッセージ１５２１に従い、接続セルを選択し直してランダムアクセス手順をやり直す。たとえば、端末１１０は、新たな接続セルとして基地局１２０のセル＃２を選択し、セル＃２へメッセージ１（ＭＳＧ１）を送信する（ステップＳ１７０４）。
【０１３２】
図１８により、レガシ端末１６１０と基地局１２０との間のランダムアクセスについて説明する。まず、レガシ端末１６１０が、基地局１２０のセル＃１へメッセージ１（ＭＳＧ１）を送信する（ステップＳ１８０１）。
【０１３３】
つぎに、基地局１２０のセル＃１が、メッセージ２（ＭＳＧ２）としてヘッダ１５１１およびメッセージ１５２１を含むメッセージを送信する（ステップＳ１８０２）。つぎに、基地局１２０のセル＃１が、メッセージ２（ＭＳＧ２）としてヘッダ１５１２およびメッセージ１５２２を含むメッセージを送信する（ステップＳ１８０３）。
【０１３４】
これに対して、レガシ端末１６１０は、先に受信したメッセージ１５２１のＲビットが“１”であり無効であるため、メッセージ１５２１を無視する。そして、レガシ端末１６１０は、つぎに受信したメッセージ１５２２に従ってランダムアクセス手順を継続し、基地局１２０のセル＃１へメッセージ３（ＭＳＧ３）を送信する（ステップＳ１８０４）。
【０１３５】
このように、基地局１２０は、実施の形態１にかかるメッセージ２と従来のメッセージ２とを別々に送信してもよい。これにより、バックワードコンパチビリティを実現することができる。
【０１３６】
（実施の形態１にかかる無線通信システムの他の例）
図１９は、実施の形態１にかかる無線通信システムの他の例を示す図である。図１９において、図１に示した部分と同様の部分については同一の符号を付して説明を省略する。図１９に示すように、無線通信システム１００は、マクロセル１９０１のエリア内にスモールセル１９０２，１９０３が形成される構成であってもよい。図１９に示す例では、基地局１２０は、マクロセル１９０１を形成するマクロ基地局である。マクロセル１９０１は、周波数ｆ１のセルである。
【０１３７】
基地局１９１１，１９１２は、たとえば、マクロセル１９０１のエリア内にスモールセル１９０２，１９０３を形成するスモール基地局である。スモールセル１９０２，１９０３のそれぞれは、たとえば周波数ｆ１と異なる周波数ｆ２のセルである。マクロセル１９０１およびスモールセル１９０２，１９０３の各セルＩＤは異なるＩＤである。
【０１３８】
この場合は、基地局１２０は、基地局間インタフェースを経由して基地局１９１１，１９１２からそれぞれスモールセル１９０２，１９０３の負荷状況を示す負荷情報を取得する。そして、基地局１２０は、自局のマクロセル１９０１の負荷情報と、基地局１９１１，１９１２から取得した負荷情報と、に基づいて、マクロセル１９０１およびスモールセル１９０２，１９０３の中から端末１１０のプリファラブルセルを決定する。
【０１３９】
基地局１２０がマクロセル１９０１を形成する場合について説明したが、基地局１２０が複数のセルを形成する構成としてもよい。同様に、スモールセル１９０２，１９０３のそれぞれが、複数のセルを形成する構成としてもよい。
【０１４０】
また、図１９に示した構成において、基地局１９１１，１９１２に代えて、基地局１２０から地理的に離れた基地局１２０のアンテナやＲＲＨを設け、このアンテナやＲＲＨによってスモールセル１９０２，１９０３を形成する構成としてもよい。
【０１４１】
この場合は、基地局１２０は、基地局１２０のアンテナやＲＲＨが形成するスモールセル１９０２，１９０３の負荷状況を示す負荷情報を取得し、取得した負荷情報に基づいて端末１１０のプリファラブルセルを決定する。
【０１４２】
図１９においては端末１１０が基地局１２０との間でランダムアクセス手順を行った場合を示しているが、端末１１０が基地局１９１１との間でランダムアクセス手順を行った場合は基地局１９１１からランダムアクセスレスポンスが端末１１０へ送信される。同様に、端末１１０が基地局１９１２との間でランダムアクセス手順を行った場合は基地局１９１２からランダムアクセスレスポンスが端末１１０へ送信される。
【０１４３】
（実施の形態１にかかる無線通信システムのさらに他の例）
図２０は、実施の形態１にかかる無線通信システムのさらに他の例を示す図である。図２０において、図１に示した部分と同様の部分については同一の符号を付して説明を省略する。図２０に示すように、無線通信システム１００は、スモールセル２００１〜２００９が密に展開（形成）される構成であってもよい。図２０に示す例では、無線通信システム１００は、基地局２０１１〜２０１９を含む。
【０１４４】
基地局２０１１〜２０１９は、それぞれが上述した基地局１２０に対応する基地局であって、それぞれスモールセル２００１〜２００９を形成するスモール基地局である。図２０に示す例では、スモールセル２００１〜２００９は、いずれも周波数ｆ１のセルである。ただし、スモールセル２００１〜２００９の周波数は互いに異なっていてもよい。また、図２０に示したスモールセル２００１〜２００９に対して、たとえばさらにマクロセルが重複していてもよい。
【０１４５】
一例として、基地局２０１５が、端末１１０からのランダムアクセスプリアンブルを受信した場合について説明する。
【０１４６】
基地局２０１５は、基地局２０１５のスモールセル２００５と、基地局２０１５の近隣の基地局のセル（たとえばスモールセル２００１，２００２，２００４，２００６〜２００８）と、の負荷情報を取得する。基地局２０１５の近隣の基地局のセルの負荷情報は、たとえば基地局２０１５の近隣の基地局（たとえば基地局２０１１，２０１２，２０１４，２０１６〜２０１８）から基地局間インタフェースを経由して取得することができる。
【０１４７】
基地局２０１１〜２０１９がそれぞれスモールセル２００１〜２００９を形成する場合について説明したが、基地局２０１１〜２０１９がそれぞれ複数のスモールセルを形成する構成としてもよい。
【０１４８】
また、図２０に示した構成において、基地局２０１１〜２０１９に代えて、基地局１２０（マクロセル）から地理的に離れた基地局１２０のアンテナやＲＲＨを設け、このアンテナやＲＲＨによってスモールセル２００１〜２００９を形成する構成としてもよい。
【０１４９】
この場合は、基地局１２０は、基地局１２０のアンテナやＲＲＨが形成するスモールセル２００１〜２００９の負荷状況を示す負荷情報を取得し、取得した負荷情報に基づいて端末１１０のプリファラブルセルを決定する。
【０１５０】
以上、ランダムアクセスレスポンスにプリファラブルセルを格納する場合について説明した。これに対して、基地局１２０は、変更先のセルとして好ましくないアンフェボラブルセルを示すアンフェボラブルセルＩＤのリストをランダムアクセスレスポンスに格納してもよい。この場合は、端末１１０は、アンフェボラブルセルＩＤが示すセルとは異なるセルの信号を測定し、測定結果が所定の条件を満たすセルを新たな接続先のセルとして選択する。
【０１５１】
このように、実施の形態１にかかる無線通信システム１００によれば、基地局１２０が、ランダムアクセス手順におけるランダムアクセスレスポンスに接続セル変更指示を格納して送信することで、端末１１０の接続先セルを制御可能になる。これにより、各セルの負荷状況に応じたセル間の負荷分散を行うことができる。
【０１５２】
また、たとえばランダムアクセス手順におけるコンテンションレゾリューション（メッセージ４）に接続セル変更指示を格納して送信する場合に比べて、端末１１０の初期アクセスにおける早い段階で端末１１０に対して接続先のセルを変更させることができる。これにより、混雑しているセルでの制御信号の送受信を抑制することができる。このため、たとえば基地局１２０がランダムアクセスレスポンスを送信した直後の期間におけるセル間の負荷分散を行うことができる。
【０１５３】
また、上記において、基地局１２０が接続セル変更指示およびプリファラブルセルをランダムアクセスレスポンスに格納する場合について説明した。これに対して、基地局１２０は、端末１１０が優先的に接続を回避すべきセルの識別子および接続セル変更指示を含むランダムアクセスレスポンスを送信してもよい。以下、端末１１０が優先的に接続を回避すべきセルをアンフェボラブルセルと称し、アンフェボラブルセルの識別子をアンフェボラブルセルＩＤと称する。
【０１５４】
アンフェボラブルセルは、プリファラブルセルと同様に、各セルの負荷状況に応じて選択することができる。たとえば、プリファラブルセルが負荷の少ないセルであるのに対して、アンフェボラブルセルは負荷の多いセルとすることができる。
【０１５５】
この場合に、端末１１０は、接続可能なセルのうちのアンフェボラブルセルＩＤが示すアンフェボラブルセルと異なるセルが所定条件を満たす場合は、該異なるセルへの接続処理を行う。また、端末１１０は、該異なるセルが所定条件を満たさない場合は、該アンフェボラブルセルの少なくともいずれかへの接続処理を行う。これにより、アンフェボラブルセルＩＤが示すアンフェボラブルセルへの接続を優先的に回避することができる。
【０１５６】
このように、基地局１２０は、セルの負荷状況に応じて選択したアンフェボラブルセルＩＤをランダムアクセスレスポンスに格納することで、端末１１０を負荷の少ないセルへ接続させ、セル間の負荷分散を行うことができる。また、基地局１２０は、セルの負荷状況に応じて選択した複数のアンフェボラブルセルＩＤをランダムアクセスレスポンスに格納することで、端末１１０が負荷の少ないセルに接続できる可能性を高め、セル間の負荷分散を行うことができる。
【０１５７】
（実施の形態２）
実施の形態２について、実施の形態１と異なる部分について説明する。実施の形態１においては接続セル変更指示をランダムアクセスレスポンス（メッセージ２）に格納する場合について説明したが、実施の形態２においては接続セル変更指示をコンテンションレゾリューション（メッセージ４）に格納する場合について説明する。
【０１５８】
（実施の形態２にかかる無線通信システムの処理例１）
図２１は、実施の形態２にかかる無線通信システムの処理例１を示すシーケンス図である。実施の形態２にかかる無線通信システム１００においては、たとえば図２１に示す各ステップが実行される。
【０１５９】
まず、端末１１０が、基地局１２０のセル＃１を接続先として選択し、ランダムアクセス手順におけるメッセージ１（ＭＳＧ１）としてランダムアクセスプリアンブルを基地局１２０のセル＃１へ送信する（ステップＳ２１０１）。つぎに、基地局１２０のセル＃１が、ランダムアクセス手順におけるメッセージ２（ＭＳＧ２）としてランダムアクセスレスポンスを端末１１０へ送信する（ステップＳ２１０２）。
【０１６０】
つぎに、端末１１０が、ランダムアクセス手順におけるメッセージ３（ＭＳＧ３）としてスケジュールドトランスミッションを基地局１２０のセル＃１へ送信する（ステップＳ２１０３）。スケジュールドトランスミッションには、ＲＲＣコネクションの設定を要求するＲＲＣコネクションリクエストが含まれる。
【０１６１】
つぎに、基地局１２０のセル＃１が、ランダムアクセス手順におけるメッセージ４（ＭＳＧ４）としてコンテンションレゾリューションを端末１１０へ送信する（ステップＳ２１０４）。コンテンションレゾリューションには、たとえば新たに定義したＲＲＣコネクションリダイレクションが含まれる。
【０１６２】
図２１に示す例では、基地局１２０のセル＃１は、ステップＳ２１０４によって送信するコンテンションレゾリューションに含まれるＲＲＣコネクションリダイレクションに、上述した接続セル変更指示およびプリファラブルセルＩＤのリストを格納したとする。また、端末１１０は、ステップＳ２１０４によって受信したコンテンションレゾリューションのＲＲＣコネクションリダイレクションに含まれる接続セル変更指示に基づいて、接続先のセルをセル＃１からセル＃２に変更したとする。
【０１６３】
つぎに、端末１１０が、ランダムアクセス手順におけるメッセージ１（ＭＳＧ１）としてランダムアクセスプリアンブルを基地局１２０のセル＃２へ送信する（ステップＳ２１０５）。つぎに、基地局１２０のセル＃２が、ランダムアクセス手順におけるメッセージ２（ＭＳＧ２）としてランダムアクセスレスポンスを端末１１０へ送信する（ステップＳ２１０６）。つぎに、端末１１０が、ランダムアクセス手順におけるメッセージ３（ＭＳＧ３）としてスケジュールドトランスミッションを基地局１２０のセル＃２へ送信する（ステップＳ２１０７）。
【０１６４】
つぎに、基地局１２０のセル＃２が、ランダムアクセス手順におけるメッセージ４（ＭＳＧ４）としてコンテンションレゾリューションを端末１１０へ送信する（ステップＳ２１０８）。図２１に示す例では、基地局１２０のセル＃２は、ステップＳ２１０８によって送信するコンテンションレゾリューションでＲＲＣコネクションセットアップを送信したとする。この場合は、端末１１０による基地局１２０のセル＃２への接続が完了する。
【０１６５】
このように、基地局１２０は、ランダムアクセス手順におけるコンテンションレゾリューションに、接続セル変更指示およびプリファラブルセルＩＤのリストを格納する。これにより、変更後の接続先のセルにおける無線品質が接続の要件を満たす可能性を高くすることができる。また、端末１１０が変更後の接続先のセルへ送信したランダムアクセスプリアンブルが変更後の接続先のセルへ届かないケースの発生確率を減らすことができる。
【０１６６】
（実施の形態２にかかる無線通信システムの処理例１の詳細）
図２２は、実施の形態２にかかる無線通信システムの処理例１の詳細を示すシーケンス図である。図２２に示すステップＳ２２０１，Ｓ２２０２は、図３に示したステップＳ３０１，Ｓ３０２と同様である。図２２に示すステップＳ２２０３〜Ｓ２２０６は、図２１に示したステップＳ２１０１〜Ｓ２１０４と同様である。
【０１６７】
ステップＳ２２０７〜Ｓ２２１２は、図３に示したステップＳ３０５〜Ｓ３１０と同様である。ただし、ステップＳ２２０７において、端末１１０は、ステップＳ２２０６によって受信したコンテンションレゾリューションのＲＲＣコネクションリダイレクションに含まれる接続セル変更指示およびプリファラブルセルＩＤのリストに基づいて測定を行う。また、ステップＳ２２１１によって送信されるスケジュールドトランスミッションにはＲＲＣコネクションリクエストが含まれ、ステップＳ２２１２によって送信されるコンテンションレゾリューションにはＲＲＣコネクションセットアップが含まれる。
【０１６８】
ステップＳ２２１２のつぎに、端末１１０が、ステップＳ２２１２によって受信したコンテンションレゾリューションのＲＲＣコネクションセットアップに基づきＲＲＣコネクションの設定を行う。そして、端末１１０が、ＲＲＣコネクションセットアップコンプリートを基地局１２０のセル＃２へ送信する（ステップＳ２２１３）。
【０１６９】
図２１，図２２に示したように、基地局１２０は、たとえばコンテンションレゾリューションにおいて接続セル変更指示を格納するための専用のＲＲＣコネクションリダイレクションに接続セル変更指示を格納することができる。
【０１７０】
（実施の形態２にかかる無線通信システムの処理例２）
図２３は、実施の形態２にかかる無線通信システムの処理例２を示すシーケンス図である。実施の形態２にかかる無線通信システム１００においては、たとえば図２３に示す各ステップが実行されてもよい。図２３に示すステップＳ２３０１〜Ｓ２３０８は、図２１に示したステップＳ２１０１〜Ｓ２１０８と同様である。
【０１７１】
ただし、ステップＳ２３０４において、基地局１２０のセル＃１は、送信するコンテンションレゾリューションに、接続セル変更指示およびプリファラブルセルＩＤのリストを含むＲＲＣコネクションリジェクトを格納する。このように、基地局１２０は、端末１１０に対して接続先のセルを変更させる場合に、コンテンションレゾリューションに含まれるＲＲＣコネクションリジェクトに接続セル変更指示およびプリファラブルセルＩＤのリストを格納してもよい。
【０１７２】
（実施の形態２にかかる無線通信システムの処理例２の詳細）
図２４は、実施の形態２にかかる無線通信システムの処理例２の詳細を示すシーケンス図である。図２４に示すステップＳ２４０１〜Ｓ２４１３は、図２２に示したステップＳ２２０１〜Ｓ２２１３と同様である。ただし、ステップＳ２４０６において、基地局１２０のセル＃１は、送信するコンテンションレゾリューションのＲＲＣコネクションリジェクトに接続セル変更指示およびプリファラブルセルＩＤのリストを格納する。
【０１７３】
（実施の形態２にかかる無線通信システムの処理例２におけるＲＲＣコネクションリジェクト）
図２５は、実施の形態２にかかる無線通信システムの処理例２におけるＲＲＣコネクションリジェクトの一例を示す図である。基地局１２０は、上述したＲＲＣコネクションリジェクトとして、たとえば図２５に示すＲＲＣコネクションリジェクト２５００を送信する。ＲＲＣコネクションリジェクト２５００は、基地局１２０が送信するＲＲＣコネクションリジェクトのデータ構造をＡＳＮ．１（Ａｂｓｔｒａｃｔ  Ｓｙｎｔａｘ  Ｎｏｔａｔｉｏｎ  Ｏｎｅ）により示したものである。
【０１７４】
また、ＲＲＣコネクションリジェクト２５００は、３ＧＰＰのＴＳ３６．３３１において定義されたＲＲＣコネクションリジェクトに、符号２５０１，２５０２（下線部）に示す「ＣｏｎｎｅｃｔＣｅｌｌＭｏｄｉｆｙ」および「ｐｒｅｆｅｒａｂｌｅＣｅｌｌＩｄＬｉｓｔ」を追加したメッセージである。
【０１７５】
基地局１２０は、ＲＲＣコネクションリジェクト２５００の「ＣｏｎｎｅｃｔＣｅｌｌＭｏｄｉｆｙ」に接続セル変更指示を格納する。また、基地局１２０は、ＲＲＣコネクションリジェクト２５００の「ｐｒｅｆｅｒａｂｌｅＣｅｌｌＩｄＬｉｓｔ」にプリファラブルセルＩＤのリストを格納する。
【０１７６】
図２６は、実施の形態２にかかる無線通信システムの処理例２におけるＲＲＣコネクションリジェクトの他の例を示す図である。基地局１２０は、たとえば図２６に示すＲＲＣコネクションリジェクト２６００を送信してもよい。ＲＲＣコネクションリジェクト２６００は、基地局１２０が送信するＲＲＣコネクションリジェクトのデータ構造をＡＳＮ．１により示したものである。
【０１７７】
また、ＲＲＣコネクションリジェクト２６００は、３ＧＰＰのＴＳ３６．３３１において定義されたＲＲＣコネクションリジェクトの「ｎｏｎＣｒｉｔｉｃａｌＥｘｔｅｎｓｉｏｎ」に、符号２６０３（下線部）に示すように「ＲＲＣＣｏｎｎｅｃｔｉｏｎＲｅｊｅｃｔ−ｖ１３ｘｙ−ＩＥｓ」を追加し、その内容を符号２６０１，２６０２（下線部）に示すように「ＣｏｎｎｅｃｔＣｅｌｌＭｏｄｉｆｙ」および「ｐｒｅｆｅｒａｂｌｅＣｅｌｌＩｄＬｉｓｔ」にしたメッセージである。
【０１７８】
基地局１２０は、ＲＲＣコネクションリジェクト２６００の「ＣｏｎｎｅｃｔＣｅｌｌＭｏｄｉｆｙ」に接続セル変更指示を格納する。また、基地局１２０は、ＲＲＣコネクションリジェクト２６００の「ｐｒｅｆｅｒａｂｌｅＣｅｌｌＩｄＬｉｓｔ」にプリファラブルセルＩＤのリストを格納する。
【０１７９】
（実施の形態２にかかる無線通信システムの処理例３）
図２７は、実施の形態２にかかる無線通信システムの処理例３を示すシーケンス図である。実施の形態２にかかる無線通信システム１００においては、たとえば図２７に示す各ステップが実行されてもよい。図２７に示すステップＳ２７０１〜Ｓ２７０８は、図２３に示したステップＳ２３０１〜Ｓ２３０８と同様である。
【０１８０】
ただし、ステップＳ２７０４において、基地局１２０のセル＃１は、送信するコンテンションレゾリューションのＲＲＣコネクションセットアップに接続セル変更指示を格納する。また、基地局１２０のセル＃１は、ＲＲＣコネクションセットアップにさらにプリファラブルセルＩＤのリストを格納してもよい。
【０１８１】
端末１１０は、ステップＳ２７０４によって受信したコンテンションレゾリューションのＲＲＣコネクションセットアップに含まれる接続セル変更指示に基づいて、たとえば、接続先のセルをセル＃１から＃２に変更する。
【０１８２】
（実施の形態２にかかる無線通信システムの処理例３におけるＲＲＣコネクションセットアップ）
図２８は、実施の形態２にかかる無線通信システムの処理例３におけるＲＲＣコネクションセットアップの一例を示す図である。基地局１２０は、上述したＲＲＣコネクションセットアップとして、たとえば図２８に示すＲＲＣコネクションセットアップ２８００を送信する。ＲＲＣコネクションセットアップ２８００は、基地局１２０が送信するＲＲＣコネクションセットアップのデータ構造をＡＳＮ．１により示したものである。
【０１８３】
また、ＲＲＣコネクションセットアップ２８００は、３ＧＰＰのＴＳ３６．３３１において定義されたＲＲＣコネクションセットアップに、符号２８０１，２８０２（下線部）に示す「ＣｏｎｎｅｃｔＣｅｌｌＭｏｄｉｆｙ」および「ｐｒｅｆｅｒａｂｌｅＣｅｌｌＩｄＬｉｓｔ」を追加したメッセージである。
【０１８４】
基地局１２０は、ＲＲＣコネクションセットアップ２８００の「ＣｏｎｎｅｃｔＣｅｌｌＭｏｄｉｆｙ」に接続セル変更指示を格納する。また、基地局１２０は、ＲＲＣコネクションセットアップ２８００の「ｐｒｅｆｅｒａｂｌｅＣｅｌｌＩｄＬｉｓｔ」にプリファラブルセルＩＤのリストを格納する。
【０１８５】
図２９および図３０は、実施の形態２にかかる無線通信システムの処理例３におけるＲＲＣコネクションセットアップの他の例を示す図である。基地局１２０は、上述したＲＲＣコネクションセットアップとして、たとえば図２９に示すＲＲＣコネクションセットアップ２９００を送信してもよい。ＲＲＣコネクションセットアップ２９００は、基地局１２０が送信するＲＲＣコネクションセットアップのデータ構造をＡＳＮ．１により示したものである。
【０１８６】
また、ＲＲＣコネクションセットアップ２９００は、３ＧＰＰのＴＳ３６．３３１において定義されたＲＲＣコネクションセットアップに、符号２９０１（下線部）に示す「ＣｏｎｎｅｃｔＣｅｌｌＭｏｄｉｆｙ」を追加したメッセージである。基地局１２０は、ＲＲＣコネクションセットアップ２９００の「ＣｏｎｎｅｃｔＣｅｌｌＭｏｄｉｆｙ」に接続セル変更指示を格納する。
【０１８７】
図３０に示すインフォメーションエレメント３０００は、図２９に示したＲＲＣコネクションセットアップ２９００における符号２９０２（下線部）に示す「ＲａｄｉｏＲｅｓｏｕｒｃｅＣｏｎｆｉｇＤｅｄｉｃａｔｅｄ」の一部を示している。基地局１２０は、図２９に示すＲＲＣコネクションセットアップ２９００を送信する場合は、インフォメーションエレメント３０００における符号３００１（下線部）に示す「ｎｅｉｇｈＣｅｌｌｓＴｏＡｄｄＭｏｄＬｉｓｔ」にプリファラブルセルＩＤのリストを格納してもよい。
【０１８８】
図３１は、実施の形態２にかかる無線通信システムの処理例３におけるＲＲＣコネクションセットアップのさらに他の例を示す図である。基地局１２０は、たとえば図３１に示すＲＲＣコネクションセットアップ３１００を送信してもよい。ＲＲＣコネクションセットアップ３１００は、基地局１２０が送信するＲＲＣコネクションセットアップのデータ構造をＡＳＮ．１により示したものである。
【０１８９】
また、ＲＲＣコネクションセットアップ３１００は、３ＧＰＰのＴＳ３６．３３１において定義されたＲＲＣコネクションセットアップの「ｎｏｎＣｒｉｔｉｃａｌＥｘｔｅｎｓｉｏｎ」に、符号３１０１（下線部）に示すように「ＲＲＣＣｏｎｎｅｃｔｉｏｎＳｅｔｕｐ−ｖ１３ｘｙ−ＩＥｓ」を追加し、その内容を、３１０２（下線部）に示すように「ＣｏｎｎｅｃｔＣｅｌｌＭｏｄｉｆｙ」および「ｐｒｅｆｅｒａｂｌｅＣｅｌｌＩｄＬｉｓｔ」としたメッセージである。
【０１９０】
基地局１２０は、ＲＲＣコネクションセットアップ３１００の「ＣｏｎｎｅｃｔＣｅｌｌＭｏｄｉｆｙ」に接続セル変更指示を格納する。また、基地局１２０は、ＲＲＣコネクションセットアップ３１００の「ｐｒｅｆｅｒａｂｌｅＣｅｌｌＩｄＬｉｓｔ」にプリファラブルセルＩＤのリストを格納する。
【０１９１】
また、基地局１２０は、ＲＲＣコネクションセットアップ３１００には「ｐｒｅｆｅｒａｂｌｅＣｅｌｌＩｄＬｉｓｔ」を設けなくてもよい。この場合に、基地局１２０は、ＲＲＣコネクションセットアップ３１００における「ＲａｄｉｏＲｅｓｏｕｒｃｅＣｏｎｆｉｇＤｅｄｉｃａｔｅｄ」の「ｎｅｉｇｈＣｅｌｌｓＴｏＡｄｄＭｏｄＬｉｓｔ」にプリファラブルセルＩＤのリストを格納してもよい。
【０１９２】
ＲＲＣコネクションセットアップ３１００における「ｎｅｉｇｈＣｅｌｌｓＴｏＡｄｄＭｏｄＬｉｓｔ」は、図３０に示したインフォメーションエレメント３０００における「ｎｅｉｇｈＣｅｌｌｓＴｏＡｄｄＭｏｄＬｉｓｔ」と同様である。
【０１９３】
このように、実施の形態２にかかる無線通信システム１００によれば、基地局１２０が、ランダムアクセス手順におけるコンテンションレゾリューションに接続セル変更指示を格納して送信することで、端末１１０の接続先セルを制御可能になる。これにより、各セルの負荷状況に応じたセル間の負荷分散を行うことができる。
【０１９４】
また、基地局１２０が、コンテンションレゾリューションに複数のプリファラブルセルＩＤを格納することで、各セルの負荷状況に応じて基地局１２０が指定したセルに、無線品質が所定条件を満たすセルが存在する確率を高くすることができる。これにより、端末１１０を負荷の少ないセルに接続させ、セル間の負荷分散を行うことができる。また、端末１１０の接続の成功確率を高くし、各装置の処理量やシグナリング量の増加を抑制することができる。
【０１９５】
また、実施の形態２においても、実施の形態１と同様に、プリファラブルセルＩＤに代えてアンフェボラブルセルＩＤを用いてもよい。すなわち、基地局１２０は、接続セル変更指示とともに、セルの負荷状況に応じて選択した複数のアンフェボラブルセルＩＤをコンテンションレゾリューションに格納してもよい。これにより、端末１１０は、アンフェボラブルセルＩＤによって指定された負荷の多いセルとは異なるセルへ優先的に接続することが可能になる。このため、端末１１０が負荷の少ないセルに接続できる可能性を高め、セル間の負荷分散を行うことができる。
【０１９６】
また、上述した各実施の形態において、プリファラブルセルＩＤやアンフェボラブルセルＩＤには、たとえば各セルに割り当てられている９ビットのＰＣＩ（Ｐｈｙｓｉｃａｌ  Ｃｅｌｌ  Ｉｄｅｎｔｉｔｙ：物理セルＩＤ）を用いることができる。また、プリファラブルセルＩＤやアンフェボラブルセルＩＤとして、ＰＣＩの一部のビットを用いてもよい。これにより、オーバーヘッドの増加を抑えることができる。ＰＣＩの一部のビットは、一例としてはＰＣＩの下位Ｘビット（Ｘは１〜８）である。この場合に、セルプランニングにおいて、同一基地局や隣接する基地局の構成するセルには下位Ｘビットが同じになるＰＣＩは割り当てないようにする。
【０１９７】
以上説明したように、無線通信システム、無線装置および処理方法によれば、各セルの状況に応じたセル間の負荷分散を行うことができる。
【０１９８】
たとえば、各端末が負荷の少ないセルに接続することができるため、システム内のスループットを向上させることができる。一例として、１セルあたりの伝送容量（速度）を１００、ユーザあたりのトラフィックを１０（すなわち接続ユーザ数が１０台で飽和）と仮定する。また、セル＃１の現在の接続ユーザ数を１０台、セル＃２の現在の接続ユーザ数５台（すなわち現在のシステムスループットを１５０）と仮定する。
【０１９９】
たとえば上述した各実施の形態による負荷分散を行わない場合は、新たなユーザがセル＃１で発信した場合は、セル＃１の伝送容量（１００）を１１台のユーザで分け合うため、システムスループットは１５０のままとなる。これに対して、上述した各実施の形態による負荷分散を行うことで、新たなユーザが負荷の少ない（空いている）セル＃２に接続できるため、システムスループットは１６０となる。このため、７％のシステムスループットの向上となる。発信する端末が増えると、さらにシステムスループットが向上する。
【０２００】
また、たとえば、セル選択のために、基地局が端末に対して報知情報などを用いて周波数ごとの優先度を設定することも考えられる。しかしながら、この場合は優先度情報が各端末に共通の情報となるため、優先度の高い周波数キャリアのセルへの集中（待ち受け端末の偏り）が生じる場合がある。
【０２０１】
また、周波数キャリアセル間で端末を分散させるために、報知情報で各セルの選択確率を指定することが考えられる。しかしながら、報知情報の更新間隔は長い（たとえば６４０〜４０９６０［ｍｓ］）ため、負荷状況が変化した場合の対応に遅れが生じる場合がある。この場合は、低スループットや呼損の原因となる場合がある。また、選択確率を用いた制御であるため、目標とする確率に対してずれが生じる場合がある。
【０２０２】
これに対して、上述した各実施の形態によれば、各端末に対してランダムアクセスレスポンスやコンテンションレゾリューションによって個別に接続セル変更指示を送信することができるため、特定のセルへの負荷の集中を回避することができる。また、その時々の各セルの負荷状況（混雑度）に応じた負荷分散制御が可能になる。
【０２０３】
また、たとえば報知情報により選択確率を設定する方法に比べて、ランダムアクセスレスポンスやコンテンションレゾリューションを用いることで制御間隔を短くすることができる。このため、負荷状況の変化に迅速に対応し、特定の周波数キャリアのセルに負荷が集中することを抑制し、無線リソースを効率よく使用することができる。
【０２０４】
また、たとえば任意のセルに対して一旦接続させてからハンドオーバを行う方法に比べて、早い段階で接続セルを変更することができる。また、ハンドオーバに伴うシグナリングや処理の複雑さを回避することができる。
【０２０５】
また、上述した各実施の形態によれば、ランダムアクセス手順を利用することで、端末の着信時に限らず、端末の発信時においても各セルの状況に応じたセル間の負荷分散を行うことができる。たとえば、上述した各実施の形態によれば、端末によるセルへの初期アクセス時にセル間の負荷分散を行うことができる。端末が初期アクセスを行う契機には、たとえば、位置登録（アタッチ）、位置登録更新（トラッキングエリアアップデート）、サービスリクエストなどがある。サービスリクエストは、たとえば、通話、メール、ウェブアクセスなど様々なサービスの要求である。また、上述した各実施の形態によれば、端末が基地局からのページングで呼び出されてランダムアクセス手順を行う場合にもセル間の負荷分散を行うことができる。したがって、電話着信、メールの受信、対話アプリのプッシュ通知の受信などの着信時においても、各セルの状況に応じたセル間の負荷分散を行うことができる。メールには、たとえば、ＥメールやＳＭＳ（Ｓｈｏｒｔ  Ｍｅｓｓａｇｅ  Ｓｅｒｖｉｃｅ）などが含まれる。
【０２０６】
また、上述した各実施の形態は、たとえば周波数ごとの優先度を設定するなどの従来技術に代えて用いることができる。または、上述した各実施の形態は、従来技術と組み合わせて用いてもよい。これにより、負荷状況の変化への迅速な対応を行うことができる。また、たとえば周波数ごとの優先度を用いる構成において、アイドルモードの端末の分布の偏りが残ってしまった場合に、上述した各実施の形態を組み合わせることで該偏りを補正することができる。
【０２０７】
上述した実施の形態に関し、さらに以下の付記を開示する。
【０２０８】
（付記１）第１無線装置および第２無線装置を含む無線通信システムにおいて、
前記第２無線装置による前記第１無線装置の第１セルへの初期アクセスにおけるランダムアクセスプリアンブルを前記第２無線装置から受信した場合に、前記ランダムアクセスプリアンブルに対する応答信号であって、接続セルを前記第１セルと異なるセルに変更させる指示を含む応答信号を送信する前記第１無線装置と、
前記第１無線装置によって送信された前記応答信号に含まれる前記指示に基づいて、前記第１セルと異なる第２セルへの初期アクセスにおけるランダムアクセスプリアンブルを送信する前記第２無線装置と、
を含むことを特徴とする無線通信システム。
【０２０９】
（付記２）前記第１無線装置は、前記第１セルと異なるセルの識別子を含む前記応答信号を送信し、
前記第２無線装置は、前記応答信号に含まれる前記識別子に基づいて選択した前記第２セルへ前記ランダムアクセスプリアンブルを送信する、
ことを特徴とする付記１に記載の無線通信システム。
【０２１０】
（付記３）前記第１無線装置は、接続候補の各セルの中から前記接続候補の各セルの負荷状況に応じて選択した前記第１セルと異なるセルの識別子を含む前記応答信号を送信することを特徴とする付記２に記載の無線通信システム。
【０２１１】
（付記４）前記第１無線装置は、接続候補の各セルの中から前記第１セルとの間の周波数の差に応じて選択した前記第１セルと異なるセルの識別子を含む前記応答信号を送信することを特徴とする付記２または３に記載の無線通信システム。
【０２１２】
（付記５）前記第２無線装置は、前記応答信号に含まれる前記識別子に基づいて選択した前記第１セルと異なるセルの無線品質を測定し、測定した前記無線品質が所定条件を満たすセルへ前記ランダムアクセスプリアンブルを送信することを特徴とする付記２〜４のいずれか一つに記載の無線通信システム。
【０２１３】
（付記６）前記第１無線装置は、前記第１セルと異なり前記第２無線装置が優先的に接続すべきセルの識別子を含む前記応答信号を送信し、
前記第２無線装置は、前記識別子が示すセルの無線品質を測定し、前記識別子が示すセルの少なくともいずれかのセルの前記無線品質が前記所定条件を満たす場合は前記少なくともいずれかのセルへ前記ランダムアクセスプリアンブルを送信し、前記識別子が示すセルのいずれの前記無線品質も前記所定条件を満たさない場合は接続可能なセルのうちの前記識別子が示すセルとは異なるセルへ前記ランダムアクセスプリアンブルを送信する、
ことを特徴とする付記５に記載の無線通信システム。
【０２１４】
（付記７）前記第１無線装置は、前記第１セルと異なり前記第２無線装置が優先的に接続を回避すべき前記セルの識別子を含む前記応答信号を送信し、
前記第２無線装置は前記識別子が示すセルと異なるセルの無線品質を測定し、前記異なるセルの少なくともいずれかのセルの前記無線品質が前記所定条件を満たす場合は前記異なるセルへ前記ランダムアクセスプリアンブルを送信し、前記異なるセルのいずれの前記無線品質も前記所定条件を満たさない場合は前記識別子が示すセルの少なくともいずれかのセルへ前記ランダムアクセスプリアンブルを送信する、
ことを特徴とする付記５に記載の無線通信システム。
【０２１５】
（付記８）前記第１無線装置は、前記第１セルと異なる複数のセルの識別子を含む前記応答信号を送信することを特徴とする付記２〜７のいずれか一つに記載の無線通信システム。
【０２１６】
（付記９）前記第１無線装置は、前記複数のセルにおける接続の優先順位を特定可能な情報を含む前記応答信号を送信することを特徴とする付記８に記載の無線通信システム。
【０２１７】
（付記１０）前記識別子が示すセルは、前記第１無線装置とは異なる無線装置が形成するセルを含む各セルの中から選択されたセルであることを特徴とする付記２〜９のいずれか一つに記載の無線通信システム。
【０２１８】
（付記１１）前記第１無線装置は、前記ランダムアクセスプリアンブルを前記第２無線装置から受信した際の前記第１セルにおける負荷状況に応じて、前記指示を含む前記応答信号を送信することを特徴とする付記１〜１０のいずれか一つに記載の無線通信システム。
【０２１９】
（付記１２）前記応答信号は、前記第２無線装置による前記第１無線装置の第１セルへの初期アクセスにおけるランダムアクセスプリアンブルに対するランダムアクセスレスポンスであり、
前記第１無線装置は、前記ランダムアクセスレスポンスのペイロードにおけるリザーブドビットに前記指示を格納する、
ことを特徴とする付記１〜１１のいずれか一つに記載の無線通信システム。
【０２２０】
（付記１３）前記第１無線装置は、前記リザーブドビットに前記指示を格納する場合に、前記ペイロードのうちの前記リザーブドビットとは異なる領域に前記第１セルと異なるセルの識別子を格納し、
前記第２無線装置は、前記識別子に基づいて選択した前記第２セルへ前記ランダムアクセスプリアンブルを送信する、
ことを特徴とする付記１２に記載の無線通信システム。
【０２２１】
（付記１４）前記応答信号は、前記第２無線装置による前記第１無線装置の第１セルへの初期アクセスにおけるランダムアクセスプリアンブルに対するランダムアクセスレスポンスであり、
前記第１無線装置は、前記ランダムアクセスレスポンスのＭＡＣ（Ｍｅｄｉａ  Ａｃｃｅｓｓ  Ｃｏｎｔｒｏｌ）  ＰＤＵ（Ｐｒｏｔｏｃｏｌ  Ｄａｔａ  Ｕｎｉｔ）のＭＡＣサブヘッダにおける２ビットのリザーブドビットに前記指示を格納する、
ことを特徴とする付記１〜１１のいずれか一つに記載の無線通信システム。
【０２２２】
（付記１５）前記第１無線装置は、前記リザーブドビットに前記指示を格納する場合に、前記ＭＡＣサブヘッダのＢＩ（Ｂａｃｋｏｆｆ  Ｉｎｄｉｃａｔｏｒ）フィールドに、前記接続セルを前記第１セルと異なるセルに変更する確率を示す情報を格納し、
前記第２無線装置は、前記確率を示す情報に基づいて選択した前記第２セルへ前記ランダムアクセスプリアンブルを送信する、
ことを特徴とする付記１４に記載の無線通信システム。
【０２２３】
（付記１６）前記第１無線装置は、前記２ビットのリザーブドビットに前記指示を格納する場合に、前記ＭＡＣサブヘッダのＢＩフィールドに前記第１セルと異なるセルの識別子の一部を格納し、
前記第２無線装置は、前記識別子の一部に基づいて選択した前記第２セルへ前記ランダムアクセスプリアンブルを送信する、
ことを特徴とする付記１４に記載の無線通信システム。
【０２２４】
（付記１７）前記応答信号は、前記第２無線装置による前記第１無線装置の第１セルへの初期アクセスにおけるランダムアクセスプリアンブルに対するランダムアクセスレスポンスであり、
前記第１無線装置は、前記ランダムアクセスレスポンスのペイロードにおけるＵＬ（Ｕｐ  Ｌｉｎｋ）グラントのＣＳＩ（Ｃｈａｎｎｅｌ  Ｓｔａｔｅ  Ｉｎｆｏｒｍａｔｉｏｎ）リクエストに前記指示を格納する、
ことを特徴とする付記１〜１１のいずれか一つに記載の無線通信システム。
【０２２５】
（付記１８）前記応答信号は、前記指示と、前記応答信号を受信した前記第２無線装置が前記第１無線装置へスケジュールドトランスミッションを送信するための情報と、を含み、
前記第２無線装置は、前記応答信号に含まれる前記スケジュールドトランスミッションを送信するための情報に基づいて、前記第２セルへ前記スケジュールドトランスミッションを送信する、
ことを特徴とする付記１〜１１のいずれか一つに記載の無線通信システム。
【０２２６】
（付記１９）他の無線装置と通信可能な無線装置であって、
前記他の無線装置による自装置の第１セルへの初期アクセスにおけるランダムアクセスプリアンブルを前記他の無線装置から受信する受信部と、
前記受信部によって前記ランダムアクセスプリアンブルが受信された場合に、前記ランダムアクセスプリアンブルに対する応答信号であって、接続セルを前記第１セルと異なるセルに変更させる指示を含む応答信号を送信する送信部と、
を備えることを特徴とする無線装置。
【０２２７】
（付記２０）他の無線装置と通信可能な無線装置であって、
自装置による前記他の無線装置の第１セルへの初期アクセスにおけるランダムアクセスプリアンブルを送信する送信部と、
前記送信部によって送信された前記ランダムアクセスプリアンブルに対する応答信号であって、接続セルを前記第１セルと異なるセルに変更させる指示を含む応答信号を前記他の無線装置から受信する受信部と、
を備え、
前記送信部は、前記受信部によって受信された前記応答信号に含まれる前記指示に基づいて、前記第１セルと異なる第２セルへの初期アクセスにおけるランダムアクセスプリアンブルを送信する、
ことを特徴とする無線装置。
【０２２８】
（付記２１）他の無線装置と通信可能な無線装置における処理方法であって、
前記他の無線装置による自装置の第１セルへの初期アクセスにおけるランダムアクセスプリアンブルを前記他の無線装置から受信し、
前記ランダムアクセスプリアンブルを受信した場合に、前記ランダムアクセスプリアンブルに対する応答信号であって、接続セルを前記第１セルと異なるセルに変更させる指示を含む応答信号を送信する、
ことを特徴とする処理方法。
【０２２９】
（付記２２）他の無線装置と通信可能な無線装置における処理方法であって、
自装置による前記他の無線装置の第１セルへの初期アクセスにおけるランダムアクセスプリアンブルを送信し、
送信した前記ランダムアクセスプリアンブルに対する応答信号であって、接続セルを前記第１セルと異なるセルに変更させる指示を含む応答信号を前記他の無線装置から受信し、
受信した前記応答信号に含まれる前記指示に基づいて、前記第１セルと異なる第２セルへの初期アクセスにおけるランダムアクセスプリアンブルを送信する、
ことを特徴とする処理方法。
【０２３０】
（付記２３）第１無線装置および第２無線装置を含む無線通信システムにおいて、
前記第２無線装置による前記第１無線装置の第１セルへの初期アクセスにおけるランダムアクセス手順の信号を前記第２無線装置から受信した場合に、前記信号に対する応答信号であって、接続セルを前記第１セルと異なるセルに変更させる指示と、前記第１セルと異なる複数のセルの識別子と、を含む応答信号を送信する前記第１無線装置と、
前記第１無線装置によって送信された前記応答信号に含まれる前記指示および前記識別子に基づいて、前記第１セルと異なる第２セルへの初期アクセスにおけるランダムアクセスプリアンブルを送信する前記第２無線装置と、
を含むことを特徴とする無線通信システム。
【０２３１】
（付記２４）前記第１無線装置は、前記応答信号において前記指示を格納するための専用のフィールドに前記指示を格納することを特徴とする付記２３に記載の無線通信システム。
【０２３２】
（付記２５）前記ランダムアクセス手順の信号は、スケジュールドトランスミッションであり、
前記応答信号は、スケジュールドトランスミッションに対するコンテンションレゾリューションに含まれるＲＲＣコネクションリジェクトである、
ことを特徴とする付記２３または２４に記載の無線通信システム。
【０２３３】
（付記２６）前記ランダムアクセス手順の信号は、スケジュールドトランスミッションであり、
前記応答信号は、スケジュールドトランスミッションに対するコンテンションレゾリューションに含まれるＲＲＣコネクションセットアップである、
ことを特徴とする付記２３または２４に記載の無線通信システム。
【符号の説明】
【０２３４】
１００  無線通信システム
１０１〜１０３  セル
１１０  端末
１２０，１９１１，１９１２，２０１１〜２０１９  基地局
６０１，８０２  受信アンテナ
６０２，８０３  受信部
６０３，８０４  受信信号処理部
６０４，８０５  制御部
６０５，８０６  送信信号生成部
６０６，８０７  送信部
６０７，８０８  送信アンテナ
７００，９００  通信装置
７０１，９０１  ＣＰＵ
７０２，９０２  メモリ
７０３  ユーザインタフェース
７０４，９０３  無線通信インタフェース
７０９，９０９  バス
８０１  負荷状況取得部
９０４  有線通信インタフェース
１０００，１５００  ランダムアクセスレスポンス
１０１０  ＭＡＣヘッダ
１０２０  ＭＡＣペイロード
１０３０  パディング
１１００，１３００  ＭＡＣランダムアクセスレスポンス
１１０１，１２０１，１２０２  Ｒビット
１２００  ＭＡＣサブヘッダ
１２０３  ＢＩフィールド
１３０１  ＵＬグラント
１４０１  ＣＳＩリクエスト
１５１１，１５１２  ヘッダ
１５２１，１５２２  メッセージ
１６１０  レガシ端末
１９０１  マクロセル
１９０２，１９０３，２００１〜２００９  スモールセル
２５００，２６００  ＲＲＣコネクションリジェクト
２８００，２９００，３１００  ＲＲＣコネクションセットアップ
３０００  インフォメーションエレメント
【国際調査報告】
2016163010.tif 000034
2016163010.tif 000035
2016163010.tif 000036
2016163010.tif 000037